(57)【要約】  センサ１は、第１チャンバー１０と、それぞれ第１チャンバー１０に接続される第１液体供給口１８、第１排気孔２０、第２液体供給口２２及び第２排気孔２６と、アナライト捕捉部２４と、第１液体供給口１８、アナライト捕捉部２４及び第１排気孔２０をつなぐ第１流路Ｃ１と、第２液体供給口２２、アナライト捕捉部２４及び第２排気孔２６をつなぐ第２流路Ｃ２とを備える。第２排気孔２６の閉鎖状態で、アナライトを含む第１液体は、第１液体供給口１８から第１流路Ｃ１内に引き込まれアナライト捕捉部２４に到達する。第２排気孔２６の開放状態で、第２液体は、第２液体供給口２２から第２流路Ｃ２内に引き込まれ、アナライト捕捉部２４を通過してアナライト捕捉部２４から第１液体を除去する。
2017056748.tif 000002
【特許請求の範囲】
【請求項１】
基板と、
前記基板内に位置する第１チャンバーと、
第１チャンバーと前記基板外とを連通し、アナライトを含む第１液体が前記基板外から前記第１チャンバーに流れる第１液体供給口と、
前記第１チャンバー内に位置し、前記第１液体中のアナライトが捕捉されるアナライト捕捉部と、
前記第１チャンバーと前記基板外とを連通し、前記第１チャンバー内の気体が前記基板外に流れる第１排気孔と、
前記第１チャンバー内に位置し、前記第１液体供給口、前記アナライト捕捉部、及び前記第１排気孔をつなぐ第１流路と、
前記第１チャンバーと前記第１チャンバー外とを連通し、アナライト捕捉部の洗浄液を含む第２液体が前記第１チャンバー外から前記第１チャンバーに流れる第２液体供給口と、
前記第１チャンバーと前記基板外とを連通し、閉鎖された状態から開放された状態に切り替え可能であり、開放された状態で前記第１チャンバー内の気体が前記基板外に流れる第２排気孔と、
前記第１チャンバー内に位置し、前記第２液体供給口、前記アナライト捕捉部、及び前記第２排気孔をつなぐ第２流路と、を備え、
前記第１液体供給口及び前記第１排気孔は、前記第１流路において前記アナライト捕捉部を挟んで配置され、
前記第２液体供給口及び前記第２排気孔は、前記第２流路において前記アナライト捕捉部を挟んで配置され、
前記第２排気孔が閉鎖された状態で、前記第１液体は、前記第１排気孔からの排気をともなって前記第１液体供給口から前記第１流路内に引き込まれ、前記アナライト捕捉部に到達し、
前記第２排気孔が開放された状態で、前記第２液体は、前記第２排気孔からの排気をともなって前記第２液体供給口から前記第２流路内に引き込まれ、前記アナライト捕捉部を通過して、前記アナライト捕捉部から前記第１液体を除去する、アナライトを分析するセンサ。
【請求項２】
前記第１チャンバーは、第１部分、第２部分、及び前記第１部分と前記第２部分とを連結する連結部を含み、
前記第１液体供給口及び前記第１排気孔は、前記第１部分と前記基板外とを連通し、
前記第２液体供給口は、前記第１部分と前記第１チャンバー外とを連通し、
前記第２排気孔は、前記第２部分と前記基板外とを連通し、
前記第１流路は、前記第１部分に配置され、
前記第２流路は、前記第１部分、前記連結部及び前記第２部分にわたって配置され、
前記第２排気孔が閉鎖された状態で、前記第１液体供給口に供給された前記第１液体は、毛細管現象によって前記第１流路を移動して前記アナライト捕捉部に到達し、
前記第２排気孔が開放された状態で、前記第２液体供給口に供給される前記第２液体は、毛細管現象によって前記第２流路を移動して前記アナライト捕捉部を通過し、前記連結部を経て前記第２部分に到達する、請求項１に記載のセンサ。
【請求項３】
前記第２液体供給口は、前記第１チャンバーと前記基板外とを連通し、前記第１排気孔を兼ねる、請求項２に記載のセンサ。
【請求項４】
前記第２液体供給口は、前記第１チャンバーと前記基板外とを連通し、前記第１排気孔とは別体であり、
前記基板の主表面に対して直交する方向から見て、
前記第１排気孔は、前記第２流路における前記第２液体供給口と前記アナライト捕捉部との間に配置され、
前記第２流路は、前記第２流路の中心線に対して平行な方向で前記第１排気孔と重なる位置において、前記中心線に対して直交する方向で前記第１排気孔と重ならない領域を有する、請求項２に記載のセンサ。
【請求項５】
前記アナライト捕捉部は、前記第２流路において前記第２液体が流れる方向で、前記第１部分における前記連結部が接続される位置と、前記第２液体供給口が設けられる位置との間に配置される、請求項２又は３に記載のセンサ。
【請求項６】
前記アナライト捕捉部は、前記第２流路において前記第２液体が流れる方向で、前記第１部分における前記連結部が接続される位置と、前記第１排気孔が設けられる位置との間に配置される、請求項２又は４に記載のセンサ。
【請求項７】
前記第２部分と前記連結部とをそれぞれＮ個備え（Ｎは１以上の整数）、
Ｎ個の前記第２部分の容積とＮ個の前記連結部の容積との合計は、前記第１部分における前記アナライト捕捉部の容積と、前記第１排気孔から前記アナライト捕捉部までの容積との合計よりも大きい、請求項２乃至６のいずれか１項に記載のセンサ。
【請求項８】
前記基板内に位置し、前記第２液体を収容する第２チャンバーをさらに備え、
前記第２液体供給口は、前記第１チャンバーと前記第２チャンバーとを連通する、請求項１又は２に記載のセンサ。
【請求項９】
前記第２液体の収容部をさらに備え、
前記第２液体供給口は、前記第１チャンバーと前記基板外とを連通し、
前記収容部は、前記基板の外表面上に配置されるとともに、前記第２液体供給口に接続される、請求項１乃至７のいずれか１項に記載のセンサ。
【請求項１０】
前記第２液体供給口は、前記第１チャンバーと前記基板外とを連通し、前記第１液体供給口を兼ねる、請求項１又は２に記載のセンサ。
【請求項１１】
前記基板の主表面に対して直交する方向から見て、
前記第１排気孔は、前記第２排気孔と前記アナライト捕捉部との間に配置され、
前記第２流路は、前記第２流路の中心線に対して平行な方向で前記第１排気孔と重なる位置において、前記中心線に対して直交する方向で前記第１排気孔と重ならない領域を有する、請求項１０に記載のセンサ。
【請求項１２】
前記第２液体供給口は、前記第１チャンバーと前記基板外とを連通し、前記第１液体供給口及び前記第１排気孔とは別体であり、
前記基板の主表面に対して直交する方向から見て、
前記第２液体供給口及び前記第２排気孔は、前記第１液体供給口、前記アナライト捕捉部及び前記第１排気孔を挟んで配置され、
前記第２流路は、前記第２流路の中心線に対して平行な方向で前記第１液体供給口と重なる位置において、前記中心線に対して直交する方向で前記第１液体供給口と重ならない領域を有し、前記中心線に対して平行な方向で前記第１排気孔と重なる位置において、前記中心線に対して直交する方向で前記第１排気孔と重ならない領域を有する、請求項１又は２に記載のセンサ。
【請求項１３】
前記アナライト捕捉部に対して、前記第１液体供給口と前記第２排気孔とが同じ側に配置され、前記第２液体供給口と前記第１排気孔とが同じ側に配置される、請求項１２に記載のセンサ。
【請求項１４】
前記基板は、ベース基板、前記ベース基板の表面上に配置されるスペーサ部材、及び前記スペーサ部材の前記ベース基板側とは反対側の表面上に配置されるカバー基板を含み、
前記スペーサ部材は、前記スペーサ部材の面方向に延在するスリットを有し、
前記第１チャンバーは、前記ベース基板の表面、前記カバー基板の表面、及び前記スリットによって形成される、請求項１乃至１３のいずれか１項に記載のセンサ。
【請求項１５】
前記第２排気孔を閉鎖する封止部材をさらに備える、請求項１乃至１４のいずれか１項に記載のセンサ。
【請求項１６】
前記第１流路及び前記第２流路は前記アナライト捕捉部において交差する請求項１に記載のセンサ。
【請求項１７】
前記第１チャンバーは、第１部分、第２部分、及び前記第１部分と前記第２部分との交差部分を含み、
前記第１液体供給口及び前記第１排気孔は、前記第１部分と前記基板外とを連通し、
前記第２液体供給口は、前記第２部分と前記第１チャンバー外とを連通し、
前記第２排気孔は、前記第２部分と前記基板外とを連通し、
前記第１流路は、前記第１部分に配置され、
前記第２流路は、前記第２部分に配置され、
前記アナライト捕捉部は、前記交差部分に配置され、
前記第２排気孔が閉鎖された状態で、前記第１液体供給口に供給された前記第１液体は、毛細管現象によって前記第１流路を移動して前記アナライト捕捉部に到達し、
前記第２排気孔が開放された状態で、前記第２液体供給口に供給される前記第２液体は、毛細管現象によって前記第２流路を移動して前記アナライト捕捉部を通過する、請求項１６に記載のセンサ。
【請求項１８】
前記第２流路における前記アナライト捕捉部と前記第２排気孔との間の領域の容積は、前記第２流路における前記第２液体供給口と前記アナライト捕捉部との間の領域の容積と前記アナライト捕捉部の容積との合計よりも大きい、請求項１６又は１７に記載のセンサ。
【請求項１９】
前記基板内に位置し、前記第２液体を収容する第２チャンバーをさらに備え、
前記第２液体供給口は、前記第１チャンバーと前記第２チャンバーとを連通する、請求項１６乃至１８のいずれか１項に記載のセンサ。
【請求項２０】
前記第２液体供給口は、前記第１チャンバーと前記基板外とを連通する、請求項１６乃至１８のいずれか１項に記載のセンサ。
【請求項２１】
前記第２液体の収容部をさらに備え、
前記収容部は、前記基板の外表面上に配置されるとともに前記第２液体供給口に接続される、請求項２０に記載のセンサ。
【請求項２２】
前記第２排気孔を閉鎖する封止部材をさらに備える、請求項１６乃至２１のいずれか１項に記載のセンサ。
【請求項２３】
前記第２液体供給口は、閉鎖された状態から開放された状態に切り替え可能であり、
前記第２液体供給口及び前記第２排気孔が閉鎖された状態で、前記第１液体は前記第１液体供給口から前記第１流路内に引き込まれて前記アナライト捕捉部に到達し、
前記第２液体供給口及び前記第２排気孔が開放された状態で、前記第２液体は前記第２液体供給口から前記第２流路内に引き込まれて前記アナライト捕捉部を通過する、請求項１６乃至１８のいずれか１項に記載のセンサ。
【請求項２４】
前記基板は、ベース基板、前記ベース基板の表面上に配置されるスペーサ部材、及び前記スペーサ部材の前記ベース基板側とは反対側の表面上に配置されるカバー基板を含み、
前記スペーサ部材は、前記スペーサ部材の面方向に延在するスリットを有し、
前記第１チャンバーは、前記ベース基板の表面、前記カバー基板の表面、及び前記スリットによって形成される、請求項１６乃至２３のいずれか１項に記載のセンサ。
【請求項２５】
請求項１乃至２４のいずれか１項に記載のセンサが載置されるセンサ支持部と、
前記センサ支持部に設けられる磁石と、を備え、
前記アナライトには磁性材料が結合しており、
前記アナライトは、前記アナライト捕捉部において、前記磁石によって前記磁性材料が磁化されることで捕捉される、測定装置。
【請求項２６】
請求項１乃至２２のいずれか１項に記載のセンサを用いたアナライトの分析方法であって、
前記第２排気孔が閉鎖された状態で、前記第１液体を前記第１液体供給口に供給し、毛細管現象により前記第１液体を前記アナライト捕捉部まで移送する工程Ａ，ＡＩと、
前記工程Ａ，ＡＩの後に、前記第２液体を前記第２液体供給口に供給する工程Ｂ，ＢＩと、
前記工程Ａ，ＡＩの後であり、且つ前記工程Ｂ，ＢＩの前、後、又は同時に、前記第２排気孔を開放する工程Ｃ，ＣＩと、を含み、
前記工程Ｂ，ＢＩ及び前記工程Ｃ，ＣＩにより、前記第２液体を毛細管現象により前記第２液体供給口から前記アナライト捕捉部まで移送し、前記アナライト捕捉部を通過させて、前記アナライト捕捉部から前記第１液体を除去する、アナライトの分析方法。
【請求項２７】
請求項２３に記載のセンサを用いたアナライトの分析方法であって、
前記第２液体供給口及び前記第２排気孔が閉鎖された状態で、前記第１液体を前記第１液体供給口に供給し、毛細管現象により前記第１液体を前記アナライト捕捉部まで移送する工程ＡＩＩと、
前記工程ＡＩＩの後に、前記第２液体供給口を開放して前記第２液体を前記第２液体供給口に供給する工程ＢＩＩと、
前記工程ＡＩＩの後であり、且つ前記工程ＢＩＩの前、後、又は同時に、前記第２排気孔を開放する工程ＣＩＩと、を含み、
前記工程ＢＩＩ及び前記工程ＣＩＩにより、前記第２液体を毛細管現象により前記第２液体供給口から前記アナライト捕捉部まで移送し、前記アナライト捕捉部を通過させて、前記アナライト捕捉部から前記第１液体を除去する、アナライトの分析方法。
【発明の詳細な説明】
【技術分野】
【０００１】
本願は、アナライトを分析するセンサ、測定装置、及びアナライトの分析方法に関する。
【背景技術】
【０００２】
分析対象物であるアナライトと、当該アナライトに特異的に結合するリガンドとの結合反応を用いて、アナライトを分析する方法が知られている。このような分析法としては、例えばイムノアッセイ法が挙げられる。イムノアッセイ法には、競合型イムノアッセイ法と非競合型イムノアッセイ法とがある。また従来、この種の分析法によるアナライトの分析結果を測定する免疫自動測定装置が知られている（例えば、特許文献１参照）。
【先行技術文献】
【特許文献】
【０００３】
【特許文献１】特開平０８−１７８９２７号公報
【発明の概要】
【発明が解決しようとする課題】
【０００４】
アナライトの分析結果を測定する測定装置には、構造の簡素化と、アナライト測定を簡便に実施できることとが望まれている。【０００５】
本願はこうした状況に鑑みてなされたものであり、その目的は、アナライト測定に用いる装置の簡素化と、アナライト測定の簡易性との両立を図るための技術を提供することにある。
【課題を解決するための手段】
【０００６】
本願のある態様はアナライトを分析するセンサである。当該センサは、基板と、基板内に位置する第１チャンバーと、第１チャンバーと基板外とを連通し、アナライトを含む第１液体が基板外から第１チャンバーに流れる第１液体供給口と、第１チャンバー内に位置し、第１液体中のアナライトが捕捉されるアナライト捕捉部と、第１チャンバーと基板外とを連通し、第１チャンバー内の気体が基板外に流れる第１排気孔と、第１チャンバー内に位置し、第１液体供給口、アナライト捕捉部、及び第１排気孔をつなぐ第１流路と、第１チャンバーと第１チャンバー外とを連通し、アナライト捕捉部の洗浄液を含む第２液体が第１チャンバー外から第１チャンバーに流れる第２液体供給口と、第１チャンバーと基板外とを連通し、閉鎖された状態から開放された状態に切り替え可能であり、開放された状態で第１チャンバー内の気体が基板外に流れる第２排気孔と、第１チャンバー内に位置し、第２液体供給口、アナライト捕捉部、及び第２排気孔をつなぐ第２流路と、を備える。第１液体供給口及び第１排気孔は、第１流路においてアナライト捕捉部を挟んで配置され、第２液体供給口及び第２排気孔は、第２流路においてアナライト捕捉部を挟んで配置される。第２排気孔が閉鎖された状態で、第１液体は、第１排気孔からの排気をともなって第１液体供給口から第１流路内に引き込まれ、アナライト捕捉部に到達し、第２排気孔が開放された状態で、第２液体は、第２排気孔からの排気をともなって第２液体供給口から第２流路内に引き込まれ、アナライト捕捉部を通過して、アナライト捕捉部から第１液体を除去する。【０００７】
本願の他の態様もアナライトを分析するセンサである。当該センサは、基板と、基板内に位置する第１チャンバーと、第１チャンバーと基板外とを連通し、アナライトを含む第１液体が基板外から第１チャンバーに流れる第１液体供給口と、第１チャンバー内に位置し、第１液体中のアナライトが捕捉されるアナライト捕捉部と、第１チャンバーと基板外とを連通し、第１チャンバー内の気体が基板外に流れる第１排気孔と、第１チャンバー内に位置し、第１液体供給口、アナライト捕捉部、及び第１排気孔をつなぐ第１流路と、第１チャンバーと第１チャンバー外とを連通し、アナライト捕捉部の洗浄液を含む第２液体が第１チャンバー外から第１チャンバーに流れる第２液体供給口と、第１チャンバーと基板外とを連通し、閉鎖された状態から開放された状態に切り替え可能であり、開放された状態で第１チャンバー内の気体が基板外に流れる第２排気孔と、第１チャンバー内に位置し、第２液体供給口、アナライト捕捉部、及び第２排気孔をつなぐ第２流路と、を備える。第１液体供給口及び第１排気孔は、第１流路においてアナライト捕捉部を挟んで配置され、第２液体供給口及び第２排気孔は、第２流路においてアナライト捕捉部を挟んで配置される。第１流路及び第２流路はアナライト捕捉部において交差する。第２排気孔が閉鎖された状態で、第１液体は、第１排気孔からの排気をともなって第１液体供給口から第１流路内に引き込まれ、アナライト捕捉部に到達し、第２排気孔が開放された状態で、第２液体は、第２排気孔からの排気をともなって第２液体供給口から第２流路内に引き込まれ、アナライト捕捉部を通過して、アナライト捕捉部から第１液体を除去する。
【発明の効果】
【０００８】
本願によれば、アナライト測定に用いる装置の簡素化と、アナライト測定の簡易性との両立を図るための技術を提供することができる。
【図面の簡単な説明】
【０００９】
【図１】図１（Ａ）〜図１（Ｃ）は、サンドイッチイムノアッセイ法の一例を示す模式図である。
【図２】実施の形態１に係るセンサの概略構造を示す分解斜視図である。
【図３】カバー基板側から見た場合の実施の形態１に係るセンサの内部構造を模式的に示す平面図である。
【図４】図４（Ａ）〜図４（Ｃ）は、カバー基板側から見た場合の実施の形態１に係るセンサの内部構造を模式的に示す平面図である。
【図５】実施の形態１に係るセンサが備える電極パターンの一例を模式的に示す図である。
【図６】実施の形態１に係るセンサが備える遮光部の一例を模式的に示す図である。
【図７】図７（Ａ）は、カバー基板側から見た場合の変形例１に係るセンサの内部構造を模式的に示す平面図である。図７（Ｂ）は、図７（Ａ）における第１排気孔周辺の拡大図である。
【図８】図８（Ａ）〜図８（Ｆ）は、変形例１に係るセンサにおいて第１液体及び第２液体が移送される様子を示す写真である。
【図９】実施例１におけるＴｎＴの測定結果を示す図である。
【図１０】カバー基板側から見た場合の実施の形態２に係るセンサの内部構造を模式的に示す平面図である。
【図１１】図１１（Ａ）〜図１１（Ｃ）は、カバー基板側から見た場合の実施の形態２に係るセンサの内部構造を模式的に示す平面図である。
【図１２】図１２（Ａ）〜図１２（Ｄ）は、実施の形態２に係るセンサにおいて第１液体及び第２液体が移送される様子を示す写真である。
【図１３】図１３（Ａ）は、実施の形態３に係るセンサの分解斜視図である。図１３（Ｂ）は、図１３（Ａ）のＡ−Ａ線に沿った断面におけるアナライト捕捉部周辺の拡大図である。
【図１４】実施例２におけるＴｎＴの測定結果を示す図である。
【図１５】実施の形態４に係るセンサの概略構造を示す斜視図である。
【図１６】カバー基板側から見た場合の実施の形態５に係るセンサの内部構造を模式的に示す平面図である。
【図１７】カバー基板側から見た場合の実施の形態６に係るセンサの内部構造を模式的に示す平面図である。
【図１８】図１８（Ａ）及び図１８（Ｂ）は、カバー基板側から見た場合の実施の形態６に係るセンサの内部構造を模式的に示す平面図である。
【図１９】図１９（Ａ）及び図１９（Ｂ）は、実施の形態６に係るセンサにおいて第１液体及び第２液体が移送される様子を模式的に示す平面図である。
【図２０】カバー基板側から見た場合の実施の形態７に係るセンサの内部構造を模式的に示す平面図である。
【図２１】図２１（Ａ）及び図２１（Ｂ）は、カバー基板側から見た場合の実施の形態７に係るセンサの内部構造を模式的に示す平面図である。
【図２２】図２２（Ａ）及び図２２（Ｂ）は、実施の形態７に係るセンサにおいて第１液体及び第２液体が移送される様子を模式的に示す平面図である。
【図２３】実施の形態８に係る測定装置の機能構成の概略を示すブロック図である。
【図２４】測定装置におけるセンサ支持部周辺を拡大して示す断面図である。
【図２５】実施の形態９に係るセンサの概略構造を示す分解斜視図である。
【図２６】カバー基板側から見た場合の実施の形態９に係るセンサの内部構造を模式的に示す平面図である。
【図２７】図２７（Ａ）〜図２７（Ｃ）は、カバー基板側から見た場合の実施の形態９に係るセンサの内部構造を模式的に示す平面図である。
【図２８】実施の形態９に係るセンサが備える電極パターンの一例を模式的に示す図である。
【図２９】実施の形態９に係るセンサが備える遮光部の一例を模式的に示す図である。
【図３０】図３０（Ａ）〜図３０（Ｆ）は、実施の形態９に係るセンサにおいて第１液体及び第２液体が移送される様子を示す写真である。
【図３１】カバー基板側から見た場合の実施の形態１０に係るセンサの内部構造を模式的に示す平面図である。
【図３２】図３２（Ａ）〜図３２（Ｇ）は、実施の形態１０に係るセンサにおいて第１液体及び第２液体が移送される様子を示す写真である。
【図３３】図３３（Ａ）は、実施の形態１１に係るセンサの分解斜視図である。図３３（Ｂ）は、図３３（Ａ）のＡ−Ａ線に沿った断面におけるアナライト捕捉部周辺の拡大図である。
【図３４】実施の形態１２に係るセンサの概略構造を示す斜視図である。
【図３５】カバー基板側から見た場合の実施の形態１３に係るセンサの内部構造を模式的に示す平面図である。
【図３６】実施の形態１４に係る測定装置におけるセンサ支持部周辺を拡大して示す断面図である。
【発明を実施するための形態】
【００１０】
以下、本発明を好適な実施の形態をもとに図面を参照しながら説明する。実施の形態は、発明を限定するものではなく例示であって、実施の形態に記述されるすべての特徴やその組み合わせは、必ずしも発明の本質的なものであるとは限らない。
【００１１】
本願発明者は、アナライトとリガンドとの結合反応を用いたアナライトの分析方法と、分析結果の測定方法とについて検討した。この分析方法及び測定方法には、アナライトの種類によって迅速な分析、測定が要求される場合がある。迅速な分析が要求される場合としては、例えば、アナライトが心筋マーカーである場合を挙げることができる。すなわち、心筋梗塞を発症した患者は、迅速な処置、対応が求められる。このため、例えば病院へ搬送中の患者に心筋梗塞の疑いがある場合に、その患者の心筋マーカーを分析、測定し、その結果に基づいて診断することができれば、搬送中に適切な処置が可能となる。また、病院へ搬送された後の対応もスムーズになる。
【００１２】
心筋マーカーとしては、例えば、トロポニンＩ（ＴｒｏｐｏｎｉｎＩ；ＴｎＩ）、トロポニンＴ（ＴｒｏｐｏｎｉｎＴ；ＴｎＴ）、クレアチンキナーゼＭＢ画分（Ｃｒｅａｔｉｎｅ  Ｋｉｎａｓｅ  ＭＢ；ＣＫ−ＭＢ）、脳性ナトリウム利尿ペプチド（Ｂｒａｉｎ  Ｎａｔｒｉｕｒｅｔｉｃ  Ｐｅｐｔｉｄｅ；ＢＮＰ）、ミオグロビン（Ｍｙｏｇｌｏｂｉｎ）及びヒト心臓由来脂肪酸結合蛋白（Ｈｅａｒｔ  Ｔｙｐｅ  Ｆａｔｔｙ  Ａｃｉｄ−Ｂｉｎｄｉｎｇ  Ｐｒｏｔｅｉｎ；Ｈ−ＦＡＢＰ）が挙げられる。これらの心筋マーカーがアナライトである場合、一般的には、競合型イムノアッセイ法や非競合型イムノアッセイ法により分析される。
【００１３】
競合型イムノアッセイ法や非競合型イムノアッセイ法は、手動で実施するには操作が煩雑であり、また長時間を要する。また、特許文献１で示したような大型で複雑な構成の測定装置は、多検体の同時処理及び短時間での処理には適しているものの、装置が大型であるため搬送車両への搭載が困難である。したがって、心筋マーカーのように、測定に迅速性が求められ、また測定装置に機動性（携帯性）が求められる場合には適していない。
【００１４】
例えば、非競合型イムノアッセイ法であるサンドイッチイムノアッセイ法では、図１に示すステップが実施される。図１（Ａ）〜図１（Ｃ）は、サンドイッチイムノアッセイ法の一例を示す模式図である。図１に例示する測定系では、固相３０１に固定された一次抗体３０２（以下、「固相固定化抗体３０３」と称する）と、アナライトである抗原３０４を含む検体試料と、標識物質３０５が結合した二次抗体３０６（以下、「標識抗体３０７」と称する）が用いられる。
【００１５】
固相３０１は、特に限定されないが、例えば磁性粒子（「磁性ビーズ」、「磁気粒子」または「磁気ビーズ」等と称されることもある）等の磁性材料、ポリスチレンやポリカーボネート等で構成されるプレートのウェル壁面、及び金属基板表面等が挙げられる。標識物質３０５は、酵素、化学発光物質、生物発光物質、電気化学発光物質、蛍光物質及び電子メディエーター等が挙げられる。標識物質３０５に応じたシグナルを分析結果として取得し、このシグナルを検出することで、アナライトを測定することができる。シグナルは標識物質３０５の種類によって異なり、例えば、発光、蛍光、吸光度、あるいは電気化学シグナル等がある。電気化学シグナルは、例えば電流や電圧等である。
【００１６】
サンドイッチイムノアッセイ法では、まず固相固定化抗体３０３、抗原３０４及び標識抗体３０７を反応させる。これにより、図１（Ａ）に示すように、抗原３０４に固相固定化抗体３０３及び標識抗体３０７が結合した複合体３０８が生成される。この段階の反応溶液中には、複合体３０８の形成に関与しなかった標識抗体３０７や一次抗体３０２、互いに未結合の標識物質３０５及び二次抗体３０６、検体中の不要成分、及び、固相３０１等に非特異的に結合した物質等が含まれる（以下、これらの物質を「未反応物」と称する）。
【００１７】
未反応物は、抗原３０４の分析感度や分析精度を下げる大きな要因となる。このため、図１（Ｂ）に示すように、反応溶液を反応場から除去して、反応物、すなわち複合体３０８と未反応物とを分離する必要がある。この分離工程は、Ｂ／Ｆ分離（Ｂｏｕｎｄ／Ｆｒｅｅ  Ｓｅｐａｒａｔｉｏｎ）と呼ばれる。Ｂ／Ｆ分離には、単に反応溶液を除去するだけの場合も含まれるが、反応溶液の分離とともに洗浄液で反応場を洗浄する場合もある。洗浄液での洗浄により、より確実に反応物と未反応物とを分離することができる。また、固相３０１が磁性材料である場合は、磁性材料を磁石によって捕捉した状態で、不要な反応溶液や洗浄液を除去する必要がある。
【００１８】
Ｂ／Ｆ分離の後あるいは同時に、標識物質３０５に応じたシグナルを発生させるための基質が導入される。これにより、図１（Ｃ）に示すように、標識物質３０５に応じたシグナルが発生する。このシグナルを検出することで、抗原３０４の存在あるいは量を測定することができる。
【００１９】
Ｂ／Ｆ分離のためには、反応溶液を洗浄液等の別の液体で置換する必要がある。場合によっては、反応溶液の除去に用いた洗浄液を、さらに別の液体で置換する必要がある。このため、アナライトの分析装置にＢ／Ｆ分離の機能を持たせようとすると、装置が複雑化、大型化する傾向にあった。したがって、心筋マーカーのように、分析、測定に迅速性が求められるとともに、搬送車両への搭載を可能とするような測定装置の携帯性が必要とされる場合には不向きであった。また、装置を簡素化するために測定者にＢ／Ｆ分離を実施させようとすると、測定者に複雑な作業を強いることとなり、アナライト測定の簡易性が損なわれてしまう。
【００２０】
そこで、本願発明者は、小型な装置で簡便にアナライトを分析、測定できる構成について鋭意検討し、新規なセンサ、測定装置及びアナライトの分析方法に想到した。本願の実施の形態の概要は以下の通りである。なお、以下に示す実施の形態では、センサ及び測定装置を用いて実行するアナライトの分析方法として、非競合型イムノアッセイ法であるサンドイッチイムノアッセイ法を説明している。しかしながら、これに限定されるものではなく、実施の形態に係るセンサ及び測定装置は、Ｂ／Ｆ分離を必要とするアナライトの分析方法全般に適用することができる。
【００２１】
Ｂ／Ｆ分離を必要とするアナライトの分析方法としては、競合型／非競合型イムノアッセイ法だけでなく、ハイブリダイゼーションによる遺伝子検出法等を挙げることができる。したがって、本明細書における「リガンド」は、アナライトに特異的に結合する物質を指し、競合型／非競合型イムノアッセイ法で用いられる抗体に限定されない。リガンドには、例えば、抗原、結合性タンパク質、ＤＮＡ、ＲＮＡ等が含まれる。また、本明細書において、「アナライトの分析」は、センサ１によってシグナルを発生させること、あるいはシグナルを取得することを意味する。また、「アナライトの測定」は、発生あるいは取得したシグナルを測定装置２００によって検出することを意味する。
【００２２】
＜＜アナライトを分析するセンサ＞＞
以下、実施の形態１〜７、変形例１〜２、実施例１〜２を例に挙げて、アナライト分析用のセンサについて説明する。
【００２３】
（実施の形態１）
図２は、実施の形態１に係るセンサの概略構造を示す分解斜視図である。本実施の形態に係るセンサ１は、アナライトを分析するセンサであり、基板１００を有する。基板１００は、ベース基板１０２、スペーサ部材１０４、及びカバー基板１０６を含む。スペーサ部材１０４は、ベース基板１０２の表面上に配置される。カバー基板１０６は、スペーサ部材１０４のベース基板１０２側とは反対側の表面上に配置される。基板１００は、ベース基板１０２、スペーサ部材１０４及びカバー基板１０６がこの順に積層され、互いに接着剤等で貼り合わせることで形成される。
【００２４】
なお、例えばベース基板１０２とスペーサ部材１０４とが一体的に形成され、これにカバー基板１０６が貼り合わされてもよい。また、スペーサ部材１０４とカバー基板１０６とが一体的に形成され、これにベース基板１０２が貼り合わされてもよい。また、ベース基板１０２、スペーサ部材１０４、及びカバー基板１０６には、例えば、ポリエチレンテレフタレート（ＰＥＴ）、ポリスチレン、ポリカーボネート、アクリル等の樹脂材料で形成されたものを採用することができる。また、ベース基板１０２及びカバー基板１０６には、ガラスで形成されたものが採用されてもよい。各基板及び部材は、例えば、ホットメルト糊剤やＵＶ硬化糊剤等の接着剤、又は接着テープによって互いに接着される。この場合、接着剤そのもの又は接着テープそのものがスペーサ部材１０４を構成してもよい。すなわち、本願におけるスペーサ部材１０４には、接着剤や接着テープが含まれる。あるいは、各基板及び部材は、超音波溶着法によって互いに接着されてもよい。
【００２５】
ベース基板１０２は、平板状であり、第１主表面１０２ａと、第１主表面１０２ａに背向する第２主表面１０２ｂとを有する。第１主表面１０２ａ上には、スペーサ部材１０４が積層される。
【００２６】
スペーサ部材１０４は、ベース基板１０２、スペーサ部材１０４及びカバー基板１０６の積層方向（図２におけるＺ軸方向）に所定の厚みｄを有する面状部材である。また、スペーサ部材１０４は、スペーサ部材１０４の面方向（図２におけるＸＹ方向）に延在するスリット１０４ａを有する。スリット１０４ａは、厚みｄの方向でスペーサ部材１０４を貫通している。すなわち、スペーサ部材１０４は、平板の一部がスリット１０４ａにより切り欠かれた形状を有する。
【００２７】
カバー基板１０６は、平板状であり、第１主表面１０６ａと、第１主表面１０６ａに背向する第２主表面１０６ｂとを有する。カバー基板１０６は、第２主表面１０６ｂがスペーサ部材１０４側を向くようにして、スペーサ部材１０４上に積層される。カバー基板１０６には、第１排気孔２０、第２液体供給口２２、第２排気孔２６等が設けられる。
【００２８】
基板１００内には、第１チャンバー１０が設けられる。第１チャンバー１０は、ベース基板１０２の第１主表面１０２ａ、カバー基板１０６の第２主表面１０６ｂ、及びスリット１０４ａによって形成される。すなわち、ベース基板１０２の第１主表面１０２ａは、第１チャンバー１０の下面を規定する。スペーサ部材１０４のスリット１０４ａの壁面は、第１チャンバー１０の側面を規定する。カバー基板１０６の第２主表面１０６ｂは、第１チャンバー１０の上面を規定する。したがって、第１チャンバー１０は、ベース基板１０２、スペーサ部材１０４及びカバー基板１０６によって区画される空間である。
【００２９】
図３及び図４（Ａ）〜図４（Ｃ）は、カバー基板１０６側から見た場合の実施の形態１に係るセンサ１の内部構造を模式的に示す平面図である。図３及び図４（Ａ）〜図４（Ｃ）では、説明の便宜上、カバー基板１０６に設けられる第１排気孔２０、第２液体供給口２２及び第２排気孔２６も図示している。
【００３０】
基板１００内には、第１チャンバー１０が配置される。第１チャンバー１０は、第１部分１２、第２部分１４、及び第１部分１２と第２部分１４とを連結する連結部１６を含む。第１部分１２は、図４（Ａ）においてハッチングを付した領域である。第２部分１４は、図４（Ｂ）においてハッチングを付した領域である。連結部１６は、図４（Ｃ）においてハッチングを付した領域である。本実施の形態のセンサ１は、１つの第１部分１２と、２つの第２部分１４と、２つの連結部１６とを有する。第１部分１２を挟んで２つの第２部分１４が配置され、第１部分１２と各第２部分１４とが連結部１６で連結されている。一方の第２部分１４及び連結部１６の組み合わせと、他方の第２部分１４及び連結部１６の組み合わせは、第１部分１２を挟んで略対称に配置される。
【００３１】
連結部１６は、一方の端部が第１部分１２に接続されるとともに、第１部分１２の延在方向に対して交わる方向に延在し、他方の端部が第２部分１４に接続される。すなわち、連結部１６及び第２部分１４は、第１部分１２から分岐して延びる空間である。なお、第１部分１２、第２部分１４及び連結部１６の数は限定されず、センサ１は、少なくとも第１部分１２、第２部分１４及び連結部１６を１つずつ有すればよい（後述する実施の形態２参照）。
【００３２】
また、センサ１は、第１液体供給口１８と、第１排気孔２０と、第２液体供給口２２と、アナライト捕捉部２４と、第２排気孔２６とを備える。第１液体供給口１８は、第１チャンバー１０と基板１００外とを連通する貫通孔である。より具体的には、第１液体供給口１８は、第１チャンバー１０の第１部分１２と基板１００外とを連通する。本実施の形態では、スリット１０４ａがスペーサ部材１０４の外側面（２つの主表面をつなぐ側面）にまで延在することで、第１液体供給口１８が形成されている。アナライトを含む第１液体は、第１液体供給口１８に点着される。これにより、第１液体供給口１８を介して第１液体が基板１００外から第１チャンバー１０に流れる。
【００３３】
第１排気孔２０は、第１チャンバー１０と基板１００外とを連通する貫通孔である。より具体的には、第１排気孔２０は、第１部分１２と基板１００外とを連通する。本実施の形態では、第１排気孔２０は、カバー基板１０６の第１主表面１０６ａから第２主表面１０６ｂまで延在する貫通孔によって構成されている。第１チャンバー１０内の気体は、第１排気孔２０を介して基板１００外に流れることができる。
【００３４】
第２液体供給口２２は、第１チャンバー１０と第１チャンバー１０外とを連通する貫通孔である。より具体的には、第２液体供給口２２は、第１部分１２と第１チャンバー１０外とを連通する。本実施の形態では、第２液体供給口２２は、第１チャンバー１０と基板１００外とを連通する。また、第２液体供給口２２は、第１排気孔２０を兼ねている。すなわち、カバー基板１０６に設けられる貫通孔が、第１排気孔２０及び第２液体供給口２２として兼用される。アナライト捕捉部２４の洗浄液を含む第２液体は、第２液体供給口２２に点着される。これにより、第２液体供給口２２を介して第２液体が第１チャンバー１０外から第１チャンバー１０に流れる。なお、第２液体供給口２２が接続される第１チャンバー１０外は、基板１００内に設けられる他のチャンバーであってもよい。すなわち、第２液体供給口２２は、第１チャンバー１０と基板１００内の他のチャンバーとを連通してもよい（後述する実施の形態５参照）。
【００３５】
アナライト捕捉部２４は、第１チャンバー１０内に位置し、第１液体中のアナライトが捕捉される領域である。より具体的には、アナライト捕捉部２４は、第１部分１２に位置する。例えば、アナライト捕捉部２４は固相３０１に相当し、アナライト捕捉部２４を形成するベース基板１０２の表面に一次抗体３０２が固定されている。あるいは、固相３０１が磁性材料で構成される場合には、アナライト捕捉部２４の近傍に配置される磁石の磁力によって、磁性材料に結合したアナライトがアナライト捕捉部２４において捕捉される（なお、アナライトが結合していない磁性材料もアナライト捕捉部２４において捕捉される）。アナライト捕捉部２４において、上述した標識物質３０５のシグナルが生成される。すなわち、アナライト捕捉部２４は、アナライトの取得部に相当する。標識物質３０５が電子メディエーターの場合には、アナライト捕捉部２４に少なくとも作用極及び対極が配置される（図５参照）。
【００３６】
第２排気孔２６は、第１チャンバー１０と基板１００外とを連通する貫通孔である。より具体的には、第２排気孔２６は、第１チャンバー１０の第２部分１４と基板１００外とを連通する。本実施の形態では、第２排気孔２６は、カバー基板１０６の第１主表面１０６ａから第２主表面１０６ｂまで延在する貫通孔によって構成されている。第２排気孔２６は、閉鎖された状態から開放された状態に切り替え可能である。第１チャンバー１０内の気体は、開放された状態にある第２排気孔２６を介して基板１００外に流れることができる。
【００３７】
本実施の形態では、センサ１は、第２排気孔２６を閉鎖する封止部材２８を備える。封止部材２８は、例えば接着テープ等で構成され、第２排気孔２６を被覆するようにカバー基板１０６の第１主表面１０６ａに設けられる。この封止部材２８を取り外すことで、あるいは封止部材２８に穴を開けることで、第２排気孔２６を閉鎖状態から開放状態に切り替えることができる。
【００３８】
なお、第２排気孔２６は、カバー基板１０６を形成する材料が第２排気孔２６内に存在することで閉鎖されてもよい。すなわち、カバー基板１０６の一部分によって第２排気孔２６が閉鎖されてもよい。第２排気孔２６内に位置するカバー基板１０６の一部分は、封止部材２８に相当する。当該一部分は、第２排気孔２６周囲の他の部分と一体であってもよい。この場合、例えば、第２流路Ｃ２において毛細管力を発生させるタイミングで、使用者がカバー基板１０６の第２排気孔２６形成領域に穴を開けることで、第２排気孔２６が開放される。カバー基板１０６には、第２排気孔２６が形成される位置の厚みを他の領域よりも薄くする等の、第２排気孔２６の形成を容易にする加工が施されていることが好ましい。
【００３９】
第１チャンバー１０内には、第１液体供給口１８、アナライト捕捉部２４、及び第１排気孔２０をつなぐ第１流路Ｃ１が設けられる。より具体的には、第１流路Ｃ１は、第１部分１２に配置される。すなわち、第１部分１２の第１液体供給口１８から第１排気孔２０までの領域が第１流路Ｃ１を構成している。第１流路Ｃ１は、第１液体供給口１８から第１排気孔２０まで延在する空間である。第１液体供給口１８及び第１排気孔２０は、第１流路Ｃ１においてアナライト捕捉部２４を挟んで配置される。第１液体供給口１８は、第１部分１２における連結部１６が接続される位置１２ａを基準として、第１排気孔２０とは反対側に配置される。
【００４０】
第１液体供給口１８及び第１排気孔２０が開放され、且つ第２排気孔２６が閉鎖された状態で、第１液体供給口１８に第１液体が供給されると、第１液体は、第１排気孔２０からの排気をともなって第１液体供給口１８から第１流路Ｃ１内に引き込まれる。そして、第１液体は、アナライト捕捉部２４に到達し、さらに第１排気孔２０まで移動する。すなわち、第１液体は、毛細管現象によって第１流路Ｃ１を移動してアナライト捕捉部２４に到達し、さらに第１排気孔２０まで引き込まれる。なお、第１排気孔２０に液体を点着した場合には、液体は第１液体供給口１８に向けて移動する。
【００４１】
本実施の形態では、第１液体供給口１８は基板１００の側面に配置される。このため、第１液体は、センサ１の側方（図３のＸ軸方向）から第１液体供給口１８に点着される。なお、特にこの構成に限定されず、例えば、ベース基板１０２又はカバー基板１０６に、第１チャンバー１０と基板１００外とを連通する貫通孔が設けられ、この貫通孔によって第１液体供給口１８が構成されてもよい。この場合、第１液体は、センサ１の下方あるいは上方（図２のＺ軸方向）から第１液体供給口１８に点着される。
【００４２】
第１液体供給口１８は、第１液体供給口１８に点着された第１液体が毛細管力によって第１チャンバー１０内に移動できる開口径を有していればよく、その大きさ及び形状は特に限定されない。第１流路Ｃ１は、上述の毛細管力を発生させられる断面積を有していればよく、その大きさ及び形状は特に限定されない。第１排気孔２０は、第１チャンバー１０から基板１００外へ空気が移動できる開口径を有していればよく、その大きさ及び形状は特に限定されない。
【００４３】
第１液体は、少なくともアナライトが含まれる液体であれば、特に限定されない。例えば、第１液体は、血液や尿等といった人体から採取した検体溶液である。また、第１液体は、この検体溶液に所定の前処理が施されたものや、この検体溶液に試薬等が混合されたものであってもよい。
【００４４】
第１チャンバー１０内には、第２液体供給口２２、アナライト捕捉部２４、及び第２排気孔２６をつなぐ第２流路Ｃ２が設けられる。より具体的には、第２流路Ｃ２は、第１部分１２、連結部１６及び第２部分１４にわたって配置される。すなわち、第１部分１２における第２液体供給口２２から連結部１６が接続される位置１２ａまでの領域、連結部１６、及び第２部分１４における連結部１６が接続される位置１４ａから第２排気孔２６までの領域が、第２流路Ｃ２を構成している。第２流路Ｃ２は、第２液体供給口２２から第２排気孔２６まで延在する空間である。したがって、第１部分１２における第２液体供給口２２から位置１２ａまでの領域において、第１流路Ｃ１と第２流路Ｃ２とは重なっている。
【００４５】
第２液体供給口２２及び第２排気孔２６は、第２流路Ｃ２においてアナライト捕捉部２４を挟んで配置される。また、第２液体供給口２２は、第１部分１２における連結部１６が接続される位置１２ａを基準として、第１液体供給口１８とは反対側に配置される。さらに、アナライト捕捉部２４は、第２流路Ｃ２において第２液体が流れる方向（おおよそ図３におけるＸ軸に平行な方向）で、第１部分１２における位置１２ａと、第２液体供給口２２が設けられる位置、すなわち第２液体供給口２２が接続される位置との間に配置される。
【００４６】
第１液体供給口１８が閉鎖され、且つ第２排気孔２６が開放された状態で、第２液体供給口２２に第２液体が供給されると、第２液体は、第２排気孔２６からの排気をともなって第２液体供給口２２から第２流路Ｃ２内に引き込まれる。そして、第２液体は、アナライト捕捉部２４を通過して、第２排気孔２６側に移動する。すなわち、第２液体は、毛細管現象によって第２流路Ｃ２を移動してアナライト捕捉部２４を通過し、連結部１６を経て第２部分１４に到達する。第２部分１４に到達した第２液体は、第２排気孔２６まで移送される。第２液体がアナライト捕捉部２４を通過することで、アナライト捕捉部２４から第１液体を除去することができる。第１液体は、第２液体とともに第２部分１４に引き込まれる。
【００４７】
第１液体供給口１８の閉鎖は、第１液体供給口１８に第１液体が点着されることによって実現される。すなわち、第１液体供給口１８は第１液体によって塞がれる。また、本実施の形態では、封止部材２８の除去あるいは穿孔によって、第２排気孔２６が開放状態に切り替えられる。このため、第２流路Ｃ２に毛細管力を発生させて第２液体を第２部分１４に引き込むタイミングを、簡単に制御することができる。
【００４８】
本実施の形態では、第２液体供給口２２は、カバー基板１０６に配置される。このため、第２液体は、センサ１の上方（図２のＺ軸方向）から第２液体供給口２２に点着される。なお、特にこの構成に限定されず、例えば、ベース基板１０２に第１チャンバー１０と基板１００外とを連通する貫通孔が設けられ、この貫通孔によって第２液体供給口２２が構成されてもよい。この場合、第２液体は、センサ１の下方（図２のＺ軸方向）から第２液体供給口２２に点着される。また、第２液体供給口２２は、第１液体供給口１８と同様に基板１００の側面に設けられてもよい。第１排気孔２０及び第２排気孔２６についても同様に、基板１００の側面やベース基板１０２に設けられてもよい。
【００４９】
第２液体供給口２２は、第２液体供給口２２に点着された第２液体が毛細管力によって第１チャンバー１０内に移動できる開口径を有していればよく、その大きさ及び形状は特に限定されない。第２流路Ｃ２は、上述の毛細管力を発生させられる断面積を有していればよく、その大きさ及び形状は特に限定されない。第２排気孔２６は、第１チャンバー１０から基板１００外へ空気が移動できる開口径を有していればよく、その大きさ及び形状は特に限定されない。
【００５０】
２つの第２部分１４に設けられる第２排気孔２６は、それぞれ独立に閉鎖状態から開放状態に切り替えることができる。したがって、一方の第２排気孔２６のみが開放された場合は、第２排気孔２６が開放された側の第２部分１４のみに第１液体及び第２液体が引き込まれる。両方の第２排気孔２６が開放された場合は、第１液体及び第２液体の一部が一方の第２部分１４に引き込まれ、第１液体及び第２液体の他の一部が他方の第２部分１４に引き込まれる。
【００５１】
第２液体は、Ｂ／Ｆ分離に用いられる洗浄液を含む液体である。洗浄液としては、例えば界面活性剤を含む水系溶媒を挙げることができる。洗浄液に用いられる界面活性剤としては、抗原抗体反応等の反応に影響を与えないものであることが好ましい。このような界面活性剤としては、例えば非イオン性界面活性剤を挙げることができる。非イオン性界面活性剤としては、例えば、ＴＷＥＥＮ（登録商標）系界面活性剤（ポリオキシエチレンソルビタン脂肪酸エステル類）、ＴＲＩＴＯＮ（登録商標）系界面活性剤（ポリオキシエチレンｐ−ｔ−オクチルフェニルエーテル類）が挙げられる。また、第２液体は、洗浄液とともに、標識物質３０５に応じたシグナルを生成させるための基質を含んでもよい。例えば、アナライトの測定系が化学発光や生物発光をシグナルとして測定する系である場合、第２液体は洗浄液とともに、ルミノール系やジオキセタン系等の発光基質を含み得る。また、アナライトの測定系が電気化学発光をシグナルとして測定する系である場合、第２液体は洗浄液とともに、トリプロピルアミン（ＴＰＡ）等の電子メディエーターを含み得る。
【００５２】
また、アナライトの測定系が電気化学シグナルを測定する系である場合、第２液体は洗浄液とともに、フェリシアン化カリウムやキノン類化合物等の電子メディエーターを含み得る。また、アナライトの測定系が吸光度、言い換えれば色素をシグナルとして測定する系である場合、第２液体は洗浄液とともに、発色基質を含み得る。なお、本明細書における「電子メディエーター」とは、酸化還元反応において電子の授受の媒体となる物質をいう。シグナルの測定系に応じて、電子メディエーターは、酸化体となる場合もあれば還元体となる場合もある。
【００５３】
全ての第２部分１４の容積と、全ての連結部１６の容積との合計（以下では、合計容積Ａと称する）は、第１部分１２におけるアナライト捕捉部２４の容積と、第１排気孔２０からアナライト捕捉部２４までの容積との合計（以下では、合計容積Ｂと称する）よりも大きいことが望ましい。すなわち、センサ１が第２部分１４と連結部１６とをそれぞれＮ個備える場合（Ｎは１以上の整数）、Ｎ個の第２部分１４の容積とＮ個の連結部１６の容積との合計容積Ａは、第１部分１２におけるアナライト捕捉部２４の容積と、第１排気孔２０からアナライト捕捉部２４までの容積との合計容積Ｂよりも大きいことが望ましい。Ｂ／Ｆ分離では、アナライト捕捉部２４に存在する第１液体を第２液体で置換する必要がある。このため、合計容積Ａ及び合計容積Ｂを上述の関係とすることで、アナライト捕捉部２４に存在する第１液体を、より確実に第２液体で置換することができる。
【００５４】
第１チャンバー１０内の壁面の少なくとも一部、例えばベース基板１０２の第１主表面１０２ａ、スペーサ部材１０４のスリット１０４ａの壁面、及びカバー基板１０６の第２主表面１０６ｂの少なくとも１つや、第１液体供給口１８、第２液体供給口２２等には、所定の親水性処理が施されてもよい。親水性処理を施すことで、第１流路Ｃ１あるいは第２流路Ｃ２に生じる毛細管力を増大させることができ、毛細管現象により円滑あるいは確実に液体を移送することができる。親水性処理としては、第１チャンバー１０の壁面や液体供給口への、非イオン系、カチオン系、アニオン系あるいは両イオン系の界面活性剤の塗布や、コロナ放電処理等を挙げることができる。また、親水性処理としては、第１チャンバー１０の壁面や液体供給口の表面への微細な凹凸構造の形成等を挙げることができる（例えば、特開２００７−３３６１号公報を参照）。
【００５５】
続いて、用いられるアナライトの測定手法に応じた、言い換えれば測定するシグナルの種類に応じたセンサ１の構成について説明する。本実施の形態に係るセンサ１は、採用されるアナライトの測定手法に応じて、各構成要素が変更され得る。
【００５６】
＜電気化学シグナル測定系＞
アナライトの測定系が電流や電圧等の電気化学シグナルを測定する系である場合、標識抗体３０７中の標識物質３０５は、例えば酸化還元酵素である。この場合、センサ１は、酸化還元酵素による酸化還元反応で電子の授受がなされた電子メディエーターから電気化学シグナルを取得する。あるいは、センサ１は過酸化水素から電気化学シグナルを取得する。センサ１は、電極を用いてこれらの電気化学シグナルを取得する。また、標識物質３０５は、例えばフェロセン等の電子メディエーターである。この場合、例えばレドックスサイクリングにより増幅された電流が電気化学シグナルとされ、センサ１は、この電気化学シグナルを電極を用いて取得する。
【００５７】
図５は、実施の形態１に係るセンサ１が備える電極パターンの一例を模式的に示す図である。センサ１は、電気化学シグナルを測定する系に用いられる場合、少なくともベース基板１０２の第１主表面１０２ａが絶縁性を有する。そして、センサ１は、ベース基板１０２のアナライト捕捉部２４に対応する領域に、作用極３０及び対極３２を有する。本実施の形態では、作用極３０及び対極３２に加えて、参照極３４を有する。
【００５８】
また、センサ１は、測定装置に電気的に接続される接続部３６を有する。センサ１が測定装置に電気的に接続されることで、電気化学シグナルを取得するための電圧又は電流が測定装置からセンサ１に印加される。この電圧又は電流がセンサ１に印加されることで、センサ１がアナライト分析によって取得した電気化学シグナルが、測定装置によって測定される。図５において、斜線が付された領域が、スペーサ部材１０４及びカバー基板１０６が積層される領域である。ベース基板１０２の端部に位置する、斜線が付されていない領域は、ベース基板１０２の露出領域である。露出領域において、作用極３０、対極３２及び参照極３４の一部が露出する。この露出領域が接続部３６を構成する。
【００５９】
電極の材料としては、例えば、金、白金、パラジウム等の金属材料や、カーボンペースト等が挙げられる。電極は、例えば以下のようにしてベース基板１０２に形成することができる。すなわち、金属材料のスパッタリングによってベース基板１０２の第１主表面１０２ａに電極パターン形状の薄膜を形成することで、電極を形成することができる。あるいは、第１主表面１０２ａに積層された薄膜にレーザーカッティング等を施すことで、電極を形成することができる。あるいは、第１主表面１０２ａに電極パターン形状のカーボンペーストをプリントすることで、電極を形成することができる。なお、カバー基板１０６に電極及び接続部３６が設けられてもよい。
【００６０】
＜電気化学発光測定系＞
アナライトの測定系が電気化学発光を測定する系である場合、標識物質３０５は、例えばルテニウム錯体やオスミウム錯体等の電気化学発光体である。この場合、センサ１は、ＴＰＡ等の電子メディエーターの存在下で所定電圧が印加されることで生じる電気化学発光体の発光を、シグナルとして取得する。センサ１は、電気化学シグナル測定系に用いられる場合と同様の電極構造を有する。なお、電気化学発光測定系では、電気化学発光体からの発光が、測定装置によってカバー基板１０６側で測定される。このため、カバー基板１０６の少なくともアナライト捕捉部２４に対応する部分は、透光性を有する必要がある。なお、カバー基板１０６に電極及び接続部３６が設けられ、ベース基板１０２側で発光が測定されてもよい。この場合、ベース基板１０２の少なくともアナライト捕捉部２４に対応する部分が透光性を有する。
【００６１】
＜化学／生物発光測定系＞
アナライトの測定系が化学発光又は生物発光を測定する系である場合、標識物質３０５は、例えばペルオキシダーゼ、アルカリフォスファターゼ、ルシフェラーゼ等の酵素である。この場合、アナライト捕捉部２４に化学発光基質が導入されることで、アナライト捕捉部２４に存在する標識物質３０５、すなわち酵素によって、化学発光基質から発光シグナルが生成される。なお、酵素に代えて化学発光物質を標識物質３０５に採用し、アナライト捕捉部２４に酵素を導入するようにしてもよい。また、化学発光物質と発光触媒基質との組み合わせにより発光シグナルを生成する発光系等の、酵素を使用しない発光系を採用してもよい。
【００６２】
センサ１が取得する発光シグナルは、測定装置によって、ベース基板１０２側又はカバー基板１０６側で測定される。このため、発光シグナルを測定する側の基板は、アナライト捕捉部２４に対応する部分が透光性を有する必要がある。一方で、アナライト捕捉部２４に対応する部分以外の部分も透光性を有すると、不要な発光シグナルが測定され、アナライトの測定精度が低下する可能性がある。
【００６３】
すなわち、酵素は、化学／生物発光基質と接触することで即座に発光シグナルを生成する。また、化学発光物質は、発光触媒基質と接触することで即座に発光シグナルを生成する。このため、第１液体がアナライト捕捉部２４に到達した後、発光基質を含む第２液体が第２液体供給口２２から供給されて第２排気孔２６側まで引き込まれた際に、アナライト捕捉部２４よりも第１液体供給口１８側や第２排気孔２６側に移動した発光基質からも発光シグナルが生成され得る。測定装置の光検出部が配される側の基板の全体が透光性を有すると、アナライト捕捉部２４以外の領域で発生する発光シグナルも測定されてしまう。この発光シグナルはノイズとなるため、アナライトの測定精度が低下するおそれがある。
【００６４】
これに対し、本実施の形態に係るセンサ１では、光検出部が配される側の基板が、アナライト捕捉部２４に対応する部分以外の少なくとも一部の領域に遮光部１０６ｃを有する。図６は、実施の形態１に係るセンサ１が備える遮光部１０６ｃの一例を模式的に示す図である。図６では、一例として、カバー基板１０６が遮光部１０６ｃを含む場合のセンサ１が図示されている。
【００６５】
図６に示すようにセンサ１は、アナライト捕捉部２４と重なる部分と、第１部分１２におけるアナライト捕捉部２４よりも第２液体供給口２２側の領域と重なる部分とに、透光部が設けられている。そして、それ以外の部分、すなわち、第１部分１２におけるアナライト捕捉部２４よりも第１液体供給口１８側の領域、連結部１６及び第２部分１４と重なる部分に遮光部１０６ｃが設けられている。遮光部１０６ｃを設けることで、ノイズ源となる発光シグナルが基板１００外に出射されることを抑制することができる。なお、アナライト捕捉部２４と重なる部分を除く全ての部分に遮光部１０６ｃが設けられることがより好ましい。
【００６６】
＜蛍光測定系＞
アナライトの測定系が蛍光を測定する系である場合、標識物質３０５は、例えば蛍光物質である。この場合、センサ１は、蛍光物質への励起光の照射によって生成される蛍光をシグナルとして取得する。また、標識物質３０５は、例えばアルカリフォスファターゼ等の酵素である。この場合、例えば４−メチルウンベリフェリルリン酸等の蛍光基質が導入され、この蛍光基質と酵素が反応して得られる蛍光物質に励起光が照射されることで、シグナルとしての蛍光が生成される。
【００６７】
蛍光シグナルを測定する構成としては、ベース基板１０２側から励起光を照射して、ベース基板１０２側から蛍光シグナルを測定する構成や、カバー基板１０６側から励起光を照射して、カバー基板１０６側から蛍光シグナルを測定する構成を挙げることができる。この場合、励起光の照射及び蛍光シグナルの測定が実施される側の基板は、少なくともアナライト捕捉部２４に対応する部分が、励起光及び蛍光シグナルを透過できる透光性材料で構成される。
【００６８】
また、蛍光シグナルを測定する他の構成としては、ベース基板１０２及びカバー基板１０６の一方の基板側から励起光を照射して、他方の基板側から蛍光シグナルを測定する構成を挙げることができる。この場合、励起光が照射される側の基板は、少なくともアナライト捕捉部２４に対応する部分が、励起光を透過できる透光性材料で構成される。また、蛍光シグナルが測定される側の基板は、少なくともアナライト捕捉部２４に対応する部分が、蛍光シグナルを透過できる透光性材料で構成される。
【００６９】
＜吸光度測定系＞
アナライトの測定系が吸光度を測定する系である場合、標識物質３０５は、例えばペルオキシダーゼやジアホラーゼ等の酵素である。この場合、アナライト捕捉部２４に発色基質が導入され、この発色基質と酵素が反応して発色基質から色素が生成され、この色素に所定波長の光が照射されることで、シグナルとしての吸光度が得られる。
【００７０】
吸光度を測定する構成としては、ベース基板１０２及びカバー基板１０６の一方の基板側から所定波長の光を照射して、透過光を他方の基板側から測定する構成を挙げることができる。この場合、ベース基板１０２及びカバー基板１０６は、少なくともアナライト捕捉部２４に対応する部分が、照射した光を透過できる透光性材料で構成される。
【００７１】
また、吸光度を測定する他の構成としては、ベース基板１０２側から所定波長の光を照射して、反射光をベース基板１０２側で測定する構成や、カバー基板１０６側から所定波長の光を照射して、反射光をカバー基板１０６側で測定する構成を挙げることができる。この場合、光の照射及び反射光の測定が実施される側の基板は、少なくともアナライト捕捉部２４に対応する部分が、照射した光を透過できる透光性材料で構成される。
【００７２】
本実施の形態に係るセンサ１は、アナライトの測定系によらず、いずれかの基板におけるアナライト捕捉部２４に対応する表面に一次抗体３０２を固定する手法と、磁性材料に一次抗体３０２を固定する手法とのいずれにも用いることができる。すなわち、基板を固相３０１としてもよいし、磁性材料を固相３０１としてもよい。
【００７３】
金属基板を固相３０１とする場合、例えば自己組織化単分子膜（Ｓｅｌｆ−Ａｓｓｅｍｂｌｅｄ  Ｍｏｎｏｌａｙｅｒ；ＳＡＭ）によって、基板の表面に一次抗体３０２を固定することができる。他の固定方法としては、物理吸着や化学結合等が挙げられる。磁性材料を固相３０１とする場合、アナライト捕捉部２４において磁性材料を捕捉するための磁石がアナライト捕捉部２４の近傍に配置される。磁石は、例えばベース基板１０２の第２主表面１０２ｂ側や、カバー基板１０６の第１主表面１０６ａ側に配置される。なお、磁石は、センサ１が備えてもよいし、センサ１が取得するシグナルの測定装置が備えてもよい。
【００７４】
なお、電気化学発光測定系、化学／生物発光測定系において磁性材料を固相３０１とする場合、磁石は、発光を測定する側とは反対の基板側に配置されることが好ましい。
【００７５】
また、蛍光測定系において、同じ基板側で励起光の照射と蛍光シグナルの測定とが実施される構成を備え、且つ磁性材料を固相３０１とする場合、磁石は、励起光の照射と蛍光シグナルの測定とが実施される側とは反対の基板側に配置されることが好ましい。また、蛍光測定系において、ベース基板１０２及びカバー基板１０６の一方の基板側から励起光を照射して、他方の基板側から蛍光シグナルを測定する構成を備える場合は、基板に一次抗体３０２を固定する手法を用いることが好ましい。
【００７６】
また、吸光度測定系において、同じ基板側で光照射と反射光の測定とが実施される構成を備え、且つ磁性材料を固相３０１とする場合、磁石は、光照射と反射光測定とが実施される側とは反対の基板側に配置されることが好ましい。また、吸光度測定系において、ベース基板１０２及びカバー基板１０６の一方の基板側から所定波長の光を照射して、透過光を他方の基板側から測定する構成を備える場合は、基板に一次抗体３０２を固定する手法用いることが好ましい。
【００７７】
（変形例１）
上述した実施の形態１に係るセンサ１には、変形例１を挙げることができる。以下、変形例１に係るセンサ１について、実施の形態１と異なる構成を中心に説明する。実施の形態１と同一の構成については同一の符号を付し、その説明は簡略化するか適宜省略する。図７（Ａ）は、カバー基板１０６側から見た場合の変形例１に係るセンサ１の内部構造を模式的に示す平面図である。図７（Ｂ）は、図７（Ａ）における第１排気孔２０周辺の拡大図である。図７（Ａ）では、説明の便宜上、カバー基板１０６に設けられる第１排気孔２０、第２液体供給口２２及び第２排気孔２６も図示している。
【００７８】
実施の形態１に係るセンサ１では、第２液体供給口２２が第１排気孔２０を兼ねている。これに対し、変形例１に係るセンサ１では、第２液体供給口２２は、第１チャンバー１０と基板１００外とを連通するが、第１排気孔２０とは別体である。第１排気孔２０は、基板１００の主表面（例えば第２主表面１０２ｂや第１主表面１０６ａ）に対して直交する方向（図２のＺ軸方向）から見て、第２流路Ｃ２における第２液体供給口２２とアナライト捕捉部２４との間に配置される。
【００７９】
また、アナライト捕捉部２４は、第２流路Ｃ２において第２液体が流れる方向で、第１部分１２における連結部１６が接続される位置１２ａと、第１排気孔２０が設けられる位置との間に配置される。したがって、第１排気孔２０は、第１流路Ｃ１あるいは第２流路Ｃ２において、第１部分１２の位置１２ａよりも第２液体供給口２２側に配置される。第１排気孔２０は、ベース基板１０２側に設けられてもよいし、カバー基板１０６側に設けられてもよい。
【００８０】
また、第２流路Ｃ２は、第２流路Ｃ２の中心線Ｌに対して平行な方向（図７（Ａ）のＸ軸方向）で第１排気孔２０と重なる位置において、中心線Ｌに対して直交する方向（図７（Ａ）のＹ軸方向）で第１排気孔２０と重ならない領域Ｒを有する。言い換えれば、第２流路Ｃ２の第１排気孔２０が位置する部分の流路幅（流路幅方向の長さＷ１）は、流路幅方向に対して平行な方向における第１排気孔２０の長さＷ２よりも大きい。あるいは、第２流路Ｃ２の中心線Ｌに対して直交する方向における第１排気孔２０の長さＷ２は、当該方向における、第２流路Ｃ２の第１排気孔２０が位置する部分の長さＷ１よりも短い。あるいは、第２液体の流れに対して直交する方向における第１排気孔２０の長さＷ２は、当該方向における、第２流路Ｃ２の第１排気孔２０が位置する部分の長さＷ１よりも短い。
【００８１】
図７（Ａ）のＹ軸方向において、第１排気孔２０が第１部分１２の一端側から他端側まで延在すると、第２液体供給口２２に点着される第２液体は、第１排気孔２０を超えてアナライト捕捉部２４側へ移動することができない。これに対し、第２流路Ｃ２に第１排気孔２０と重ならない領域Ｒを形成することで、第２液体の移動が第１排気孔２０によって阻害されることを防ぐことができる。
【００８２】
なお、図７（Ａ）のＹ軸方向において、第１排気孔２０を第１部分１２の一端側から他端側まで延在させる場合には、第２液体の移送時に第１排気孔２０の少なくとも一部を閉鎖する必要がある。
【００８３】
続いて、変形例１に係るセンサ１を例に挙げて、本実施の形態に係るアナライトの分析方法について説明する。本実施の形態に係るアナライトの分析方法は、以下の工程Ａ〜Ｃを含む。
工程Ａ：第２排気孔２６が閉鎖された状態で、第１液体Ｆ１を第１液体供給口１８に供給する。
工程Ｂ：工程Ａの後に、第２液体Ｆ２を第２液体供給口２２に供給する。
工程Ｃ：工程Ａの後であり、且つ工程Ｂの前、後、又は同時に、第２排気孔２６を開放する。
【００８４】
工程Ａにおいて、毛細管現象により第１液体Ｆ１がアナライト捕捉部２４まで移送され、さらに第１排気孔２０まで移送される。また、工程Ｂ及び工程Ｃにより、第２液体Ｆ２が毛細管現象により第２液体供給口２２からアナライト捕捉部２４まで移送される。そして、第２液体Ｆ２は、アナライト捕捉部２４を通過して、アナライト捕捉部２４から第１液体Ｆ１が除去される。アナライト捕捉部２４を通過した第２液体Ｆ２は、さらに第２排気孔２６まで移送される。
【００８５】
本発明者は、変形例１に係るセンサ１を用いて、実際に第１液体及び第２液体の移送を確認した。図８（Ａ）〜図８（Ｆ）は、変形例１に係るセンサ１において第１液体及び第２液体が移送される様子を示す写真である。なお、本発明者は、実施の形態１に係るセンサ１でも同様の結果が得られることを確認している。
【００８６】
図８（Ａ）は、第１液体Ｆ１及び第２液体Ｆ２のそれぞれが、第１液体供給口１８及び第２液体供給口２２に点着される前のセンサ１の状態を写した写真である。なお、第２排気孔２６及び封止部材２８は表示されていないが、第２排気孔２６は封止部材２８によって閉鎖された状態である。第１排気孔２０は開放された状態である。
【００８７】
図８（Ｂ）は、第１液体供給口１８に第１液体Ｆ１が点着された状態を写した写真である。第１液体Ｆ１は、第１液体供給口１８に点着されると、毛細管現象により第１部分１２に引き込まれ、第１排気孔２０まで移送される。なお、本実験では、第１液体Ｆ１として全血を用いた。
【００８８】
図８（Ｃ）は、第２排気孔２６が開放された状態を写した写真である。第２排気孔２６が開放されると、わずかではあるが第１液体Ｆ１が第２排気孔２６側に移送される。本実験では、第１液体Ｆ１は、連結部１６内まで移動した。
【００８９】
図８（Ｄ）〜図８（Ｆ）は、第２液体供給口２２に第２液体Ｆ２を点着した後の経時的な状態の変化を写した写真である。図８（Ｄ）、図８（Ｅ）、図８（Ｆ）の順で時間が経過した。なお、本実験では、第２液体Ｆ２として洗浄液を用いた。図８（Ｄ）に示すように、第２液体Ｆ２が第２液体供給口２２に点着される際、第１液体供給口１８は第１液体Ｆ１によって閉鎖されている。また、第２排気孔２６は開放されている。このため、図８（Ｅ）に示すように、第２液体供給口２２に点着された第２液体Ｆ２は、毛細管現象により第１部分１２に引き込まれる。これにより、アナライト捕捉部２４に存在する第１液体Ｆ１は、第２液体Ｆ２によって押し出されて第２部分１４に移送される。
【００９０】
そして、図８（Ｆ）に示すように、時間の経過とともに第２液体Ｆ２がさらに第１部分１２に引き込まれる。これにより、第１液体Ｆ１及び第２液体Ｆ２が第２部分１４まで移送される。この結果、第１液体Ｆ１がほぼ完全にアナライト捕捉部２４から除去される。本実験では、第１液体Ｆ１の大部分が第２部分１４に移送され、アナライト捕捉部２４に存在する第１液体Ｆ１がほぼ完全に第２液体Ｆ２で置換されることが確認された。
【００９１】
したがって、固相固定化抗体３０３と、抗原３０４と、標識抗体３０７との抗原抗体反応によって複合体３０８が形成されていれば、アナライト捕捉部２４に存在する複合体３０８を、第２液体Ｆ２によって洗浄することができる。すなわち、センサ１によれば、第１液体Ｆ１及び第２液体Ｆ２の点着と、第２排気孔２６の開放のみによって、Ｂ／Ｆ分離を実行することができる。
【００９２】
（実施例１）
本発明者は、センサ１を用いてアナライトの分析、測定が可能であることを確認すべく、実際にセンサ１を用いてアナライトを分析し、得られたシグナルを測定した。本実施例では、アナライトとしてＴｎＴを用いた。また、ＴｎＴの分析には、磁性粒子を固相とするサンドイッチイムノアッセイ法を用いた。また、分析によって得られるシグナルの測定には、電気化学発光法を用いた。
【００９３】
＜センサの構造＞
本実施例では、変形例１に係るセンサ１を用いた。このセンサ１は、ベース基板１０２の第１主表面１０２ａに、図５に示す電極パターンを有する。電極材料は白金とした。また、ベース基板１０２の第２主表面１０２ｂにおける、アナライト捕捉部２４に対応する位置に、磁石を固定した。これにより、第１液体Ｆ１に含まれる磁性粒子は、アナライト捕捉部２４で捕捉されることになる。ＴｎＴの分析及び測定の全体を通して、磁石はセンサ１に結合した状態である。
【００９４】
＜第１液体の調製＞
まず、第１液体の調製に用いる以下の試薬を調製した。
【００９５】
（ａ）ＴｎＴ溶液（抗原３０４）
ＴｎＴの最終濃度が０ｎＭ、０．１ｎＭ（１．０×１０−１０Ｍ）、１．０ｎＭ（１．０×１０−９Ｍ）、１０ｎＭ（１．０×１０−８Ｍ）となるように、血漿成分にＴｎＴ（Ｆｉｔｚｇｅｒａｌｄ製、３０Ｃ−ＣＰ３０３７）を溶解させた。ＴｎＴ濃度が異なる４つの溶液のそれぞれに血球成分を加え、ヘマトクリット値４５％のＴｎＴ溶液を得た。
【００９６】
（ｂ）ＴｎＴ抗体標識磁性粒子溶液（固相固定化抗体３０３）
第１トロポニン抗体（Ｆｉｔｚｇｅｒａｌｄ製、１０−Ｔ８５Ａ）を、ｐＨ７．４のリン酸緩衝生理食塩水（Ｐｈｏｓｈａｔｅ  Ｂｕｆｆｅｒｅｄ  Ｓａｌｉｎｅ；ＰＢＳ）に溶解し、第１トロポニン抗体の濃度が２μＭである第１トロポニン抗体溶液１ｍｌを調製した。また、ＮＨＳ−Ｂｉｏｔｉｎ（Ｐｉｅｒｃｅ製、２１４２５）をＰＢＳに溶解し、ＮＨＳ−Ｂｉｏｔｉｎの最終濃度が２０ｍＭであるＮＨＳ−Ｂｉｏｔｉｎ溶液を調製した。ＮＨＳは、Ｎ−ヒドロキシサクシンイミドである。
【００９７】
そして、第１トロポニン抗体溶液１ｍｌにＮＨＳ−Ｂｉｏｔｉｎ溶液２μｌを添加し、室温にて３０分間、転倒混和させた。その後、ブロッキングＢｕｆｆｅｒ（０．５Ｍグリシン（和光純薬製、０７７−００７３５）、０．５Ｍ  ＮａＣｌ（和光純薬製、１９１−０１６６５）、ｐＨ８．３）を１ｍｌ加えた。そして、室温にて３０分間、転倒混和させて、ビオチン化抗体溶液（一次抗体３０２）を調製した。
【００９８】
ビオチン化抗体溶液にＰＢＳを加え、第１トロポニン抗体の最終濃度が０．１５μＭとなるように調製した。そして、アビジン標識磁性粒子（メルク社製、粒径２．６μｍ、０．１％  Ｓｏｌｉｄ  Ｃｏｎｔｅｎｔ、ストレプトアビジン固定化磁性粒子ともいう）をＰＢＳでＢｕｆｆｅｒ置換した。ＰＢＳでＢｕｆｆｅｒ置換されたアビジン標識磁性粒子（固相３０１）の溶液と、ビオチン化抗体溶液とを体積比１：２で添加して、ＴｎＴ抗体標識磁性粒子溶液を得た。
【００９９】
（ｃ）ルテニウム錯体標識抗体溶液（標識抗体３０７）
第２トロポニン抗体（Ｈｙｔｅｓｔ製、４Ｔ−１９）をＰＢＳに溶解し、第２トロポニン抗体の最終濃度が０．１ｍＭである第２トロポニン抗体溶液を調製した。また、ＮＨＳ及びＷＳＣ（１−エチル−３−（３−ジメチルアミノプロピル）カルボジイミド）をそれぞれＰＢＳに溶解し、最終濃度がそれぞれ１０ｍＭであるＮＨＳ溶液と、ＷＳＣ溶液とを調製した。
【０１００】
そして、第２トロポニン抗体溶液１０００μｌに、ＮＨＳ溶液及びＷＳＣ溶液を各１００μｌ加え、室温にて１時間、転倒混和して活性化処理を行った。また、ルテニウム（２，２’−ビピリジル）２（４−［３−（Ｎ−ヒドロキシスクシンイミジル−カルボキシ）プロピル］−４’−メチル−２，２’−ビピリジン）（以下、「ルテニウム錯体」と称する）をＰＢＳに溶解して、ルテニウム錯体の濃度が５０ｍＭであるルテニウム錯体溶液を調製した。
【０１０１】
活性化処理が施された第２トロポニン抗体溶液に、得られたルテニウム錯体溶液２０μｌを添加した。そして、室温にて３０分間、転倒混和させ、ルテニル化抗体溶液を調製した。このルテニル化抗体溶液を脱塩カラムにかけて、第２トロポニン抗体に結合しなかったルテニウム錯体を除去した。また、ＰＢＳへのＢｕｆｆｅｒ置換を行った。これにより得られた抗体溶液を、抗体の最終濃度が０．１５μＭとなるように調整し、ルテニウム錯体標識抗体溶液を得た。
【０１０２】
センサ１とは別の反応槽において、ＴｎＴの最終濃度が０ｎＭ（ネガティブコントロール）、０．１ｎＭ、１．０ｎＭ、１０ｎＭである各ＴｎＴ溶液１０μｌに対して、ＴｎＴ抗体標識磁性粒子溶液１０μｌ及びルテニウム錯体標識抗体溶液１０μｌを加えて混合し、ＴｎＴ濃度が異なる複数種の第１液体Ｆ１を得た。各第１液体Ｆ１は、ＴｎＴの抗原抗体反応と、ビオチン−アビジン反応とが実質的に完了した反応溶液である。各第１液体Ｆ１には、反応物と未反応物とが含まれる。
【０１０３】
＜第２液体の調製＞
第２液体Ｆ２として、洗浄／ＴＰＡ溶液を調製した。具体的には、ＴＰＡの濃度が０．１％、ＴＷＥＥＮ（登録商標）２０の濃度が１％となるように、ＴＰＡ及びＴＷＥＥＮ（登録商標）２０を０．１Ｍリン酸緩衝液（ｐＨ６．０）に加えて、洗浄／ＴＰＡ溶液を得た。
【０１０４】
＜アナライトの分析及び測定＞
以下の手順（１）〜（３）にしたがって、ＴｎＴを分析、測定した。
（１）第１液体を調製後、速やかにセンサ１の第１液体供給口１８に第１液体Ｆ１を６μｌ点着し、室温にて５分間放置した。
【０１０５】
（２）５分経過後、第２液体Ｆ２としての洗浄／ＴＰＡ溶液４０μｌをセンサ１の第２液体供給口２２に点着した。さらに、針を用いて封止部材２８に穴を開け、第２排気孔２６を開放状態とした。
【０１０６】
（３）センサ１の作用極３０及び対極３２を電源に接続し、２．４Ｖ電圧を印加した。電圧の印加にともなう発光強度を、Ｉｎｆｉｎｉｔｅ  ２００（ＴＥＣＡＮ製）を用いて測定した。
【０１０７】
各ＴｎＴ濃度について、アナライトを３回分析、測定した。１回の分析、測定に１枚のセンサ１を用いた。したがって、合計で１２枚のセンサ１を用いた。
【０１０８】
＜実験結果＞
図９は、実施例１におけるＴｎＴの測定結果を示す図である。図９に示すように、ネガティブコントロールとＴｎＴ濃度が０．１ｎＭ（１．０×１０−１０Ｍ）のサンプルとでは、発光強度に差異が見られた。また、０．１ｎＭ、１．０ｎＭ（１．０×１０−９Ｍ）、１０ｎＭ（１．０×１０−８Ｍ）の３濃度で作成した検量線（ｙ＝０．８３５９ｘ＋１０．５９９；Ｒ２＝０．９９６９）も、ＴｎＴ濃度に依存していることが確認された。また、同一濃度のサンプル間でばらつきが少なく、再現性が高いことが確認された。
【０１０９】
この結果から、変形例１に係るセンサ１は、Ｂ／Ｆ分離を十分に実施することができ、アナライトの分析及び測定が可能であることが示された。なお、実施の形態１に係るセンサ１についても、変形例１に係るセンサ１と同様にアナライトの分析及び測定が可能であることを、実施例１の結果から理解することができる。
【０１１０】
以上説明した実施の形態１あるいは変形例１に係るセンサ１によれば、第１液体Ｆ１の第１液体供給口１８への点着、第２液体Ｆ２の第２液体供給口２２への点着、及び第２排気孔２６の開放だけで、Ｂ／Ｆ分離を実施して高精度にアナライトを分析、測定することができる。したがって、アナライト測定に用いる装置の簡素化と、アナライト測定の簡便性との両立を図ることができる。
【０１１１】
（実施の形態２）
実施の形態２に係るセンサ１は、第２部分１４及び連結部１６の数、第２排気孔２６の位置及び数が異なる点を除き、変形例１に係るセンサ１と概ね共通の構成を有する。以下、本実施の形態に係るセンサ１について、変形例１と異なる構成を中心に説明する。変形例１と同一の構成については同一の符号を付し、その説明は簡略化するか適宜省略する。図１０及び図１１（Ａ）〜図１１（Ｃ）は、カバー基板１０６側から見た場合の実施の形態２に係るセンサ１の内部構造を模式的に示す平面図である。図１０及び図１１（Ａ）〜図１１（Ｃ）では、説明の便宜上、カバー基板１０６に設けられる第１排気孔２０、第２液体供給口２２及び第２排気孔２６も図示している。
【０１１２】
センサ１は、ベース基板１０２、スペーサ部材１０４及びカバー基板１０６（これらは図２参照）とで構成される基板１００を有する。基板１００内には、第１チャンバー１０が設けられる。第１チャンバー１０は、ベース基板１０２の第１主表面１０２ａによって下面が規定され、スペーサ部材１０４のスリット１０４ａによって側面が規定され、カバー基板１０６の第２主表面１０６ｂによって上面が規定される。
【０１１３】
第１チャンバー１０は、第１部分１２、第２部分１４、及び第１部分１２と第２部分１４とを連結する連結部１６を含む。第１部分１２は、図１１（Ａ）においてハッチングを付した領域である。第２部分１４は、図１１（Ｂ）においてハッチングを付した領域である。連結部１６は、図１１（Ｃ）においてハッチングを付した領域である。本実施の形態のセンサ１は、それぞれ１つの第１部分１２、第２部分１４及び連結部１６を有する。
【０１１４】
センサ１は、第１液体供給口１８、第１排気孔２０及び第２液体供給口２２を有する。第１液体供給口１８、第１排気孔２０及び第２液体供給口２２は、それぞれ第１部分１２と外部とを連通する。第１液体供給口１８は、ベース基板１０２の第１主表面１０２ａ、スペーサ部材１０４のスリット１０４ａ及びカバー基板１０６の第２主表面１０６ｂによって規定される。また、基板１００の主表面の法線方向で、カバー基板１０６の第１部分１２と重なる領域に、第１排気孔２０及び第２液体供給口２２が別体で設けられる。なお、実施の形態１と同様に、第２液体供給口２２が第１排気孔２０を兼ねてもよい。
【０１１５】
第１部分１２における第１液体供給口１８から第１排気孔２０までの空間は、第１排気孔２０が開放された状態で毛細管現象を生じさせる空間であって、第１流路Ｃ１を構成する。第１液体供給口１８に第１液体Ｆ１が点着されると、第１液体Ｆ１は毛細管現象により第１部分１２内に引き込まれる。第１部分１２に引き込まれた第１液体Ｆ１は、第１排気孔２０まで移送される。第１流路Ｃ１における第１液体供給口１８と第１排気孔２０との間の空間には、アナライト捕捉部２４が配置される。さらに、アナライト捕捉部２４は、第１部分１２における連結部１６が接続される位置１２ａと第１排気孔２０との間の空間に配置される。第２液体供給口２２には、第２液体Ｆ２が点着される。
【０１１６】
センサ１は、第２部分１４と外部とを連通する第２排気孔２６を有する。本実施の形態では、第２排気孔２６として、４つの第２排気孔２６ａ，２６ｂ，２６ｃ，２６ｄが設けられる。第２排気孔２６ａ〜２６ｄは、それぞれ封止部材２８で閉鎖される。第２排気孔２６ａ及び第２排気孔２６ｂは、第２部分１４における連結部１６が接続される位置１４ａとは反対側の端部近傍に配置される。第２排気孔２６ｃ及び第２排気孔２６ｄは、ともに第２排気孔２６ａ，２６ｂよりも位置１４ａ寄りに配置される。第２排気孔２６ｄは、第２排気孔２６ｃよりも位置１４ａ寄りに配置される。連結部１６は、一方の端部が第１部分１２に接続され、第１部分１２の延在方向に対して交わる方向に延在し、他方の端部が第２部分１４に接続される。
【０１１７】
第１部分１２における第２液体供給口２２から位置１２ａまでと、連結部１６と、第２部分１４における位置１４ａから第２排気孔２６ａ〜２６ｄまでの空間は、第１液体供給口１８が閉鎖され、第２排気孔２６ａ〜２６ｄのいずれかが開放された状態で毛細管現象を生じさせる空間であって、第２流路Ｃ２を構成する。第２液体供給口２２に第２液体Ｆ２が点着されると、第２液体Ｆ２は毛細管現象により第１部分１２内に引き込まれる。第１部分１２に引き込まれた第２液体Ｆ２は、毛細管現象により連結部１６を通って、第２排気孔２６ａ〜２６ｄのうち開放された排気孔側に移送される。第２流路Ｃ２における第２液体供給口２２と連結部１６との間の空間には、アナライト捕捉部２４が配置される。
【０１１８】
本発明者は、実施の形態２に係るセンサ１を用いて、実際に第１液体Ｆ１及び第２液体Ｆ２の移送を確認した。図１２（Ａ）〜図１２（Ｄ）は、実施の形態２に係るセンサ１において第１液体及び第２液体が移送される様子を示す写真である。図１２（Ａ）〜図１２（Ｄ）では、第１液体Ｆ１が第１液体供給口１８に点着された後、第２排気孔２６ａ〜２６ｄのいずれかが開放され、第２液体供給口２２に第２液体Ｆ２としての洗浄液が点着された後の様子が示されている。図１２（Ａ）は、第２排気孔２６ｂのみが開放されたときの様子を示す。図１２（Ｂ）は、第２排気孔２６ｃのみが開放されたときの様子を示す。図１２（Ｃ）は、第２排気孔２６ｄのみが開放されたときの様子を示す。図１２（Ｄ）は、第２排気孔２６ｄが開放された後（図１２（Ｃ）の状態の後）、第２排気孔２６ａ及び第２排気孔２６ｂが開放されたときの様子を示す。
【０１１９】
図１２（Ａ）及び図１２（Ｂ）に示すように、第２排気孔２６ｂあるいは第２排気孔２６ｃが開放された場合、第１液体Ｆ１及び第２液体Ｆ２が第２部分１４に移送され、アナライト捕捉部２４に存在する第１液体Ｆ１が第２液体Ｆ２に置換されることが確認された。なお、第２排気孔２６ｂが開放された場合の結果から、第２排気孔２６ａが開放される場合もアナライト捕捉部２４に存在する第１液体Ｆ１を第２液体Ｆ２に置換できることを、理解することができる。
【０１２０】
図１２（Ｃ）に示すように、第２排気孔２６ｄが開放された場合、第１液体Ｆ１及び第２液体Ｆ２が第２部分１４に移送されることが確認された。しかしながら、第２排気孔２６ｄが開放された場合は、アナライト捕捉部２４に存在する第１液体Ｆ１が完全に除去されなかった。
【０１２１】
第２排気孔２６ｄは第２流路Ｃ２において、第２排気孔２６ａ〜２６ｃよりもアナライト捕捉部２４寄りに配置されている。したがって、第２流路Ｃ２におけるアナライト捕捉部２４から第２排気孔２６ｄまでの容積は、アナライト捕捉部２４から第２排気孔２６ａ〜２６ｃまでの容積よりも小さい。この容積が、アナライト捕捉部２４に存在する第１液体Ｆ１をアナライト捕捉部２４から除去するために必要な第２液体Ｆ２の量と、第２液体Ｆ２によって第２部分１４側に移送される第１液体Ｆ１の量との合計よりも小さかったため、アナライト捕捉部２４に存在する第１液体Ｆ１が完全に除去されなかったと考えられる。
【０１２２】
このことは、図１２（Ｄ）に示される結果により裏付けられる。すなわち、図１２（Ｄ）に示すように、第２排気孔２６ｄが開放された状態において第２排気孔２６ａ及び第２排気孔２６ｂが開放されると、アナライト捕捉部２４に存在する第１液体Ｆ１が第２液体Ｆ２に置換されることが確認された。これは、第２排気孔２６ａ及び第２排気孔２６ｂの開放によって、毛細管現象により第２部分１４に移送される第１液体Ｆ１及び第２液体Ｆ２の量が増加したためであると考えられる。
【０１２３】
以上の実験結果から、第２部分１４が１つのみの場合であっても、アナライト捕捉部２４に存在する第１液体Ｆ１を第２液体Ｆ２で置換できることが確認された。また、第２排気孔２６の位置は、第２流路Ｃ２におけるアナライト捕捉部２４から第２排気孔２６までの容積が、第１液体Ｆ１の除去に必要な第２液体Ｆ２の量と除去される第１液体Ｆ１の量との合計量の容積以上であることのみを条件として、適宜設定できることが確認された。また、第２排気孔２６を複数設けてもよいことが確認された。本実施の形態によれば、第２部分１４の数を減らすことができるため、センサ１の小型化を図ることができる。
【０１２４】
（実施の形態３）
実施の形態３に係るセンサ１は、第１部分１２に第１試薬層３８及び第２試薬層４０を備える点を除き、実施の形態１に係るセンサ１と概ね共通の構成を有する。以下、本実施の形態に係るセンサ１について、実施の形態１と異なる構成を中心に説明する。実施の形態１と同一の構成については同一の符号を付し、その説明は簡略化するか適宜省略する。図１３（Ａ）は、実施の形態３に係るセンサ１の分解斜視図である。図１３（Ｂ）は、図１３（Ａ）のＡ−Ａ線に沿った断面におけるアナライト捕捉部２４周辺の拡大図である。本実施の形態に係るセンサ１は、一例として、ベース基板１０２に図５に示す電極を備える。なお、採用する測定系に応じて電極の有無は適宜設定することができる。
【０１２５】
センサ１は、第１流路Ｃ１内に第１試薬層３８及び第２試薬層４０を備える。本実施の形態では、第１試薬層３８及び第２試薬層４０は、第１流路Ｃ１におけるアナライト捕捉部２４を含む空間に配置される。第１試薬層３８は、カバー基板１０６の第２主表面１０６ｂに固定され、第２試薬層４０は、ベース基板１０２の第１主表面１０２ａに固定されている。なお、第１試薬層３８及び第２試薬層４０は、第１流路Ｃ１内のアナライト捕捉部２４以外の領域に配置されてもよい。
【０１２６】
第１試薬層３８は、例えばルテニウム錯体標識抗体を含む試薬層である。第１試薬層３８は、例えばカバー基板１０６の第２主表面１０６ｂに所定量のルテニウム錯体標識抗体溶液を滴下し、これを風乾させることで形成される。第２試薬層４０は、例えばＴｎＴ抗体標識磁性粒子を含む試薬層である。第２試薬層４０は、例えばベース基板１０２の第１主表面１０２ａに所定量のＴｎＴ抗体標識磁性粒子溶液を滴下し、これを風乾させることで形成される。貼り合わせる前のベース基板１０２及びカバー基板１０６に第１試薬層３８及び第２試薬層４０を形成した後に、ベース基板１０２、スペーサ部材１０４及びカバー基板１０６を貼り合わせることで、センサ１を製造することができる。
【０１２７】
本実施の形態では、ルテニウム錯体標識抗体とＴｎＴ抗体標識磁性粒子とを別々の試薬層に含有させているが、この構成に限定されない。例えば、センサ１は、ルテニウム錯体標識抗体とＴｎＴ抗体標識磁性粒子とを含む第１試薬層３８のみを備えてもよい。あるいは、センサ１は、ルテニウム錯体標識抗体とＴｎＴ抗体標識磁性粒子とを含む第２試薬層４０のみを備えてもよい。また、第１試薬層３８がＴｎＴ抗体標識磁性粒子を含み、第２試薬層４０がルテニウム錯体標識抗体を含んでもよい。また、第１試薬層３８と第２試薬層４０の両方が、ＴｎＴ抗体標識磁性粒子とルテニウム錯体標識抗体とを含んでもよい。
【０１２８】
また、本実施の形態では、固相３０１として磁性粒子を用いているが、第１流路Ｃ１を構成する基板の表面にＴｎＴ抗体（一次抗体３０２）を固定化させ、固定化されたＴｎＴ抗体の集合を試薬層としてもよい。
【０１２９】
本実施の形態に係るセンサ１によれば、例えば、第１液体Ｆ１として血液等の未処理の検体溶液を第１チャンバー１０内に導入し、その後第２液体Ｆ２を導入するだけで、アナライトの分析、測定が可能である。このため、より簡易にアナライトを分析、測定することができる。
【０１３０】
（実施例２）
本発明者は、実施の形態３に係るセンサ１を用いて、アナライトの分析と得られたシグナルの測定とを実施した。本実施例では、アナライトとしてＴｎＴを用いた。また、ＴｎＴの分析には、磁性粒子を固相とするサンドイッチイムノアッセイ法を用いた。また、分析によって得られるシグナルの測定には、電気化学発光法を用いた。
【０１３１】
＜センサの作製＞
本実施例では、実施の形態３に係るセンサ１を用いた。このセンサ１は、ベース基板１０２の第１主表面１０２ａに、図５に示す電極パターンを有する。電極材料は白金とした。また、ベース基板１０２の第２主表面１０２ｂにおける、アナライト捕捉部２４に対応する位置に、磁石を固定した。これにより、第１液体Ｆ１に含まれる磁性粒子は、アナライト捕捉部２４で捕捉されることになる。ＴｎＴの分析及び測定の全体を通して、磁石はセンサ１に結合した状態である。
【０１３２】
また、以下の手順に従ってカバー基板１０６の第２主表面１０６ｂ、及びベース基板１０２の第１主表面１０２ａに第１試薬層３８及び第２試薬層４０を形成した。
【０１３３】
まず、第１試薬層３８及び第２試薬層４０に用いる以下の試薬を調製した。
【０１３４】
（ａ）ＴｎＴ抗体標識磁性粒子溶液（固相固定化抗体３０３）
第１トロポニン抗体（Ｆｉｔｚｇｅｒａｌｄ製、１０−Ｔ８５Ａ）を、ｐＨ７．４のＰＢＳに溶解し、第１トロポニン抗体の濃度が２μＭである第１トロポニン抗体溶液１ｍｌを調製した。また、ＮＨＳ−Ｂｉｏｔｉｎ（Ｐｉｅｒｃｅ製、２１４２５）をＰＢＳに溶解し、ＮＨＳ−Ｂｉｏｔｉｎの最終濃度が２０ｍＭであるＮＨＳ−Ｂｉｏｔｉｎ溶液を調製した。
【０１３５】
そして、第１トロポニン抗体溶液１ｍｌにＮＨＳ−Ｂｉｏｔｉｎ溶液２μｌを添加し、室温にて３０分間、転倒混和させた。その後、ブロッキングＢｕｆｆｅｒ（０．５Ｍグリシン（和光純薬製、０７７−００７３５）、０．５Ｍ  ＮａＣｌ（和光純薬製、１９１−０１６６５）、ｐＨ８．３）を１ｍｌ加えた。そして、室温にて３０分間、転倒混和させて、ビオチン化抗体溶液（一次抗体３０２）を調製した。
【０１３６】
ビオチン化抗体溶液にＰＢＳを加え、第１トロポニン抗体の最終濃度が０．１５μＭとなるように調製した。そして、アビジン標識磁性粒子（メルク社製、粒径２．６μｍ、０．１％  Ｓｏｌｉｄ  Ｃｏｎｔｅｎｔ）をＰＢＳでＢｕｆｆｅｒ置換した。ＰＢＳでＢｕｆｆｅｒ置換されたアビジン標識磁性粒子溶液（固相３０１）と、ビオチン化抗体溶液とを体積比１：２で添加して、ＴｎＴ抗体標識磁性粒子溶液を得た。
【０１３７】
（ｂ）ルテニウム錯体標識抗体溶液（標識抗体３０７）
第２トロポニン抗体（Ｈｙｔｅｓｔ製、４Ｔ−１９）をＰＢＳに溶解し、第２トロポニン抗体の最終濃度が０．１ｍＭである第２トロポニン抗体溶液を調製した。また、ＮＨＳ及びＷＳＣをそれぞれＰＢＳに溶解し、最終濃度がそれぞれ１０ｍＭであるＮＨＳ溶液と、ＷＳＣ溶液とを調製した。
【０１３８】
そして、第２トロポニン抗体溶液１０００μｌに、ＮＨＳ溶液及びＷＳＣ溶液を各１００μｌ加え、室温にて１時間、転倒混和して活性化処理を行った。また、ルテニウム錯体をＰＢＳに溶解して、ルテニウム錯体の濃度が５０ｍＭであるルテニウム錯体溶液を調製した。活性化処理が施された第２トロポニン抗体溶液に、得られたルテニウム錯体溶液２０μｌを添加した。そして、室温にて３０分間、転倒混和させ、ルテニル化抗体溶液を調製した。
【０１３９】
このルテニル化抗体を脱塩カラムにかけて、第２トロポニン抗体に結合しなかったルテニウム錯体を除去した。また、ＰＢＳへのＢｕｆｆｅｒ置換を行った。これにより得られた抗体溶液を、抗体の最終濃度が０．１５μＭとなるように調整し、ルテニウム錯体標識抗体溶液を得た。
【０１４０】
得られたＴｎＴ抗体標識磁性粒子溶液及びルテニウム錯体標識抗体溶液を、それぞれ抗体の最終濃度が０．０５μＭとなるように混合した。この混合溶液に、最終濃度が５％となるようにスクロースを添加し、また最終濃度が１％となるようにＢＳＡ（ｂｏｖｉｎｅ  ｓｅｒｕｍ  ａｌｂｕｍｉｎ）を添加して、試薬層形成用の抗体溶液を得た。得られた抗体溶液を、ベース基板１０２及びカバー基板１０６の所定領域に各３μｌ滴下した。その後、温度５０℃の恒温槽内に各基板を載置し、３分間放置した。以上の工程により、第１試薬層３８及び第２試薬層４０を形成した。そして、これらの基板と、スペーサ部材１０４とを貼り合わせて、センサ１を作製した。
【０１４１】
＜第１液体の調製＞
第１液体Ｆ１として、ＴｎＴ（抗原）溶液を調製した。具体的には、ＴｎＴの最終濃度が０ｎＭ（ネガティブコントロール）、０．０１ｎＭ、０．１ｎＭ、１．０ｎＭ、１０ｎＭとなるように、標準血清にＴｎＴ（Ｆｉｔｚｇｅｒａｌｄ製、３０Ｃ−ＣＰ３０３７）を溶解させ、ＴｎＴ濃度が異なる５つのＴｎＴ溶液を調製した。
【０１４２】
＜第２液体の調製＞
第２液体Ｆ２として、洗浄／ＴＰＡ溶液を調製した。具体的には、ＴＰＡの濃度が０．１％、ＴＷＥＥＮ（登録商標）２０の濃度が１％となるように、ＴＰＡ及びＴＷＥＥＮ（登録商標）２０を０．１Ｍリン酸緩衝液（ｐＨ６．０）に加えて、洗浄／ＴＰＡ溶液を得た。
【０１４３】
＜アナライトの分析及び測定＞
以下の手順（１）〜（３）にしたがって、ＴｎＴを分析、測定した。
（１）センサ１の第１液体供給口１８に、第１液体Ｆ１としてのＴｎＴ溶液６μｌを点着し、室温にて５分間放置した。
（２）５分経過後、第２液体Ｆ２としての洗浄／ＴＰＡ溶液４０μｌをセンサ１の第２液体供給口２２に点着した。さらに、針を用いて封止部材２８に穴を開け、第２排気孔２６を開放状態とした。
【０１４４】
（３）センサ１の作用極３０及び対極３２を電源に接続し、２．４Ｖ電圧を印加した。電圧の印加にともなう発光強度を、Ｉｎｆｉｎｉｔｅ  ２００（ＴＥＣＡＮ製）を用いて測定した。
【０１４５】
各ＴｎＴ濃度について、アナライトを１回分析、測定した。１回の分析、測定に１枚のセンサ１を用いた。したがって、合計で５枚のセンサ１を用いた。
【０１４６】
＜実験結果＞
図１４は、実施例２におけるＴｎＴの測定結果を示す図である。図１４に示されるように、ネガティブコントロールとＴｎＴ濃度が０．１ｎＭ（１．０×１０−１０Ｍ）のサンプルとでは、発光強度に差異が見られた。また、０．１ｎＭ、１．０ｎＭ（１．０×１０−９Ｍ）、１０ｎＭ（１．０×１０−８Ｍ）の３濃度で作成した検量線（ｙ＝０．５０ｘ＋７．６１；Ｒ２＝０．９７４）も、ＴｎＴ濃度に依存していることが確認された。
【０１４７】
この結果から、実施の形態３に係るセンサ１は、Ｂ／Ｆ分離を十分に実施でき、アナライトの分析及び測定が可能であることが示された。したがって、実施の形態３に係るセンサ１によれば、第１液体Ｆ１の第１液体供給口１８への点着、第２液体Ｆ２の第２液体供給口２２への点着、及び第２排気孔２６の開放だけで、Ｂ／Ｆ分離を実施して高精度にアナライトを分析、測定することができる。したがって、アナライト測定に用いる装置の簡素化と、アナライト測定の簡易性との両立を図ることができる。また、本実施の形態では、センサ１内に固相固定化抗体３０３及び標識抗体３０７が設けられている。これにより、血液等の検体溶液の前処理を省略することができるため、第１液体の調製をより簡略化することができる。よって、より簡便にアナライトを分析、測定することができる。
【０１４８】
（実施の形態４）
実施の形態４に係るセンサ１は、第２液体の収容部を備える点を除き、変形例１に係るセンサ１と概ね共通の構成を有する。以下、本実施の形態に係るセンサ１について、変形例１と異なる構成を中心に説明する。変形例１と同一の構成については同一の符号を付し、その説明は簡略化するか適宜省略する。図１５は、実施の形態４に係るセンサの概略構造を示す斜視図である。
【０１４９】
本実施の形態に係るセンサ１は、ベース基板１０２、スペーサ部材１０４及びカバー基板１０６とで構成される基板１００を有する。カバー基板１０６には、第１チャンバー１０（図７（Ａ）参照）と基板１００外とを連通する第１排気孔２０、第２液体供給口２２及び第２排気孔２６が設けられる。また、センサ１は、第２液体Ｆ２の収容部４２を備える。収容部４２は、例えば液体保持バッグであり、基板１００の外表面上に配置されるとともに、第２液体供給口２２に接続される。収容部４２は、液体を保持できるものであれば特に限定されないが、例えば、アルミ包材や、ポリエチレンテレフタレート（ＰＥＴ）、ポリプロピレン、ポリエチレン等の樹脂材料で形成されるバッグ等が挙げられる。
【０１５０】
収容部４２は、例えばカバー基板１０６の第１主表面１０６ａ上であって、第２液体供給口２２を覆う位置に固定される。また、収容部４２は、第１排気孔２０を覆わない位置に固定される。そして、例えば、基板１００と収容部４２との積層方向で収容部４２と第２液体供給口２２とが重なる位置において、外部から収容部４２に針を突き刺すことで、収容部４２の内部と第２液体供給口２２とを接続する貫通孔と、収容部４２の内部と外部とを接続する貫通孔とが形成される。これにより、収容部４２内の第２液体Ｆ２を、第２排気孔２６の開放により生じる毛細管力によって、第２液体供給口２２から第１チャンバー１０内に導入することができる。本実施の形態に係るセンサ１は、第２液体Ｆ２の収容部４２を備えるため、アナライトの分析、測定をさらに簡易化できる。
【０１５１】
なお、本実施の形態では、第１排気孔２０と第２液体供給口２２とが別体であるが、第１排気孔２０と第２液体供給口２２とは一体であってもよい。すなわち、実施の形態１に係るセンサ１に収容部４２が設けられてもよい。この場合、収容部４２は、第２液体供給口２２の一部を覆うように配置される。これにより、第２液体供給口２２が備える第１排気孔２０の機能、すなわち第１液体Ｆ１をアナライト捕捉部２４に移送するための毛細管力を生じさせる機能を、確保することができる。
【０１５２】
（実施の形態５）
実施の形態５に係るセンサ１は、第２チャンバー４４を有し、第１チャンバー１０と第２チャンバー４４とが連通される点を除き、変形例１に係るセンサ１と概ね共通の構成を有する。以下、本実施の形態に係るセンサ１について、変形例１と異なる構成を中心に説明する。変形例１と同一の構成については同一の符号を付し、その説明は簡略化するか適宜省略する。図１６は、カバー基板１０６側から見た場合の実施の形態５に係るセンサ１の内部構造を模式的に示す平面図である。図１６では、説明の便宜上、カバー基板１０６に設けられる第１排気孔２０及び第２排気孔２６も図示している。
【０１５３】
本実施の形態に係るセンサ１は、第２液体Ｆ２を保持している点で、実施の形態４に係るセンサ１とも共通する。ただし、実施の形態４に係るセンサ１は、基板１００の外部に第２液体Ｆ２を保持するが、本実施の形態に係るセンサ１は、基板１００の内部に第２液体Ｆ２を保持する。
【０１５４】
具体的には、本実施の形態に係るセンサ１は、基板１００内に、第２液体Ｆ２を収容する第２チャンバー４４を備える。第２チャンバー４４は、ベース基板１０２の第１主表面１０２ａと、スペーサ部材１０４のスリット１０４ａと、カバー基板１０６の第２主表面１０６ｂとで区画される。そして、第２液体供給口２２は、第１チャンバー１０と第２チャンバー４４とを連通する。第２液体供給口２２は、ベース基板１０２の第１主表面１０２ａと、スペーサ部材１０４のスリット１０４ａと、カバー基板１０６の第２主表面１０６ｂとで規定される。第２チャンバー４４内には、第２チャンバー４４に収まる容積の収容部４２が配置され、収容部４２に第２液体Ｆ２が収容される。
【０１５５】
このような構成において、例えば、基板１００の外部から収容部４２に針を突き刺すことで、収容部４２の内部と第２チャンバー４４内とを接続する貫通孔が形成される。これにより、収容部４２内の第２液体Ｆ２を、第２排気孔２６の開放により生じる毛細管力によって、第２液体供給口２２から第１チャンバー１０内に導入することができる。本実施の形態に係るセンサ１は、第２液体Ｆ２を収容する第２チャンバー４４を備えるため、アナライトの分析、測定をさらに簡易化できる。
【０１５６】
（実施の形態６）
実施の形態６に係るセンサ１は、第２液体供給口２２が第１液体供給口１８を兼ねている点、及び第２流路Ｃ２が略直線状である点を除き、変形例１に係るセンサ１と概ね共通の構成を有する。以下、本実施の形態に係るセンサ１について、変形例１と異なる構成を中心に説明する。変形例１と同一の構成については同一の符号を付し、その説明は簡略化するか適宜省略する。図１７、図１８（Ａ）及び図１８（Ｂ）は、カバー基板１０６側から見た場合の実施の形態６に係るセンサ１の内部構造を模式的に示す平面図である。図１７、図１８（Ａ）及び図１８（Ｂ）では、説明の便宜上、カバー基板１０６に設けられる第１液体供給口１８、第１排気孔２０、第２液体供給口２２及び第２排気孔２６も図示している。
【０１５７】
本実施の形態に係るセンサ１は、ベース基板１０２、スペーサ部材１０４、及びカバー基板１０６（これらは図２参照）が積層されてなる基板１００内に、第１チャンバー１０を有する。第１チャンバー１０は、第１部分１２、第２部分１４、及び第１部分１２と第２部分１４とを連結する連結部１６を含む。第１部分１２は、図１８（Ａ）においてハッチングを付した領域である。第２部分１４は、図１８（Ｂ）においてハッチングを付した領域である。連結部１６は、第１部分１２と第２部分１４との境界部分である。本実施の形態のセンサ１では、第１部分１２及び第２部分１４は、連結部１６を介して隣接した１つの矩形状の空間である。すなわち、第１部分１２と、連結部１６と、第２部分１４とが直線状に配列されている。なお、第１部分１２と第２部分１４とは、互いに交わる方向に延在してもよい。
【０１５８】
また、センサ１は、第１液体供給口１８と、第１排気孔２０と、第２液体供給口２２と、アナライト捕捉部２４と、第２排気孔２６とを備える。第１液体供給口１８は、第１チャンバー１０と基板１００外とを連通する貫通孔である。より具体的には、第１液体供給口１８は、第１チャンバー１０の第１部分１２と基板１００外とを連通する。本実施の形態では、第１液体供給口１８は、カバー基板１０６に設けられる貫通孔によって構成されている。
【０１５９】
第１排気孔２０は、第１チャンバー１０と基板１００外とを連通する貫通孔である。より具体的には、第１排気孔２０は、第１部分１２と基板１００外とを連通する。本実施の形態では、第１排気孔２０は、カバー基板１０６に設けられる貫通孔によって構成されている。
【０１６０】
第２液体供給口２２は、第１チャンバー１０と基板１００外とを連通する貫通孔である。より具体的には、第２液体供給口２２は、第１部分１２と基板１００外とを連通する。また、第２液体供給口２２は、第１液体供給口１８を兼ねている。すなわち、カバー基板１０６に設けられる貫通孔が、第１液体供給口１８及び第２液体供給口２２として兼用される。第１部分１２は、基板１００の主表面に対して直交する方向（主表面の法線方向）から見て、第１液体供給口１８（第２液体供給口２２）と重なる部分、第１液体供給口１８と第１排気孔２０との間の部分、及び第１排気孔２０と重なる部分で構成される。
【０１６１】
アナライト捕捉部２４は、第１チャンバー１０内に位置し、第１液体Ｆ１中のアナライトが捕捉される領域である。アナライト捕捉部２４は、第１部分１２に位置する。
【０１６２】
第２排気孔２６は、第１チャンバー１０と基板１００外とを連通する貫通孔である。より具体的には、第２排気孔２６は、第１チャンバー１０の第２部分１４と基板１００外とを連通する。本実施の形態では、第２排気孔２６は、カバー基板１０６に設けられる貫通孔によって構成されている。第２排気孔２６には、封止部材２８が設けられる。この封止部材２８の除去あるいは穿孔によって、第２排気孔２６を閉鎖状態から開放状態に切り替えることができる。第２部分１４は、基板１００の主表面に対して直交する方向から見て、第１排気孔２０と第２排気孔２６との間の部分、及び第２排気孔２６と重なる部分で構成される。
【０１６３】
第１チャンバー１０内には、第１液体供給口１８、アナライト捕捉部２４、及び第１排気孔２０をつなぐ第１流路Ｃ１が設けられる。より具体的には、第１流路Ｃ１は、第１部分１２に配置される。すなわち、第１部分１２の第１液体供給口１８から第１排気孔２０までの領域が第１流路Ｃ１を構成している。第１液体供給口１８及び第１排気孔２０は、第１流路Ｃ１においてアナライト捕捉部２４を挟んで配置される。
【０１６４】
第１チャンバー１０内には、第２液体供給口２２、アナライト捕捉部２４、及び第２排気孔２６をつなぐ第２流路Ｃ２が設けられる。より具体的には、第２流路Ｃ２は、第１部分１２、連結部１６及び第２部分１４にわたって配置される。したがって、第１部分１２における第１液体供給口１８から第１排気孔２０までの領域において、第１流路Ｃ１と第２流路Ｃ２とは重なっている。第２液体供給口２２及び第２排気孔２６は、第２流路Ｃ２においてアナライト捕捉部２４を挟んで配置される。
【０１６５】
また、基板１００の主表面に対して直交する方向から見て、第１排気孔２０は、第２排気孔２６とアナライト捕捉部２４との間に配置される。第２流路Ｃ２は、第２流路Ｃ２の中心線Ｌに対して平行な方向（図１７のＸ軸方向）で第１排気孔２０と重なる位置において、中心線Ｌに対して直交する方向（図１７のＹ軸方向）で第１排気孔２０と重ならない領域Ｒを有する。言い換えれば、第２流路Ｃ２の第１排気孔２０が位置する部分の流路幅（図１７のＹ軸方向の長さ）は、流路幅方向の第１排気孔２０の長さよりも大きい。あるいは、第２流路Ｃ２の中心線Ｌに対して直交する方向における第１排気孔２０の長さは、当該方向における、第２流路Ｃ２の第１排気孔２０が位置する部分の長さよりも短い。あるいは、第２液体Ｆ２の流れに対して直交する方向における第１排気孔２０の長さは、当該方向における、第２流路Ｃ２の第１排気孔２０が位置する部分の長さよりも短い。
【０１６６】
図１７のＹ軸方向において、第１排気孔２０が第１部分１２の一端側から他端側まで延在すると、第２液体供給口２２に点着される第２液体Ｆ２は、第１排気孔２０を超えて第２排気孔２６側へ移動することができない。これに対し、第２流路Ｃ２に第１排気孔２０と重ならない領域Ｒを形成することで、第２液体Ｆ２の移動が第１排気孔２０によって阻害されることを防ぐことができる。
【０１６７】
第１液体供給口１８及び第１排気孔２０が開放され、且つ第２排気孔２６が閉鎖された状態で、第１液体供給口１８に第１液体Ｆ１が供給されると、第１液体Ｆ１は、第１排気孔２０からの排気をともなって第１液体供給口１８から第１流路Ｃ１内に引き込まれる。そして、第１液体Ｆ１は、アナライト捕捉部２４に到達し、さらに第１排気孔２０まで移動する。すなわち、第１液体Ｆ１は、毛細管現象によって第１流路Ｃ１を移動してアナライト捕捉部２４に到達し、さらに第１排気孔２０まで引き込まれる。
【０１６８】
第２排気孔２６が開放された状態で、第２液体供給口２２に第２液体Ｆ２が供給されると、第２液体Ｆ２は、第２排気孔２６からの排気をともなって第２液体供給口２２から第２流路Ｃ２内に引き込まれる。そして、第２液体Ｆ２は、アナライト捕捉部２４を通過して、第２排気孔２６側に移動する。すなわち、第２液体Ｆ２は、毛細管現象によって第２流路Ｃ２を移動してアナライト捕捉部２４を通過し、第２部分１４に到達する。第２部分１４に到達した第２液体は、第２排気孔２６まで移送される。第２液体Ｆ２がアナライト捕捉部２４を通過することで、アナライト捕捉部２４から第１液体Ｆ１を除去することができる。本実施の形態によれば、センサ１のさらなる小型化を図ることができる。
【０１６９】
続いて、実施の形態６に係るセンサ１を用いたアナライトの分析方法について説明する。図１９（Ａ）及び図１９（Ｂ）は、実施の形態６に係るセンサ１において第１液体Ｆ１及び第２液体Ｆ２が移送される様子を模式的に示す平面図である。
【０１７０】
本実施の形態に係るセンサ１を用いたアナライトの分析方法は、以下の工程Ａ〜Ｃを含む。
工程Ａ：第２排気孔２６が閉鎖された状態で、第１液体Ｆ１を第１液体供給口１８に供給する。
工程Ｂ：工程Ａの後に、第２液体Ｆ２を第２液体供給口２２に供給する。
工程Ｃ：工程Ａの後であり、且つ工程Ｂの前、後、又は同時に、第２排気孔２６を開放する。
【０１７１】
工程Ａにより、第１液体Ｆ１は、第１液体供給口１８を介して第１チャンバー１０内に引き込まれる。そして、図１９（Ａ）に示すように、第１液体Ｆ１は、毛細管現象によりアナライト捕捉部２４まで移送され、さらに第１排気孔２０まで移送される。また、工程Ｂ及び工程Ｃにより、第２液体Ｆ２は、第２液体供給口２２を介して第１チャンバー１０内に引き込まれる。そして、図１９（Ｂ）に示すように、第２液体Ｆ２は、毛細管現象によりアナライト捕捉部２４まで移送され、さらにアナライト捕捉部２４を超えて第２排気孔２６側に引き込まれる。この過程で、アナライト捕捉部２４に存在する第１液体Ｆ１が第２液体Ｆ２によって押し出され、アナライト捕捉部２４から除去される。
【０１７２】
（変形例２）
変形例２に係るセンサ１は、第１液体供給口１８と第２液体供給口２２とが兼用される点で実施の形態６に係るセンサ１と共通する。また、変形例２に係るセンサ１は、第１液体供給口１８の位置と第１排気孔２０との位置とが互いに入れ替わっている点を除いて、実施の形態１に係るセンサ１と共通する。以下、本変形例に係るセンサ１について、実施の形態１又は６と異なる構成を中心に説明する。実施の形態１又は６と同一の構成については同一の符号を付し、その説明は簡略化するか適宜省略する。
【０１７３】
本変形例に係るセンサ１は、図３に示すセンサ１における第１排気孔２０が第１液体Ｆ１の供給口（以下では、「第１液体供給口１８’」と称する）として機能し、第１液体供給口１８が排気孔（以下では、「第１排気孔２０’」と称する）として機能する。したがって、本変形例に係るセンサ１は、第２液体供給口２２が第１液体供給口１８’を兼ねている。本変形例においても、第１液体供給口１８’及び第１排気孔２０’は、第１流路Ｃ１においてアナライト捕捉部２４を挟んで配置される。そして、第２排気孔２６が閉鎖された状態で、第１液体供給口１８’に点着される第１液体Ｆ１は、第１排気孔２０’からの排気をともなって第１流路Ｃ１内に引き込まれ、アナライト捕捉部２４に到達し、さらに第１排気孔２０’まで移送される。第２流路Ｃ２の構成については、実施の形態１に係るセンサ１と同一である。
【０１７４】
本変形例に係るセンサ１を用いたアナライトの分析は、以下の工程をＡ〜Ｃを含む。
工程Ａ：第２排気孔２６が閉鎖された状態で、第１液体Ｆ１を第２液体供給口２２、すなわち第１液体供給口１８’に点着する。
工程Ｂ：工程Ａの後に、第２液体Ｆ２を第２液体供給口２２に供給する。
工程Ｃ：工程Ａの後で、且つ工程Ｂの前、後、又は同時に、第２排気孔２６を開放する。
【０１７５】
工程Ａが実施されると、第１液体Ｆ１は、毛細管現象によりアナライト捕捉部２４を経て第１排気孔２０’まで移送される。また、工程Ｂ及び工程Ｃが実施されると、第２液体Ｆ２が毛細管現象により第２液体供給口２２からアナライト捕捉部２４を経て第２排気孔２６側に移送される。この過程で、アナライト捕捉部２４に存在する第１液体Ｆ１が第２液体Ｆ２に押し出されて第２部分１４に移動する。これにより、Ｂ／Ｆ分離が実現される。
【０１７６】
（実施の形態７）
実施の形態７に係るセンサ１は、第１液体供給口１８と第２液体供給口２２とが別体で設けられる点、及び第１排気孔２０がアナライト捕捉部２４よりも第２液体供給口２２寄りに配置され、第１液体供給口１８がアナライト捕捉部２４よりも第２排気孔２６寄りに配置される点を除き、実施の形態６に係るセンサ１と概ね共通の構成を有する。以下、本実施の形態に係るセンサ１について、実施の形態６と異なる構成を中心に説明する。実施の形態６と同一の構成については同一の符号を付し、その説明は簡略化するか適宜省略する。図２０、図２１（Ａ）及び図２１（Ｂ）は、カバー基板１０６側から見た場合の実施の形態７に係るセンサ１の内部構造を模式的に示す平面図である。図２０、図２１（Ａ）及び図２１（Ｂ）では、説明の便宜上、カバー基板１０６に設けられる第１液体供給口１８、第１排気孔２０、第２液体供給口２２及び第２排気孔２６も図示している。
【０１７７】
本実施の形態に係るセンサ１は、ベース基板１０２、スペーサ部材１０４、及びカバー基板１０６（これらは図２参照）が積層されてなる基板１００内に、第１チャンバー１０を有する。第１チャンバー１０は、第１部分１２、第２部分１４、及び第１部分１２と第２部分１４とを連結する連結部１６を含む。第１部分１２は、図２１（Ａ）においてハッチングを付した領域である。第２部分１４は、図２１（Ｂ）においてハッチングを付した領域である。連結部１６は、第１部分１２と第２部分１４との境界部分である。本実施の形態のセンサ１では、第１部分１２及び第２部分１４は、連結部１６を介して隣接した１つの矩形状の空間である。すなわち、第１部分１２と、連結部１６と、第２部分１４とが直線状に配列されている。なお、第１部分１２と第２部分１４とは、互いに交わる方向に延在してもよい。
【０１７８】
また、センサ１は、第１液体供給口１８と、第１排気孔２０と、第２液体供給口２２と、アナライト捕捉部２４と、第２排気孔２６とを備える。第１液体供給口１８は、第１チャンバー１０と基板１００外とを連通する貫通孔である。より具体的には、第１液体供給口１８は、第１チャンバー１０の第１部分１２と基板１００外とを連通する。本実施の形態では、第１液体供給口１８は、カバー基板１０６に設けられる貫通孔によって構成されている。
【０１７９】
第１排気孔２０は、第１チャンバー１０と基板１００外とを連通する貫通孔である。より具体的には、第１排気孔２０は、第１部分１２と基板１００外とを連通する。本実施の形態では、第１排気孔２０は、カバー基板１０６に設けられる貫通孔によって構成されている。
【０１８０】
第２液体供給口２２は、第１チャンバー１０と基板１００外とを連通する貫通孔である。より具体的には、第２液体供給口２２は、第１部分１２と基板１００外とを連通する。また、本実施の形態では、第２液体供給口２２は、第１液体供給口１８とは別体である。第２液体供給口２２は、第１排気孔２０とも別体である。第２液体供給口２２は、カバー基板１０６に設けられる貫通孔によって構成されている。第１部分１２は、基板１００の主表面に対して直交する方向（主表面の法線方向）から見て、第１液体供給口１８と重なる部分、第１液体供給口１８と第２液体供給口２２との間の部分、及び第２液体供給口２２と重なる部分で構成される。なお、変形例１と同様に、第２液体供給口２２は、第１排気孔２０を兼ねてもよい。
【０１８１】
アナライト捕捉部２４は、第１チャンバー１０内に位置し、第１液体Ｆ１中のアナライトが捕捉される領域である。アナライト捕捉部２４は、第１部分１２に位置する。
【０１８２】
第２排気孔２６は、第１チャンバー１０と基板１００外とを連通する貫通孔である。より具体的には、第２排気孔２６は、第１チャンバー１０の第２部分１４と基板１００外とを連通する。本実施の形態では、第２排気孔２６は、カバー基板１０６に設けられる貫通孔によって構成されている。第２排気孔２６には、封止部材２８が設けられる。この封止部材２８の除去あるいは穿孔によって、第２排気孔２６を閉鎖状態から開放状態に切り替えることができる。第２部分１４は、基板１００の主表面に対して直交する方向から見て、第１液体供給口１８と第２排気孔２６との間の部分、及び第２排気孔２６と重なる部分で構成される。
【０１８３】
第１チャンバー１０内には、第１液体供給口１８、アナライト捕捉部２４、及び第１排気孔２０をつなぐ第１流路Ｃ１が設けられる。より具体的には、第１流路Ｃ１は、第１部分１２に配置される。すなわち、第１部分１２の第１液体供給口１８から第１排気孔２０までの領域が第１流路Ｃ１を構成している。第１液体供給口１８及び第１排気孔２０は、第１流路Ｃ１においてアナライト捕捉部２４を挟んで配置される。
【０１８４】
第１チャンバー１０内には、第２液体供給口２２、アナライト捕捉部２４、及び第２排気孔２６をつなぐ第２流路Ｃ２が設けられる。より具体的には、第２流路Ｃ２は、第１部分１２、連結部１６及び第２部分１４にわたって配置される。したがって、第１部分１２における第１液体供給口１８から第１排気孔２０までの領域において、第１流路Ｃ１と第２流路Ｃ２とは重なっている。第２液体供給口２２及び第２排気孔２６は、第２流路Ｃ２においてアナライト捕捉部２４を挟んで配置される。
【０１８５】
また、基板１００の主表面に対して直交する方向から見て、第２液体供給口２２及び第２排気孔２６は、第１液体供給口１８、アナライト捕捉部２４及び第１排気孔２０を挟んで配置される。また、アナライト捕捉部２４に対して、第１液体供給口１８と第２排気孔２６とが同じ側に配置され、第２液体供給口２２と第１排気孔２０とが同じ側に配置される。
【０１８６】
また、基板１００の主表面に対して直交する方向から見て、第２流路Ｃ２は、第２流路Ｃ２の中心線Ｌに対して平行な方向（図２０のＸ軸方向）で第１液体供給口１８と重なる位置において、中心線Ｌに対して直交する方向（図２０のＸ軸方向）で第１液体供給口１８と重ならない領域Ｒを有する。言い換えれば、第２流路Ｃ２の第１液体供給口１８が位置する部分の流路幅は、流路幅方向の第１排気孔２０の長さよりも大きい。あるいは、第２流路Ｃ２の中心線Ｌに対して直交する方向における第１液体供給口１８の長さは、当該方向における、第２流路Ｃ２の第１液体供給口１８が位置する部分の長さよりも短い。あるいは、第２液体の流れに対して直交する方向における第１液体供給口１８の長さは、当該方向における、第２流路Ｃ２の第１液体供給口１８が位置する部分の長さよりも短い。
【０１８７】
また、基板１００の主表面に対して直交する方向から見て、第２流路Ｃ２は、中心線Ｌに対して平行な方向で第１排気孔２０と重なる位置において、中心線Ｌに対して直交する方向で第１排気孔２０と重ならない領域Ｒを有する。言い換えれば、第２流路Ｃ２の第１排気孔２０が位置する部分の流路幅は、流路幅方向の第１排気孔２０の長さよりも大きい。あるいは、第２流路Ｃ２の中心線Ｌに対して直交する方向における第１排気孔２０の長さは、当該方向における、第２流路Ｃ２の第１排気孔２０が位置する部分の長さよりも短い。あるいは、第２液体Ｆ２の流れに対して直交する方向における第１排気孔２０の長さは、当該方向における、第２流路Ｃ２の第１排気孔２０が位置する部分の長さよりも短い。
【０１８８】
図２０のＹ軸方向において、第１液体供給口１８が第１部分１２の一端側から他端側まで延在すると、第２液体供給口２２に点着される第２液体Ｆ２は、第１液体供給口１８を超えて第２排気孔２６側へ移動することができない。同様に、第１排気孔２０が第１部分１２の一端側から他端側まで延在すると、第２液体供給口２２に点着される第２液体Ｆ２は、第１排気孔２０を超えて第２排気孔２６側へ移動することができない。これに対し、第２流路Ｃ２に第１液体供給口１８と重ならない領域Ｒ、及び第１排気孔２０と重ならない領域Ｒを形成することで、第２液体Ｆ２の移動が第１液体供給口１８及び第１排気孔２０によって阻害されることを防ぐことができる。
【０１８９】
第１液体供給口１８及び第１排気孔２０が開放され、且つ第２排気孔２６が閉鎖された状態で、第１液体供給口１８に第１液体Ｆ１が供給されると、第１液体Ｆ１は、第１排気孔２０からの排気をともなって第１液体供給口１８から第１流路Ｃ１内に引き込まれる。そして、第１液体Ｆ１は、アナライト捕捉部２４に到達し、さらに第１排気孔２０まで移動する。すなわち、第１液体Ｆ１は、毛細管現象によって第１流路Ｃ１を移動してアナライト捕捉部２４に到達し、さらに第１排気孔２０まで引き込まれる。
【０１９０】
第２排気孔２６が開放された状態で、第２液体供給口２２に第２液体Ｆ２が供給されると、第２液体Ｆ２は、第２排気孔２６からの排気をともなって第２液体供給口２２から第２流路Ｃ２内に引き込まれる。そして、第２液体Ｆ２は、アナライト捕捉部２４を通過して、第２排気孔２６側に移動する。すなわち、第２液体Ｆ２は、毛細管現象によって第２流路Ｃ２を移動してアナライト捕捉部２４を通過し、第２部分１４に到達する。第２液体Ｆ２がアナライト捕捉部２４を通過することで、アナライト捕捉部２４から第１液体Ｆ１を除去することができる。本実施の形態によれば、センサ１のさらなる小型化を図ることができる。
【０１９１】
続いて、実施の形態７に係るセンサ１を用いたアナライトの分析方法について説明する。図２２（Ａ）及び図２２（Ｂ）は、実施の形態７に係るセンサ１において第１液体Ｆ１及び第２液体Ｆ２が移送される様子を模式的に示す平面図である。
【０１９２】
本実施の形態に係るセンサ１を用いたアナライトの分析方法は、以下の工程Ａ〜Ｃを含む。
工程Ａ：第２排気孔２６が閉鎖された状態で、第１液体Ｆ１を第１液体供給口１８に供給する。
工程Ｂ：工程Ａの後に、第２液体Ｆ２を第２液体供給口２２に供給する。
工程Ｃ：工程Ａの後であり、且つ工程Ｂの前、後、又は同時に、第２排気孔２６を開放する。
【０１９３】
工程Ａにより、第１液体Ｆ１は、第１液体供給口１８を介して第１チャンバー１０内に引き込まれる。そして、図２２（Ａ）に示すように、第１液体Ｆ１は、毛細管現象によりアナライト捕捉部２４まで移送され、さらに第１排気孔２０まで移送される。また、工程Ｂ及び工程Ｃにより、第２液体Ｆ２は、第２液体供給口２２を介して第１チャンバー１０内に引き込まれる。そして、図２２（Ｂ）に示すように、第２液体Ｆ２は、毛細管現象によりアナライト捕捉部２４まで移送され、さらにアナライト捕捉部２４を超えて第２排気孔２６側に引き込まれる。この過程で、アナライト捕捉部２４に存在する第１液体Ｆ１が第２液体Ｆ２によって押し出され、アナライト捕捉部２４から除去される。
【０１９４】
＜＜測定装置＞＞
（実施の形態８）
上述した各実施の形態あるいは各変形例に係るセンサ１が用いられる測定装置について説明する。図２３は、実施の形態８に係る測定装置の機能構成の概略を示すブロック図である。図２３では各部を機能ブロックとして描いている。これらの機能ブロックはハードウェア、ソフトウェアの組合せによっていろいろなかたちで実現できることは、当業者には理解されるところである。図２４は、測定装置におけるセンサ支持部周辺を拡大して示す断面図である。図２４では一例として、電気化学シグナル測定系用のセンサ１に用いられる測定装置のセンサ支持部を図示している。また、磁性材料を固相３０１とする測定系に用いられる測定装置のセンサ支持部を図示している。また、図２４では、図３におけるＹ軸方向の所定位置においてＸ軸方向に沿って切断したセンサ１の断面を図示している。
【０１９５】
本実施の形態に係る測定装置２００は、センサ１を用いたアナライトの分析によって取得されるシグナルを検出することで、アナライトを測定する装置である。図２３に示すように、測定装置２００は、制御部２０２、メモリ２０４、表示部２０６、操作部２０８、及び測定部２１０を有する。また、図２４に示すように、測定装置２００は、センサ支持部２１２を有する。
【０１９６】
＜制御部＞
制御部２０２は、各種の演算や情報処理等を実行し、測定装置２００の各ブロックを制御する。制御部２０２は、ハードウェア構成としてはコンピュータのＣＰＵをはじめとする素子や回路で実現され、ソフトウェア構成としてはコンピュータプログラム等によって実現される。制御部２０２は、メモリ２０４に記憶される制御プログラムを適宜読み出して実行する。
【０１９７】
＜メモリ＞
メモリ２０４は、例えば半導体メモリ、磁気記録媒体、光記録媒体等で構成される。メモリ２０４には、測定装置２００の制御プログラムを含む各種情報が記憶される。
【０１９８】
＜表示部＞
表示部２０６は、例えば液晶ディスプレイ等で構成される。表示部２０６は、制御部２０２の制御の下で各種情報を表示する。
【０１９９】
＜操作部＞
操作部２０８は、測定装置２００の使用者が各種の入力操作を実行するためのものである。操作部２０８を介して入力される情報は、操作部２０８から制御部２０２に送られる。なお、表示部２０６が操作部２０８の機能を兼ね備えてもよい。例えば、表示部２０６は、使用者の接触を検出するセンサを含むタッチパネルを備え、これにより操作部２０８としても機能することができる。使用者は、例えば表示部２０６に表示されるソフトキーをタッチ操作することで、測定装置２００の各種操作を実行することができる。なお、表示部２０６に組み込まれる操作部２０８の構成は、タッチパネル式に限定されない。また、操作部２０８は、ハードキーを備える構成や、タッチパネル式とハードキーとが組み合わされた構成等であってもよい。
【０２００】
＜測定部＞
測定部２１０は、センサ１で生成されるシグナルを検出し、測定する。測定部２１０は、センサ１に採用される測定系に応じて、測定に必要な各種の構成を備える。以下、各測定系に応じた測定部２１０の構成について説明する。
【０２０１】
＜電気化学シグナル測定系＞
アナライトの測定系が電気化学シグナル測定系である場合、図２４に示すように、測定部２１０は、コネクタ２１４を備える。コネクタ２１４は、電極２１６を有する。コネクタ２１４にセンサ１の接続部３６が差し込まれると、センサ１に設けられる電極（図５参照）が電極２１６に電気的に接続される。測定部２１０は、電極２１６を介して電気的に接続されたセンサ１に対して所定の電圧を印加する。これにより測定部２１０は、センサ１から電流値を取得する。
【０２０２】
そして、測定部２１０は、得られた電流値を示す信号を制御部２０２に送信する。メモリ２０４には、電流値とアナライトの濃度とを対応づけた変換テーブルが記憶されている。制御部２０２は、取得した電流値と変換テーブルとを用いて、アナライトの濃度を測定する。そして、制御部２０２は例えば、得られたアナライト濃度を表示部２０６に表示させる。
【０２０３】
＜電気化学発光測定系＞
アナライトの測定系が電気化学発光測定系である場合、測定部２１０は、電気化学シグナル測定系の場合と同様にコネクタ２１４と電極２１６とを備える。また、測定部２１０は、所定位置に設けられる光検出部を備える。光検出部としては、例えば光電子増倍管（Ｐｈｏｔｏｍｕｌｔｉｐｌｉｅｒ  Ｔｕｂｅ；ＰＭＴ）や、電荷結合素子（Ｃａｒｇｅ  Ｃｏｕｐｌｅｄ  Ｄｅｖｉｃｅ；ＣＣＤ）等が挙げられる。例えば光検出部は、センサ支持部２１２にセンサ１が設置された状態で、センサ１のカバー基板１０６と対向する位置に配置される。
【０２０４】
測定部２１０は、電極２１６を介して電気的に接続されたセンサ１に対して所定の電圧を印加する。これにより、センサ１のアナライト捕捉部２４において電気化学発光が起こる。測定部２１０は、光検出部によってこの電気化学発光を検出する。測定部２１０は、検出した電気化学発光の光量を示す信号を制御部２０２に送信する。メモリ２０４には、光量とアナライトの濃度とを対応づけた変換テーブルが記憶されている。制御部２０２は、取得した光量と変換テーブルとを用いて、アナライトの濃度を決定する。そして、制御部２０２は例えば、得られたアナライト濃度を表示部２０６に表示させる。
【０２０５】
＜化学／生物発光測定系＞
アナライトの測定系が化学／生物発光測定系である場合、測定部２１０は、電気化学発光測定系の場合と同様に光検出部を備える。光検出部の構成、及び制御部２０２によるアナライト濃度の決定方法は、電気化学発光測定系と概ね同様であるため説明を省略する。
【０２０６】
＜蛍光測定系＞
アナライトの測定系が蛍光測定系である場合、測定部２１０は、所定位置に設けられる光源と光検出部とを備える。光源は、蛍光物質を励起する所定波長の光をセンサ１に照射する。光源からの光照射によってセンサ１のアナライト捕捉部２４において蛍光が生じる。測定部２１０は、光検出部によってこの蛍光を検出し、光量を示す信号を制御部２０２に送信する。光検出部の構成、及び制御部２０２によるアナライト濃度の決定方法は、電気化学発光測定系と概ね同様であるため説明を省略する。
【０２０７】
＜吸光度測定系＞
アナライトの測定系が吸光度測定系である場合、測定部２１０は、所定位置に設けられる光源及び受光素子を備える。受光素子は、例えばフォトダイオード等で構成される。光源は、所定波長の光をセンサ１に照射する。受光素子は、センサ１のアナライト捕捉部２４を透過した光源の光を受光する。これにより、測定部２１０は、吸光度に関する情報を取得する。
【０２０８】
測定部２１０は、取得した吸光度に関する情報を示す信号を制御部２０２に送信する。メモリ２０４には、吸光度とアナライトの濃度とを対応づけた変換テーブルが記憶されている。制御部２０２は、取得した吸光度と変換テーブルとを用いて、アナライトの濃度を決定する。そして、制御部２０２は例えば、得られたアナライト濃度を表示部２０６に表示させる。
【０２０９】
続いて、センサ支持部２１２の構造について説明する。図２４に示すように、測定装置２００は、所定位置にセンサ支持部２１２を有する。センサ支持部２１２には、センサ１が載置される。例えば、センサ支持部２１２はセンサ搭載面２１２ａを有する。センサ１は、ベース基板１０２がセンサ搭載面２１２ａに当接するようにしてセンサ搭載面２１２ａに載置される。測定部２１０はセンサ支持部２１２に隣接している。センサ１は、センサ支持部２１２に搭載されるとともに、接続部３６がコネクタ２１４に差し込まれる。
【０２１０】
また、測定装置２００は、センサ支持部２１２に設けられる磁石２１８を備える。磁石２１８は、センサ１がセンサ支持部２１２に支持された状態で、アナライト捕捉部２４の近傍に配置される。例えば、磁石２１８は、センサ支持部２１２とセンサ１とが並ぶ方向から見て、アナライト捕捉部２４と重なる位置に配置される。固相３０１として磁性材料が用いられている場合、すなわち、アナライトに磁性材料が結合している場合、アナライト捕捉部２４において、磁性材料が磁石２１８によって磁化される。これにより、アナライトがアナライト捕捉部２４において捕捉される。この結果、アナライト捕捉部２４に存在する第１液体Ｆ１を第２液体Ｆ２で除去する際に、アナライト捕捉部２４にアナライトを留めておくことができる。なお、センサ支持部２１２又は測定部２１０には、封止部材２８や収容部４２に穿孔処理を施すための機構や、第２液体供給口２２に第２液体Ｆ２を点着するための機構が設けられてもよい。
【０２１１】
以下、上述したセンサ１が採用可能な分析方法を例示する。
【０２１２】
（１）一次抗体３０２を結合した磁性材料を固相固定化抗体３０３として用いる場合
この場合、磁石２１８によってアナライト捕捉部２４に固相固定化抗体３０３が固定される。なお、固定される固相固定化抗体３０３にはアナライトが未結合のものも含まれる。
【０２１３】
（１−１）アナライトを含む検体溶液をセンサ１に導入する前に全ての抗原抗体反応を完了させる場合
まず、検体溶液と固相固定化抗体３０３と標識抗体３０７とを混合し、抗原抗体反応を完了させる。続いて、得られた反応液を第１液体Ｆ１としてセンサ１に導入する。そして、第２液体Ｆ２をセンサ１に導入する。これにより、Ｂ／Ｆ分離とアナライトの分析とが実施される。
【０２１４】
（１−２）検体溶液をセンサ１に導入する前に、一部の抗原抗体反応を完了させる場合
まず、検体溶液と固相固定化抗体３０３（あるいは標識抗体３０７）とを混合し、一回目の抗原抗体反応を完了させる。続いて、得られた反応液を第１液体Ｆ１としてセンサ１に導入する。センサ１内には標識抗体３０７（あるいは固相固定化抗体３０３）が予め備えられており、センサ１内で二回目の抗原抗体反応を完了させる。そして、第２液体Ｆ２をセンサ１に導入する。これにより、Ｂ／Ｆ分離とアナライトの分析とが実施される。
【０２１５】
（１−３）検体溶液をセンサ１に導入する前に、抗原抗体反応を実施しない場合
検体溶液を第１液体Ｆ１としてセンサ１に導入する。センサ１内には固相固定化抗体３０３及び標識抗体３０７が予め備えられており、センサ１内で抗原抗体反応を完了させる。そして、第２液体Ｆ２をセンサ１に導入する。これにより、Ｂ／Ｆ分離とアナライトの分析とが実施される。
【０２１６】
（２）アナライト捕捉部２４を区画する基板の表面に一次抗体３０２を固定化させた場合
（２−１）検体溶液をセンサ１に導入する前に抗原抗体反応を完了させる場合
まず、検体溶液と標識抗体３０７とを混合し、一回目の抗原抗体反応を完了させる。続いて、得られた反応液を第１液体Ｆ１としてセンサ１に導入する。第１液体Ｆ１の導入により、アナライトと、センサ１内に固定された固相固定化抗体３０３との間で二回目の抗原抗体反応が起こる。そして、第２液体Ｆ２をセンサ１に導入する。これにより、Ｂ／Ｆ分離とアナライトの分析とが実施される。
【０２１７】
（２−２）検体溶液をセンサ１に導入する前に抗原抗体反応を実施しない場合
検体溶液を第１液体Ｆ１としてセンサ１に導入する。センサ１内には標識抗体３０７が予め備えられており、また一次抗体３０２が基板に固定されている。このため、第１液体Ｆ１の導入により、アナライトと、固相固定化抗体３０３と、標識抗体３０７との間で抗原抗体反応が起こる。そして、第２液体Ｆ２をセンサ１に導入する。これにより、Ｂ／Ｆ分離とアナライトの分析とが実施される。
【０２１８】
＜＜他の態様に係るアナライトを分析するセンサ＞＞
以下、実施の形態９〜１３を例に挙げて、他の態様に係るアナライト分析用のセンサについて説明する。
【０２１９】
（実施の形態９）
図２５は、実施の形態９に係るセンサの概略構造を示す分解斜視図である。本実施の形態に係るセンサ１は、アナライトを分析するセンサであり、基板１００を有する。基板１００は、ベース基板１０２、スペーサ部材１０４、及びカバー基板１０６を含む。スペーサ部材１０４は、ベース基板１０２の表面上に配置される。カバー基板１０６は、スペーサ部材１０４のベース基板１０２側とは反対側の表面上に配置される。基板１００は、ベース基板１０２、スペーサ部材１０４及びカバー基板１０６がこの順に積層され、互いに接着剤等で貼り合わせることで形成される。
【０２２０】
なお、例えばベース基板１０２とスペーサ部材１０４とが一体的に形成され、これにカバー基板１０６が貼り合わされてもよい。また、スペーサ部材１０４とカバー基板１０６とが一体的に形成され、これにベース基板１０２が貼り合わされてもよい。また、ベース基板１０２、スペーサ部材１０４、及びカバー基板１０６には、例えば、ポリエチレンテレフタレート（ＰＥＴ）、ポリスチレン、ポリカーボネート、アクリル等の樹脂材料で形成されたものを採用することができる。また、ベース基板１０２及びカバー基板１０６には、ガラスで形成されたものが採用されてもよい。
【０２２１】
各基板及び部材は、例えば、ホットメルト糊剤やＵＶ硬化糊剤等の接着剤、又は接着テープによって互いに接着される。この場合、接着剤そのもの又は接着テープそのものがスペーサ部材１０４を構成してもよい。すなわち、本願におけるスペーサ部材１０４には、接着剤や接着テープが含まれる。あるいは、各基板及び部材は、超音波溶着法によって互いに接着されてもよい。
【０２２２】
ベース基板１０２は、平板状であり、第１主表面１０２ａと、第１主表面１０２ａに背向する第２主表面１０２ｂとを有する。第１主表面１０２ａ上には、スペーサ部材１０４が積層される。
【０２２３】
スペーサ部材１０４は、ベース基板１０２、スペーサ部材１０４及びカバー基板１０６の積層方向（図２５におけるＺ軸方向）に所定の厚みｄを有する面状部材である。また、スペーサ部材１０４は、スペーサ部材１０４の面方向（図２５におけるＸＹ方向）に延在するスリット１０４ａを有する。スリット１０４ａは、厚みｄの方向でスペーサ部材１０４を貫通している。すなわち、スペーサ部材１０４は、平板の一部がスリット１０４ａにより切り欠かれた形状を有する。
【０２２４】
カバー基板１０６は、平板状であり、第１主表面１０６ａと第１主表面１０６ａに背向する第２主表面１０６ｂとを有する。カバー基板１０６は、第２主表面１０６ｂがスペーサ部材１０４側を向くようにして、スペーサ部材１０４上に積層される。カバー基板１０６には、第１排気孔２０、第２液体供給口２２、第２排気孔２６等が設けられる。
【０２２５】
基板１００内には、第１チャンバー１０が設けられる。第１チャンバー１０は、ベース基板１０２の第１主表面１０２ａ、カバー基板１０６の第２主表面１０６ｂ、及びスリット１０４ａによって形成される。すなわち、ベース基板１０２の第１主表面１０２ａは、第１チャンバー１０の下面を規定する。スペーサ部材１０４のスリット１０４ａの壁面は、第１チャンバー１０の側面を規定する。カバー基板１０６の第２主表面１０６ｂは、第１チャンバー１０の上面を規定する。したがって、第１チャンバー１０は、ベース基板１０２、スペーサ部材１０４及びカバー基板１０６によって区画される空間である。
【０２２６】
図２６及び図２７（Ａ）〜図２７（Ｃ）は、カバー基板１０６側から見た場合の実施の形態９に係るセンサ１の内部構造を模式的に示す平面図である。図２６及び図２７（Ａ）〜図２７（Ｃ）では、説明の便宜上、カバー基板１０６に設けられる第１排気孔２０、第２液体供給口２２及び第２排気孔２６も図示している。
【０２２７】
基板１００内には、第１チャンバー１０が配置される。第１チャンバー１０は、第１部分１２、第２部分１４、及び第１部分１２と第２部分１４との交差部分４１６を含む。第１部分１２は、図２７（Ａ）においてハッチングを付した領域である。第２部分１４は、図２７（Ｂ）においてハッチングを付した領域である。交差部分４１６は、図２７（Ｃ）においてハッチングを付した領域である。第１部分１２及び第２部分１４は直線状で扁平な空間であり、互いに交わることで交差部分４１６が形成されている。したがって、交差部分４１６は第１部分１２及び第２部分１４のいずれにも含まれる。本実施の形態では、第１部分１２と第２部分１４とは直交している。
【０２２８】
また、センサ１は、第１液体供給口１８と、第１排気孔２０と、第２液体供給口２２と、アナライト捕捉部２４と、第２排気孔２６とを備える。第１液体供給口１８は、第１チャンバー１０と基板１００外とを連通する貫通孔である。より具体的には、第１液体供給口１８は、第１チャンバー１０の第１部分１２と基板１００外とを連通する。本実施の形態では、スリット１０４ａがスペーサ部材１０４の外側面（２つの主表面をつなぐ側面）にまで延在することで、第１液体供給口１８が形成されている。アナライトを含む第１液体は、第１液体供給口１８に点着される。これにより、第１液体供給口１８を介して第１液体が基板１００外から第１チャンバー１０に流れる。
【０２２９】
第１排気孔２０は、第１チャンバー１０と基板１００外とを連通する貫通孔である。より具体的には、第１排気孔２０は、第１部分１２と基板１００外とを連通する。本実施の形態では、第１排気孔２０は、カバー基板１０６の第１主表面１０６ａから第２主表面１０６ｂまで延在する貫通孔によって構成されている。第１チャンバー１０内の気体は、第１排気孔２０を介して基板１００外に流れることができる。
【０２３０】
第２液体供給口２２は、第１チャンバー１０と第１チャンバー１０外とを連通する貫通孔である。より具体的には、第２液体供給口２２は、第２部分１４と第１チャンバー１０外とを連通する。本実施の形態では、第２液体供給口２２は、第１チャンバー１０と基板１００外とを連通する。また、第２液体供給口２２は、カバー基板１０６の第１主表面１０６ａから第２主表面１０６ｂまで延在する貫通孔によって構成されている。アナライト捕捉部２４の洗浄液を含む第２液体は、第２液体供給口２２に点着される。これにより、第２液体供給口２２を介して第２液体が第１チャンバー１０外から第１チャンバー１０に流れる。なお、第２液体供給口２２が接続される第１チャンバー１０外は、基板１００内に設けられる他のチャンバーであってもよい。すなわち、第２液体供給口２２は、第１チャンバー１０と基板１００内の他のチャンバーとを連通してもよい（後述する実施の形態１３参照）。
【０２３１】
アナライト捕捉部２４は、第１チャンバー１０内に位置し、第１液体中のアナライトが捕捉される領域である。より具体的には、アナライト捕捉部２４は、交差部分４１６に配置される。本実施の形態では、アナライト捕捉部２４は交差部分４１６の全体に配置されているが、特にこの構成に限定されず、交差部分４１６の一部のみにアナライト捕捉部２４が配置されてもよい。例えば、アナライト捕捉部２４は固相３０１に相当し、アナライト捕捉部２４を形成するベース基板１０２の表面に一次抗体３０２が固定されている。あるいは、固相３０１が磁性材料で構成される場合には、アナライト捕捉部２４の近傍に配置される磁石の磁力によって、磁性材料に結合したアナライトがアナライト捕捉部２４において捕捉される（なお、アナライトが結合していない磁性材料もアナライト捕捉部２４において捕捉される）。アナライト捕捉部２４において、上述した標識物質３０５のシグナルが生成される。すなわち、アナライト捕捉部２４は、アナライトの取得部に相当する。標識物質３０５が電子メディエーターの場合には、アナライト捕捉部２４に少なくとも作用極及び対極が配置される（図２８参照）。
【０２３２】
第２排気孔２６は、第１チャンバー１０と基板１００外とを連通する貫通孔である。より具体的には、第２排気孔２６は、第１チャンバー１０の第２部分１４と基板１００外とを連通する。本実施の形態では、第２排気孔２６は、カバー基板１０６の第１主表面１０６ａから第２主表面１０６ｂまで延在する貫通孔によって構成されている。第２排気孔２６は、閉鎖された状態から開放された状態に切り替え可能である。第１チャンバー１０内の気体は、開放された状態にある第２排気孔２６を介して基板１００外に流れることができる。
【０２３３】
センサ１は、第２排気孔２６を閉鎖する封止部材２８を備える。封止部材２８は、例えば接着テープ等で構成され、第２排気孔２６を被覆するようにカバー基板１０６の第１主表面１０６ａに設けられる。この封止部材２８を取り外すことで、あるいは封止部材２８に穴を開けることで、第２排気孔２６を閉鎖状態から開放状態に切り替えることができる。
【０２３４】
なお、第２排気孔２６は、カバー基板１０６を形成する材料が第２排気孔２６内に存在することで閉鎖されてもよい。すなわち、カバー基板１０６の一部分によって第２排気孔２６が閉鎖されてもよい。第２排気孔２６内に位置するカバー基板１０６の一部分は、封止部材２８に相当する。当該一部分は、第２排気孔２６周囲の他の部分と一体であってもよい。この場合、例えば第２流路Ｃ２において毛細管力を発生させるタイミングで、使用者がカバー基板１０６の第２排気孔２６形成領域に穴を開けることで、第２排気孔２６が開放される。カバー基板１０６には、第２排気孔２６が形成される位置の厚みを他の領域よりも薄くする等の、第２排気孔２６の形成を容易にする加工が施されていることが好ましい。
【０２３５】
第１チャンバー１０内には、第１液体供給口１８、アナライト捕捉部２４、及び第１排気孔２０をつなぐ第１流路Ｃ１が設けられる。より具体的には、第１流路Ｃ１は、第１部分１２に配置される。すなわち、第１部分１２の第１液体供給口１８から第１排気孔２０までの領域が第１流路Ｃ１を構成している。第１流路Ｃ１は、第１液体供給口１８から第１排気孔２０まで延在する空間である。したがって、第１流路Ｃ１は直線状である。第１液体供給口１８及び第１排気孔２０は、第１流路Ｃ１においてアナライト捕捉部２４を挟んで配置される。
【０２３６】
第１液体供給口１８及び第１排気孔２０が開放され、且つ第２排気孔２６が閉鎖された状態で第１液体供給口１８に第１液体が供給されると、第１液体は、第１排気孔２０からの排気をともなって第１液体供給口１８から第１流路Ｃ１内に引き込まれる。そして、第１液体は、アナライト捕捉部２４に到達し、さらに第１排気孔２０まで移動する。すなわち、第１液体供給口１８に供給された第１液体は、毛細管現象によって第１流路Ｃ１を移動してアナライト捕捉部２４に到達し、さらに第１排気孔２０まで引き込まれる。
【０２３７】
本実施の形態では、第１液体供給口１８は基板１００の側面に配置される。このため、第１液体は、センサ１の側方（図２６のＸ軸方向）から第１液体供給口１８に点着される。なお、特にこの構成に限定されず、例えば、ベース基板１０２又はカバー基板１０６に、第１チャンバー１０と基板１００外とを連通する貫通孔が設けられ、この貫通孔によって第１液体供給口１８が構成されてもよい。この場合、第１液体は、センサ１の下方あるいは上方（図２５のＺ軸方向）から第１液体供給口１８に点着される。
【０２３８】
第１液体供給口１８は、第１液体供給口１８に点着された第１液体が毛細管力によって第１チャンバー１０内に移動できる開口径を有していればよく、その大きさ及び形状は特に限定されない。第１流路Ｃ１は、上述の毛細管力を発生させられる断面積を有していればよく、その大きさは特に限定されない。第１排気孔２０は、第１チャンバー１０から基板１００外へ空気が移動できる開口径を有していればよく、その大きさ及び形状は特に限定されない。
【０２３９】
第１液体は、少なくともアナライトが含まれる液体であれば、特に限定されない。例えば、第１液体は、血液や尿等といった人体から採取した検体溶液である。また、第１液体は、この検体溶液に所定の前処理が施されたものや、この検体溶液に試薬等が混合されたものであってもよい。
【０２４０】
第１チャンバー１０内には、第２液体供給口２２、アナライト捕捉部２４、及び第２排気孔２６をつなぐ第２流路Ｃ２が設けられる。より具体的には、第２流路Ｃ２は、第２部分１４に配置される。すなわち、第２部分１４における第２液体供給口２２から第２排気孔２６までの領域が第２流路Ｃ２を構成している。第２流路Ｃ２は、第２液体供給口２２から第２排気孔２６まで延在する空間である。したがって、第２流路Ｃ２は直線状である。第２液体供給口２２及び第２排気孔２６は、第２流路Ｃ２においてアナライト捕捉部２４を挟んで配置される。第１流路Ｃ１と第２流路Ｃ２とは、アナライト捕捉部２４において交差している。
【０２４１】
第１液体供給口１８が閉鎖され、且つ第２排気孔２６が開放された状態で、第２液体供給口２２に第２液体が供給されると、第２液体は、第２排気孔２６からの排気をともなって第２液体供給口２２から第２流路Ｃ２内に引き込まれる。そして、第２液体はアナライト捕捉部２４を通過して、第２排気孔２６側に移動する。すなわち、第２液体は、毛細管現象によって第２流路Ｃ２を移動してアナライト捕捉部２４を通過し、第２排気孔２６まで移送される。第２液体がアナライト捕捉部２４を通過することで、アナライト捕捉部２４から第１液体を除去することができる。第１液体は第２液体とともに、第２流路Ｃ２におけるアナライト捕捉部２４と第２排気孔２６との間の領域Ｃ２ａに引き込まれる。
【０２４２】
第１液体供給口１８の閉鎖は、第１液体供給口１８に第１液体が点着されることによって実現される。すなわち、第１液体供給口１８は第１液体によって塞がれる。また、本実施の形態では、封止部材２８の除去あるいは穿孔によって、第２排気孔２６が開放状態に切り替えられる。このため、第２流路Ｃ２に毛細管力を発生させて第２液体を第２部分１４に引き込むタイミングを、簡単に制御することができる。
【０２４３】
本実施の形態では、第２液体供給口２２はカバー基板１０６に配置される。このため、第２液体は、センサ１の上方（図２５のＺ軸方向）から第２液体供給口２２に点着される。なお、特にこの構成に限定されず、例えば、ベース基板１０２に第１チャンバー１０と基板１００外とを連通する貫通孔が設けられ、この貫通孔によって第２液体供給口２２が構成されてもよい。この場合、第２液体は、センサ１の下方（図２５のＺ軸方向）から第２液体供給口２２に点着される。また、第２液体供給口２２は、第１液体供給口１８と同様に基板１００の側面に設けられてもよい。第１排気孔２０及び第２排気孔２６についても同様に、基板１００の側面やベース基板１０２に設けられてもよい。
【０２４４】
第２液体供給口２２は、第２液体供給口２２に点着された第２液体が毛細管力によって第１チャンバー１０内に移動できる開口径を有していればよく、その大きさ及び形状は特に限定されない。第２流路Ｃ２は、上述の毛細管力を発生させられる断面積を有していればよく、その大きさは特に限定されない。第２排気孔２６は、第１チャンバー１０から基板１００外へ空気が移動できる開口径を有していればよく、その大きさ及び形状は特に限定されない。
【０２４５】
第２液体は、Ｂ／Ｆ分離に用いられる洗浄液を含む液体である。洗浄液としては、例えば界面活性剤を含む水系溶媒を挙げることができる。洗浄液に用いられる界面活性剤としては、抗原抗体反応等の反応に影響を与えないものであることが好ましい。このような界面活性剤としては、例えば非イオン性界面活性剤を挙げることができる。非イオン性界面活性剤としては、例えば、ＴＷＥＥＮ（登録商標）系界面活性剤（ポリオキシエチレンソルビタン脂肪酸エステル類）、ＴＲＩＴＯＮ（登録商標）系界面活性剤（ポリオキシエチレンｐ−ｔ−オクチルフェニルエーテル類）が挙げられる。また、第２液体は、洗浄液とともに、標識物質３０５に応じたシグナルを生成させるための基質を含んでもよい。例えば、アナライトの測定系が化学発光や生物発光をシグナルとして測定する系である場合、第２液体は洗浄液とともに、ルミノール系やジオキセタン系等の発光基質を含み得る。また、アナライトの測定系が電気化学発光をシグナルとして測定する系である場合、第２液体は洗浄液とともに、トリプロピルアミン（ＴＰＡ）等の電子メディエーターを含み得る。
【０２４６】
また、アナライトの測定系が電気化学シグナルを測定する系である場合、第２液体は洗浄液とともに、フェリシアン化カリウムやキノン類化合物等の電子メディエーターを含み得る。また、アナライトの測定系が吸光度、言い換えれば色素をシグナルとして測定する系である場合、第２液体は洗浄液とともに、発色基質を含み得る。なお、本明細書における「電子メディエーター」とは、酸化還元反応において電子の授受の媒体となる物質をいう。シグナルの測定系に応じて、電子メディエーターは、酸化体となる場合もあれば還元体となる場合もある。
【０２４７】
第２流路Ｃ２におけるアナライト捕捉部２４と第２排気孔２６との間の領域Ｃ２ａの容積は、第２流路Ｃ２における第２液体供給口２２とアナライト捕捉部２４との間の領域Ｃ２ｂの容積と、アナライト捕捉部２４の容積との合計よりも大きいことが望ましい。Ｂ／Ｆ分離では、アナライト捕捉部２４に存在する第１液体を第２液体で置換する必要がある。このため、領域Ｃ２ａの容積と、領域Ｃ２ｂ及びアナライト捕捉部２４の合計容積とを上述の関係とすることで、アナライト捕捉部２４に存在する第１液体をより確実に第２液体で置換することができる。
【０２４８】
第１チャンバー１０内の壁面の少なくとも一部、例えばベース基板１０２の第１主表面１０２ａ、スペーサ部材１０４のスリット１０４ａの壁面、及びカバー基板１０６の第２主表面１０６ｂの少なくとも１つや、第１液体供給口１８、第２液体供給口２２等には、所定の親水性処理が施されてもよい。親水性処理を施すことで、第１流路Ｃ１あるいは第２流路Ｃ２に生じる毛細管力を増大させることができ、毛細管現象により円滑あるいは確実に液体を移送することができる。親水性処理としては、第１チャンバー１０の壁面や液体供給口への、非イオン系、カチオン系、アニオン系あるいは両イオン系の界面活性剤の塗布や、コロナ放電処理等を挙げることができる。また、親水性処理としては、第１チャンバー１０の壁面や液体供給口の表面への微細な凹凸構造の形成等を挙げることができる（例えば、特開２００７−３３６１号公報を参照）。
【０２４９】
続いて、用いられるアナライトの測定手法に応じた、言い換えれば測定するシグナルの種類に応じたセンサ１の構成について説明する。本実施の形態に係るセンサ１は、採用されるアナライトの測定手法に応じて、各構成要素が変更され得る。
【０２５０】
＜電気化学シグナル測定系＞
アナライトの測定系が電流や電圧等の電気化学シグナルを測定する系である場合、標識抗体３０７中の標識物質３０５は、例えば酸化還元酵素である。この場合、センサ１は、酸化還元酵素による酸化還元反応で電子の授受がなされた電子メディエーターから電気化学シグナルを取得する。あるいは、センサ１は過酸化水素から電気化学シグナルを取得する。センサ１は、電極を用いてこれらの電気化学シグナルを取得する。また、標識物質３０５は、例えばフェロセン等の電子メディエーターである。この場合、例えばレドックスサイクリングにより増幅された電流が電気化学シグナルとされ、センサ１は、この電気化学シグナルを電極を用いて取得する。
【０２５１】
図２８は、実施の形態９に係るセンサ１が備える電極パターンの一例を模式的に示す図である。センサ１は、電気化学シグナルを測定する系に用いられる場合、少なくともベース基板１０２の第１主表面１０２ａが絶縁性を有する。そして、センサ１は、ベース基板１０２のアナライト捕捉部２４に対応する領域に、作用極３０及び対極３２を有する。本実施の形態では、作用極３０及び対極３２に加えて、参照極３４を有する。
【０２５２】
また、センサ１は、測定装置に電気的に接続される接続部３６を有する。センサ１が測定装置に電気的に接続されることで、電気化学シグナルを取得するための電圧又は電流が測定装置からセンサ１に印加される。この電圧又は電流がセンサ１に印加されることで、センサ１がアナライト分析によって取得した電気化学シグナルが、測定装置によって測定される。図２８において、斜線が付された領域が、スペーサ部材１０４及びカバー基板１０６が積層される領域である。ベース基板１０２の端部に位置する、斜線が付されていない領域は、ベース基板１０２の露出領域である。露出領域において作用極３０、対極３２及び参照極３４の一部が露出する。この露出領域が接続部３６を構成する。
【０２５３】
電極の材料としては、例えば、金、白金、パラジウム等の金属材料や、カーボンペースト等が挙げられる。電極は、例えば以下のようにしてベース基板１０２に形成することができる。すなわち、金属材料のスパッタリングによってベース基板１０２の第１主表面１０２ａに電極パターン形状の薄膜を形成することで、電極を形成することができる。あるいは、第１主表面１０２ａに積層された薄膜にレーザーカッティング等を施すことで、電極を形成することができる。あるいは、第１主表面１０２ａに電極パターン形状のカーボンペーストをプリントすることで、電極を形成することができる。なお、カバー基板１０６に電極及び接続部３６が設けられてもよい。
【０２５４】
＜電気化学発光測定系＞
アナライトの測定系が電気化学発光を測定する系である場合、標識物質３０５は、例えばルテニウム錯体やオスミウム錯体等の電気化学発光体である。この場合、センサ１は、ＴＰＡ等の電子メディエーターの存在下で所定電圧が印加されることで生じる電気化学発光体の発光を、シグナルとして取得する。センサ１は、電気化学シグナル測定系に用いられる場合と同様の電極構造を有する。なお、電気化学発光測定系では、電気化学発光体からの発光が、測定装置によってカバー基板１０６側で測定される。このため、カバー基板１０６の少なくともアナライト捕捉部２４に対応する部分は、透光性を有する必要がある。なお、カバー基板１０６に電極及び接続部３６が設けられ、ベース基板１０２側で発光が測定されてもよい。この場合、ベース基板１０２の少なくともアナライト捕捉部２４に対応する部分が透光性を有する。
【０２５５】
＜化学／生物発光測定系＞
アナライトの測定系が化学発光又は生物発光を測定する系である場合、標識物質３０５は、例えばペルオキシダーゼ、アルカリフォスファターゼ、ルシフェラーゼ等の酵素である。この場合、アナライト捕捉部２４に化学発光基質が導入されることで、アナライト捕捉部２４に存在する標識物質３０５、すなわち酵素によって、化学発光基質から発光シグナルが生成される。なお、酵素に代えて化学発光物質を標識物質３０５に採用し、アナライト捕捉部２４に酵素を導入するようにしてもよい。また、化学発光物質と発光触媒基質との組み合わせにより発光シグナルを生成する発光系等の、酵素を使用しない発光系を採用してもよい。
【０２５６】
センサ１が取得する発光シグナルは、測定装置によってベース基板１０２側又はカバー基板１０６側で測定される。このため、発光シグナルを測定する側の基板は、アナライト捕捉部２４に対応する部分が透光性を有する必要がある。一方で、アナライト捕捉部２４に対応する部分以外の部分も透光性を有すると、不要な発光シグナルが測定され、アナライトの測定精度が低下する可能性がある。
【０２５７】
すなわち、酵素は、化学／生物発光基質と接触することで即座に発光シグナルを生成する。また、化学発光物質は、発光触媒基質と接触することで即座に発光シグナルを生成する。このため、第１液体がアナライト捕捉部２４に到達した後、発光基質を含む第２液体が第２液体供給口２２から供給されて第２排気孔２６側まで引き込まれた際に、アナライト捕捉部２４よりも第２排気孔２６側に移動した発光基質からも発光シグナルが生成され得る。測定装置の光検出部が配される側の基板の全体が透光性を有すると、アナライト捕捉部２４以外の領域で発生する発光シグナルも測定されてしまう。この発光シグナルはノイズとなるため、アナライトの測定精度が低下するおそれがある。
【０２５８】
これに対し、本実施の形態に係るセンサ１では、光検出部が配される側の基板が、アナライト捕捉部２４に対応する部分以外の少なくとも一部の領域に遮光部１０６ｃを有する。図２９は、実施の形態９に係るセンサ１が備える遮光部１０６ｃの一例を模式的に示す図である。図２９では、一例として、カバー基板１０６が遮光部１０６ｃを含む場合のセンサ１が図示されている。
【０２５９】
図２９に示すようにセンサ１は、アナライト捕捉部２４と重なる部分と、第２部分１４におけるアナライト捕捉部２４よりも第２液体供給口２２側の領域と重なる部分とに、透光部が設けられている。また、第１部分１２におけるアナライト捕捉部２４よりも第１液体供給口１８側の領域、第１部分１２におけるアナライト捕捉部２４よりも第１排気孔２０側の領域、及び第２部分１４におけるアナライト捕捉部２４よりも第２排気孔２６側の領域のそれぞれと重なる部分に遮光部１０６ｃが設けられている。遮光部１０６ｃを設けることで、ノイズ源となる発光シグナルが基板１００外に出射されることを抑制することができる。なお、センサ１は、少なくとも領域Ｃ２ａと重なる部分に遮光部１０６ｃが設けられることが望ましい。また、アナライト捕捉部２４と重なる部分を除く全ての部分に遮光部１０６ｃが設けられることがより好ましい。
【０２６０】
＜蛍光測定系＞
アナライトの測定系が蛍光を測定する系である場合、標識物質３０５は、例えば蛍光物質である。この場合、センサ１は、蛍光物質への励起光の照射によって生成される蛍光をシグナルとして取得する。また、標識物質３０５は、例えばアルカリフォスファターゼ等の酵素である。この場合、例えば４−メチルウンベリフェリルリン酸等の蛍光基質が導入され、この蛍光基質と酵素が反応して得られる蛍光物質に励起光が照射されることで、シグナルとしての蛍光が生成される。
【０２６１】
蛍光シグナルを測定する構成としては、ベース基板１０２側から励起光を照射して、ベース基板１０２側から蛍光シグナルを測定する構成や、カバー基板１０６側から励起光を照射して、カバー基板１０６側から蛍光シグナルを測定する構成を挙げることができる。この場合、励起光の照射及び蛍光シグナルの測定が実施される側の基板は、少なくともアナライト捕捉部２４に対応する部分が、励起光及び蛍光シグナルを透過できる透光性材料で構成される。
【０２６２】
また、蛍光シグナルを測定する他の構成としては、ベース基板１０２及びカバー基板１０６の一方の基板側から励起光を照射して、他方の基板側から蛍光シグナルを測定する構成を挙げることができる。この場合、励起光が照射される側の基板は、少なくともアナライト捕捉部２４に対応する部分が、励起光を透過できる透光性材料で構成される。また、蛍光シグナルが測定される側の基板は、少なくともアナライト捕捉部２４に対応する部分が、蛍光シグナルを透過できる透光性材料で構成される。
【０２６３】
＜吸光度測定系＞
アナライトの測定系が吸光度を測定する系である場合、標識物質３０５は、例えばペルオキシダーゼやジアホラーゼ等の酵素である。この場合、アナライト捕捉部２４に発色基質が導入され、この発色基質と酵素が反応して発色基質から色素が生成され、この色素に所定波長の光が照射されることで、シグナルとしての吸光度が得られる。
【０２６４】
吸光度を測定する構成としては、ベース基板１０２及びカバー基板１０６の一方の基板側から所定波長の光を照射して、透過光を他方の基板側から測定する構成を挙げることができる。この場合、ベース基板１０２及びカバー基板１０６は、少なくともアナライト捕捉部２４に対応する部分が、照射した光を透過できる透光性材料で構成される。
【０２６５】
また、吸光度を測定する他の構成としては、ベース基板１０２側から所定波長の光を照射して、反射光をベース基板１０２側で測定する構成や、カバー基板１０６側から所定波長の光を照射して、反射光をカバー基板１０６側で測定する構成を挙げることができる。この場合、光の照射及び反射光の測定が実施される側の基板は、少なくともアナライト捕捉部２４に対応する部分が、照射した光を透過できる透光性材料で構成される。
【０２６６】
本実施の形態に係るセンサ１は、アナライトの測定系によらず、いずれかの基板におけるアナライト捕捉部２４に対応する表面に一次抗体３０２を固定する手法と、磁性材料に一次抗体３０２を固定する手法とのいずれにも用いることができる。すなわち、基板を固相３０１としてもよいし、磁性材料を固相３０１としてもよい。
【０２６７】
金属基板を固相３０１とする場合、例えば自己組織化単分子膜（Ｓｅｌｆ−Ａｓｓｅｍｂｌｅｄ  Ｍｏｎｏｌａｙｅｒ；ＳＡＭ）によって、基板の表面に一次抗体３０２を固定することができる。他の固定方法としては、物理吸着や化学結合等が挙げられる。磁性材料を固相３０１とする場合、アナライト捕捉部２４において磁性材料を捕捉するための磁石がアナライト捕捉部２４の近傍に配置される。磁石は、例えばベース基板１０２の第２主表面１０２ｂ側や、カバー基板１０６の第１主表面１０６ａ側に配置される。なお、磁石は、センサ１が備えてもよいし、センサ１が取得するシグナルの測定装置が備えてもよい。
【０２６８】
なお、電気化学発光測定系、化学／生物発光測定系において磁性材料を固相３０１とする場合、磁石は、発光を測定する側とは反対の基板側に配置されることが好ましい。
【０２６９】
また、蛍光測定系において、同じ基板側で励起光の照射と蛍光シグナルの測定とが実施される構成を備え、且つ磁性材料を固相３０１とする場合、磁石は、励起光の照射と蛍光シグナルの測定とが実施される側とは反対の基板側に配置されることが好ましい。また、蛍光測定系において、ベース基板１０２及びカバー基板１０６の一方の基板側から励起光を照射して、他方の基板側から蛍光シグナルを測定する構成を備える場合は、基板に一次抗体３０２を固定する手法を用いることが好ましい。
【０２７０】
また、吸光度測定系において、同じ基板側で光照射と反射光の測定とが実施される構成を備え、且つ磁性材料を固相３０１とする場合、磁石は、光照射と反射光測定とが実施される側とは反対の基板側に配置されることが好ましい。また、吸光度測定系において、ベース基板１０２及びカバー基板１０６の一方の基板側から所定波長の光を照射して、透過光を他方の基板側から測定する構成を備える場合は、基板に一次抗体３０２を固定する手法用いることが好ましい。
【０２７１】
続いて、本実施の形態に係るアナライトの分析方法について説明する。本実施の形態に係るアナライトの分析方法は、以下の工程ＡＩ〜ＣＩを含む。
工程ＡＩ：第２排気孔２６が閉鎖された状態で、第１液体Ｆ１を第１液体供給口１８に供給する。
工程ＢＩ：工程ＡＩの後に、第２液体Ｆ２を第２液体供給口２２に供給する。
工程ＣＩ：工程ＡＩの後であり、且つ工程ＢＩの前、後、又は同時に、第２排気孔２６を開放する。
【０２７２】
工程ＡＩにおいて、毛細管現象により第１液体Ｆ１がアナライト捕捉部２４まで移送され、さらに第１排気孔２０まで移送される。また、工程ＢＩ及び工程ＣＩにより、第２液体Ｆ２が毛細管現象により第２液体供給口２２からアナライト捕捉部２４まで移送される。そして、第２液体Ｆ２は、アナライト捕捉部２４を通過して、アナライト捕捉部２４から第１液体Ｆ１が除去される。アナライト捕捉部２４を通過した第２液体Ｆ２は、さらに第２排気孔２６まで移送される。
【０２７３】
本発明者は、本実施の形態に係るセンサ１を用いて、実際に第１液体及び第２液体の移送を確認した。図３０（Ａ）〜図３０（Ｆ）は、実施の形態９に係るセンサ１において第１液体及び第２液体が移送される様子を示す写真である。
【０２７４】
図３０（Ａ）は、第１液体Ｆ１及び第２液体Ｆ２のそれぞれが、第１液体供給口１８及び第２液体供給口２２に点着される前のセンサ１の状態を写した写真である。なお、第２排気孔２６及び封止部材２８は表示されていないが、第２排気孔２６は封止部材２８によって閉鎖された状態である。
【０２７５】
図３０（Ｂ）は、第１液体供給口１８に第１液体Ｆ１が点着された状態を写した写真である。第１液体Ｆ１は、第１液体供給口１８に点着されると毛細管現象により第１部分１２に引き込まれ、第１排気孔２０まで移送される。第２液体供給口２２も開放されているため、第１液体Ｆ１の一部は、アナライト捕捉部２４（あるいは交差部分４１６）から第２液体供給口２２側に引き込まれている。したがって、アナライト捕捉部２４は、交差部分４１６だけでなく、交差部分４１６と第２液体供給口２２との間にも設けられてもよい。なお、本実験では、第１液体Ｆ１として全血を用いた。
【０２７６】
図３０（Ｃ）は、第２液体供給口２２に第２液体Ｆ２が点着された状態を写した写真である。第２液体Ｆ２が第２液体供給口２２に点着される際、第１液体供給口１８は第１液体Ｆ１によって閉鎖されている。なお、本実験では、第２液体Ｆ２として洗浄液を用いた。
【０２７７】
図３０（Ｄ）〜図３０（Ｆ）は、第２排気孔２６を開放した後の経時的な状態の変化を写した写真である。図３０（Ｄ）、図３０（Ｅ）、図３０（Ｆ）の順で時間が経過した。図３０（Ｄ）及び図３０（Ｅ）に示すように、第２排気孔２６が開放されると、第２液体供給口２２に点着された第２液体Ｆ２は毛細管現象により第２部分１４に引き込まれる。これにより、アナライト捕捉部２４に存在する第１液体Ｆ１は、第２液体Ｆ２によって押し出される。
【０２７８】
そして、図３０（Ｆ）に示すように、時間の経過とともに第２液体Ｆ２がさらに第２部分１４に引き込まれる。これにより、第１液体Ｆ１及び第２液体Ｆ２が第２部分１４の領域Ｃ２ａ（図２６参照）まで移送される。この結果、第１液体Ｆ１がほぼ完全にアナライト捕捉部２４から除去される。本実験では、アナライト捕捉部２４に存在する第１液体Ｆ１がほぼ完全に第２液体Ｆ２で置換されることが確認された。
【０２７９】
したがって、固相固定化抗体３０３と、抗原３０４と、標識抗体３０７との抗原抗体反応によって複合体３０８が形成されていれば、アナライト捕捉部２４に存在する複合体３０８を、第２液体Ｆ２によって洗浄することができる。すなわち、センサ１によれば、第１液体Ｆ１及び第２液体Ｆ２の点着と、第２排気孔２６の開放のみによって、Ｂ／Ｆ分離を実行することができる。
【０２８０】
以上説明した実施の形態９に係るセンサ１によれば、第１液体Ｆ１の第１液体供給口１８への点着、第２液体Ｆ２の第２液体供給口２２への点着、及び第２排気孔２６の開放だけで、Ｂ／Ｆ分離を実施して高精度にアナライトを分析、測定することができる。したがって、アナライト測定に用いる装置の簡素化と、アナライト測定の簡便性との両立を図ることができる。また、第１流路Ｃ１及び第２流路Ｃ２はアナライト捕捉部２４において交差している。言い換えれば、第１部分１２及び第２部分１４は交差部分４１６において交差している。このような構造をとることで、センサ１の構造を簡略化することができる。また、これによりセンサ１の製造工程の簡素化を図ることができ、センサ１の製造コストを削減することができる。
【０２８１】
（実施の形態１０）
実施の形態１０に係るセンサ１は、第２液体供給口２２が閉鎖可能である点を除き、実施の形態９に係るセンサ１と概ね共通の構成を有する。以下、本実施の形態に係るセンサ１について、実施の形態９と異なる構成を中心に説明する。実施の形態９と同一の構成については同一の符号を付し、その説明は簡略化するか適宜省略する。図３１は、カバー基板１０６側から見た場合の実施の形態１０に係るセンサ１の内部構造を模式的に示す平面図である。図３１では、説明の便宜上、カバー基板１０６に設けられる第１排気孔２０、第２液体供給口２２及び第２排気孔２６も図示している。
【０２８２】
本実施の形態に係るセンサ１において、第２液体供給口２２は、閉鎖された状態から開放された状態に切り替え可能である。第２液体Ｆ２は、開放された状態にある第２液体供給口２２を介して第２流路Ｃ２に引き込まれる。
【０２８３】
センサ１は、第２液体供給口２２を閉鎖する封止部材２７を備える。封止部材２７は、例えば接着テープ等で構成され、第２液体供給口２２を被覆するようにカバー基板１０６の第１主表面１０６ａに設けられる。この封止部材２７を取り外すことで、あるいは封止部材２７に穴を開けることで、第２液体供給口２２を閉鎖状態から開放状態に切り替えることができる。
【０２８４】
なお、第２液体供給口２２は、カバー基板１０６を形成する材料が第２液体供給口２２内に存在することで閉鎖されてもよい。すなわち、カバー基板１０６の一部分によって第２液体供給口２２が閉鎖されてもよい。第２液体供給口２２内に位置するカバー基板１０６の一部分は封止部材２７に相当する。当該一部分は、第２液体供給口２２周囲の他の部分と一体であってもよい。この場合、例えば第２液体供給口２２に第２液体を点着するタイミングで、使用者がカバー基板１０６の第２液体供給口２２形成領域に穴を開けることで、第２液体供給口２２が開放される。カバー基板１０６には、第２液体供給口２２が形成される位置の厚みを他の領域よりも薄くする等の、第２液体供給口２２の形成を容易にする加工が施されていることが好ましい。
【０２８５】
第１液体供給口１８及び第１排気孔２０が開放され、且つ第２液体供給口２２及び第２排気孔２６が閉鎖された状態で第１液体供給口１８に第１液体が供給されると、第１液体は、第１排気孔２０からの排気をともなって第１液体供給口１８から第１流路Ｃ１内に引き込まれる。そして、第１液体は、アナライト捕捉部２４に到達し、さらに第１排気孔２０まで移動する。
【０２８６】
第１液体供給口１８が閉鎖され、且つ第２液体供給口２２及び第２排気孔２６が開放された状態で、第２液体供給口２２に第２液体が供給されると、第２液体は、第２排気孔２６からの排気をともなって第２液体供給口２２から第２流路Ｃ２内に引き込まれる。そして、第２液体はアナライト捕捉部２４を通過して、第２排気孔２６側に移動する。第２液体がアナライト捕捉部２４を通過することで、アナライト捕捉部２４から第１液体を除去することができる。
【０２８７】
続いて、本実施の形態に係るアナライトの分析方法について説明する。本実施の形態に係るアナライトの分析方法は、以下の工程ＡＩＩ〜ＣＩＩを含む。
工程ＡＩＩ：第２液体供給口２２及び第２排気孔２６が閉鎖された状態で、第１液体Ｆ１を第１液体供給口１８に供給する。
工程ＢＩＩ：工程ＡＩＩの後に、第２液体供給口２２を開放して第２液体Ｆ２を第２液体供給口２２に供給する。
工程ＣＩＩ：工程ＡＩＩの後であり、且つ工程ＢＩＩの前、後、又は同時に、第２排気孔２６を開放する。
【０２８８】
工程ＡＩＩにおいて、毛細管現象により第１液体Ｆ１がアナライト捕捉部２４まで移送され、さらに第１排気孔２０まで移送される。また、工程ＢＩＩ及び工程ＣＩＩにより、第２液体Ｆ２が毛細管現象により第２液体供給口２２からアナライト捕捉部２４まで移送される。そして、第２液体Ｆ２は、アナライト捕捉部２４を通過して、アナライト捕捉部２４から第１液体Ｆ１が除去される。アナライト捕捉部２４を通過した第２液体Ｆ２は、さらに第２排気孔２６まで移送される。
【０２８９】
本発明者は、実施の形態１０に係るセンサ１を用いて、実際に第１液体及び第２液体の移送を確認した。図３２（Ａ）〜図３２（Ｇ）は、実施の形態１０に係るセンサ１において第１液体及び第２液体が移送される様子を示す写真である。
【０２９０】
図３２（Ａ）は、第１液体Ｆ１及び第２液体Ｆ２のそれぞれが、第１液体供給口１８及び第２液体供給口２２に点着される前のセンサ１の状態を写した写真である。なお、第２排気孔２６及び封止部材２８は表示されていないが、第２排気孔２６は封止部材２８によって閉鎖された状態である。また、封止部材２７も表示されていないが、第２液体供給口２２は封止部材２７によって閉鎖された状態である。
【０２９１】
図３２（Ｂ）及び図３２（Ｃ）は、第１液体供給口１８に第１液体Ｆ１が点着された後の経時的な変化を写した写真である。図３２（Ｂ）、図３２（Ｃ）の順で時間が経過した。図３２（Ｂ）に示すように、第１液体Ｆ１は、第１液体供給口１８に点着されると毛細管現象により第１部分１２に引き込まれ、第１排気孔２０まで移送される。図３２（Ｃ）に示すように、第１液体Ｆ１の一部は、アナライト捕捉部２４（あるいは交差部分４１６）から第２液体供給口２２側に引き込まれる。しかしながら、第２液体供給口２２は閉鎖されているため、第１液体Ｆ１が第２液体供給口２２側に引き込まれる量は、実施の形態９（図３０（Ｂ）参照）に比べて少ない。なお、本実験では、第１液体Ｆ１として全血を用いた。
【０２９２】
図３２（Ｄ）は、第２液体供給口２２に第２液体Ｆ２が点着された状態を写した写真である。第２液体Ｆ２が第２液体供給口２２に点着される際、第１液体供給口１８は第１液体Ｆ１によって閉鎖されている。なお、本実験では、第２液体Ｆ２として洗浄液を用いた。
【０２９３】
図３２（Ｅ）〜図３２（Ｇ）は、第２排気孔２６を開放した後の経時的な状態の変化を写した写真である。図３２（Ｅ）、図３２（Ｆ）、図３２（Ｇ）の順で時間が経過した。図３２（Ｅ）及び図３２（Ｆ）に示すように、第２排気孔２６が開放されると、第２液体供給口２２に点着された第２液体Ｆ２は毛細管現象により第２部分１４に引き込まれる。これにより、アナライト捕捉部２４に存在する第１液体Ｆ１は、第２液体Ｆ２によって押し出される。
【０２９４】
そして、図３２（Ｇ）に示すように、時間の経過とともに第２液体Ｆ２がさらに第２部分１４に引き込まれる。これにより、第１液体Ｆ１及び第２液体Ｆ２が第２部分１４の領域Ｃ２ａ（図２６参照）まで移送される。この結果、第１液体Ｆ１がほぼ完全にアナライト捕捉部２４から除去される。本実験では、アナライト捕捉部２４に存在する第１液体Ｆ１がほぼ完全に第２液体Ｆ２で置換されることが確認された。
【０２９５】
したがって、固相固定化抗体３０３と、抗原３０４と、標識抗体３０７との抗原抗体反応によって複合体３０８が形成されていれば、アナライト捕捉部２４に存在する複合体３０８を、第２液体Ｆ２によって洗浄することができる。すなわち、センサ１によれば、第１液体Ｆ１及び第２液体Ｆ２の点着と、第２排気孔２６の開放のみによって、Ｂ／Ｆ分離を実行することができる。
【０２９６】
以上説明した実施の形態１０に係るセンサ１によれば、第１液体Ｆ１の第１液体供給口１８への点着、第２液体供給口２２の開放と第２液体Ｆ２の第２液体供給口２２への点着、及び第２排気孔２６の開放だけで、Ｂ／Ｆ分離を実施して高精度にアナライトを分析、測定することができる。したがって、アナライト測定に用いる装置の簡素化と、アナライト測定の簡便性との両立を図ることができる。また、本実施の形態では、第１液体Ｆ１を第１流路Ｃ１に供給する際に第２液体供給口２２が閉鎖されている。このため、アナライトの分析に必要な第１液体Ｆ１の量が増加することを抑制することができる。
【０２９７】
（実施の形態１１）
実施の形態１１に係るセンサ１は、第１流路Ｃ１に第１試薬層３８及び第２試薬層４０を備える点を除き、実施の形態９に係るセンサ１と概ね共通の構成を有する。以下、本実施の形態に係るセンサ１について、実施の形態９と異なる構成を中心に説明する。実施の形態９と同一の構成については同一の符号を付し、その説明は簡略化するか適宜省略する。図３３（Ａ）は、実施の形態１１に係るセンサ１の分解斜視図である。図３３（Ｂ）は、図３３（Ａ）のＡ−Ａ線に沿った断面におけるアナライト捕捉部２４周辺の拡大図である。本実施の形態に係るセンサ１は、一例として、ベース基板１０２に作用極３０、対極３２及び参照極３４を備える。なお、採用する測定系に応じて電極の有無は適宜設定することができる。
【０２９８】
センサ１は、第１流路Ｃ１内に第１試薬層３８及び第２試薬層４０を備える。本実施の形態では、第１試薬層３８及び第２試薬層４０は、第１流路Ｃ１におけるアナライト捕捉部２４を含む空間、すなわち交差部分４１６に配置される。第１試薬層３８はカバー基板１０６の第２主表面１０６ｂに固定され、第２試薬層４０はベース基板１０２の第１主表面１０２ａに固定されている。なお、第１試薬層３８及び第２試薬層４０は、第１流路Ｃ１内のアナライト捕捉部２４以外の領域に配置されてもよい。
【０２９９】
第１試薬層３８は、例えばルテニウム錯体標識抗体を含む試薬層である。第１試薬層３８は、例えばカバー基板１０６の第２主表面１０６ｂに所定量のルテニウム錯体標識抗体溶液を滴下し、これを風乾させることで形成される。第２試薬層４０は、例えばＴｎＴ抗体標識磁性粒子を含む試薬層である。第２試薬層４０は、例えばベース基板１０２の第１主表面１０２ａに所定量のＴｎＴ抗体標識磁性粒子溶液を滴下し、これを風乾させることで形成される。貼り合わせる前のベース基板１０２及びカバー基板１０６に第１試薬層３８及び第２試薬層４０を形成した後に、ベース基板１０２、スペーサ部材１０４及びカバー基板１０６を貼り合わせることで、センサ１を製造することができる。
【０３００】
本実施の形態では、ルテニウム錯体標識抗体とＴｎＴ抗体標識磁性粒子とを別々の試薬層に含有させているが、この構成に限定されない。例えば、センサ１は、ルテニウム錯体標識抗体とＴｎＴ抗体標識磁性粒子とを含む第１試薬層３８のみを備えてもよい。あるいは、センサ１は、ルテニウム錯体標識抗体とＴｎＴ抗体標識磁性粒子とを含む第２試薬層４０のみを備えてもよい。また、第１試薬層３８がＴｎＴ抗体標識磁性粒子を含み、第２試薬層４０がルテニウム錯体標識抗体を含んでもよい。また、第１試薬層３８と第２試薬層４０の両方が、ＴｎＴ抗体標識磁性粒子とルテニウム錯体標識抗体とを含んでもよい。
【０３０１】
また、本実施の形態では、固相３０１として磁性粒子を用いているが、第１流路Ｃ１を構成する基板の表面にＴｎＴ抗体（一次抗体３０２）を固定化させ、固定化されたＴｎＴ抗体の集合を試薬層としてもよい。
【０３０２】
本実施の形態に係るセンサ１によれば、例えば、第１液体Ｆ１として血液等の未処理の検体溶液を第１チャンバー１０内に導入し、その後第２液体Ｆ２を導入するだけで、アナライトの分析、測定が可能である。すなわち、血液等の検体溶液の前処理を省略することができる。このため、より簡易にアナライトを分析、測定することができる。
【０３０３】
（実施の形態１２）
実施の形態１２に係るセンサ１は、第２液体Ｆ２の収容部４２を備える点を除き、実施の形態９に係るセンサ１と概ね共通の構成を有する。以下、本実施の形態に係るセンサ１について、実施の形態９と異なる構成を中心に説明する。実施の形態９と同一の構成については同一の符号を付し、その説明は簡略化するか適宜省略する。図３４は、実施の形態１２に係るセンサの概略構造を示す斜視図である。
【０３０４】
本実施の形態に係るセンサ１は、ベース基板１０２、スペーサ部材１０４及びカバー基板１０６とで構成される基板１００を有する。カバー基板１０６には、第１チャンバー１０（図２６参照）と基板１００外とを連通する第１排気孔２０、第２液体供給口２２及び第２排気孔２６が設けられる。また、センサ１は、第２液体Ｆ２の収容部４２を備える。収容部４２は、例えば液体保持バッグであり、基板１００の外表面上に配置されるとともに第２液体供給口２２に接続される。収容部４２は、液体を保持できるものであれば特に限定されないが、例えば、アルミ包材や、ポリエチレンテレフタレート（ＰＥＴ）、ポリプロピレン、ポリエチレン等の樹脂材料で形成されるバッグ等が挙げられる。
【０３０５】
収容部４２は、例えばカバー基板１０６の第１主表面１０６ａ上であって、第２液体供給口２２を覆う位置に固定される。また、収容部４２は、第１排気孔２０を覆わない位置に固定される。そして、例えば、基板１００と収容部４２との積層方向で収容部４２と第２液体供給口２２とが重なる位置において、外部から収容部４２に針を突き刺すことで、収容部４２の内部と第２液体供給口２２とを接続する貫通孔と、収容部４２の内部と外部とを接続する貫通孔とが形成される。これにより、収容部４２内の第２液体Ｆ２を、第２排気孔２６の開放により生じる毛細管力によって第２液体供給口２２から第１チャンバー１０内に導入することができる。本実施の形態に係るセンサ１は、第２液体Ｆ２の収容部４２を備えるため、アナライトの分析、測定をさらに簡易化できる。
【０３０６】
（実施の形態１３）
実施の形態１３に係るセンサ１は、第２チャンバー４４を有し、第１チャンバー１０と第２チャンバー４４とが連通される点を除き、実施の形態９に係るセンサ１と概ね共通の構成を有する。以下、本実施の形態に係るセンサ１について、実施の形態９と異なる構成を中心に説明する。実施の形態９と同一の構成については同一の符号を付し、その説明は簡略化するか適宜省略する。図３５は、カバー基板１０６側から見た場合の実施の形態１３に係るセンサ１の内部構造を模式的に示す平面図である。図３５では、説明の便宜上、カバー基板１０６に設けられる第１排気孔２０及び第２排気孔２６も図示している。
【０３０７】
本実施の形態に係るセンサ１は、第２液体Ｆ２を保持している点で実施の形態１２に係るセンサ１と共通する。ただし、実施の形態１２に係るセンサ１は基板１００の外部に第２液体Ｆ２を保持するが、本実施の形態に係るセンサ１は基板１００の内部に第２液体Ｆ２を保持する。
【０３０８】
具体的には、本実施の形態に係るセンサ１は、基板１００内に、第２液体Ｆ２を収容する第２チャンバー４４を備える。第２チャンバー４４は、ベース基板１０２の第１主表面１０２ａと、スペーサ部材１０４のスリット１０４ａと、カバー基板１０６の第２主表面１０６ｂとで区画される。そして、第２液体供給口２２は、第１チャンバー１０と第２チャンバー４４とを連通する。第２液体供給口２２は、ベース基板１０２の第１主表面１０２ａと、スペーサ部材１０４のスリット１０４ａと、カバー基板１０６の第２主表面１０６ｂとで規定される。第２チャンバー４４内には、第２チャンバー４４に収まる容積の収容部４２が配置され、収容部４２に第２液体Ｆ２が収容される。
【０３０９】
このような構成において、例えば、基板１００の外部から収容部４２に針を突き刺すことで、収容部４２の内部と第２チャンバー４４内とを接続する貫通孔が形成される。これにより、収容部４２内の第２液体Ｆ２を、第２排気孔２６の開放により生じる毛細管力によって、第２液体供給口２２から第１チャンバー１０内に導入することができる。本実施の形態に係るセンサ１は、第２液体Ｆ２を収容する第２チャンバー４４を備えるため、アナライトの分析、測定をさらに簡易化できる。
【０３１０】
＜＜測定装置＞＞
（実施の形態１４）
上述した実施の形態９−１３に係るセンサ１が用いられる測定装置について説明する。図３６は、測定装置におけるセンサ支持部周辺を拡大して示す断面図である。図３６では一例として、電気化学シグナル測定系用のセンサ１に用いられる測定装置のセンサ支持部を図示している。また、磁性材料を固相３０１とする測定系に用いられる測定装置のセンサ支持部を図示している。また、図３６では、図２６におけるＹ軸方向の所定位置においてＸ軸方向に沿って切断したセンサ１の断面を図示している。
【０３１１】
本実施の形態に係る測定装置２００は、センサ１を用いたアナライトの分析によって取得されるシグナルを検出することで、アナライトを測定する装置である。測定装置２００は、実施の形態８に係る測定装置２００と同様に、制御部２０２、メモリ２０４、表示部２０６、操作部２０８、及び測定部２１０を有する（図２３参照）。また、図３６に示すように、測定装置２００は、センサ支持部２１２を有する。各部の機能は、実施の形態８に係る測定装置２００が備えるものと概ね同様である。以下、測定部２１０について詳細に説明する。
【０３１２】
＜測定部＞
測定部２１０は、センサ１で生成されるシグナルを検出し、測定する。測定部２１０は、センサ１に採用される測定系に応じて、測定に必要な各種の構成を備える。以下、各測定系に応じた測定部２１０の構成について説明する。
【０３１３】
＜電気化学シグナル測定系＞
アナライトの測定系が電気化学シグナル測定系である場合、図３６に示すように、測定部２１０は、コネクタ２１４を備える。コネクタ２１４は、電極２１６を有する。コネクタ２１４にセンサ１の接続部３６が差し込まれると、センサ１に設けられる電極（図２８参照）が電極２１６に電気的に接続される。測定部２１０は、電極２１６を介して電気的に接続されたセンサ１に対して所定の電圧を印加する。これにより測定部２１０は、センサ１から電流値を取得する。
【０３１４】
そして、測定部２１０は、得られた電流値を示す信号を制御部２０２に送信する。メモリ２０４には、電流値とアナライトの濃度とを対応づけた変換テーブルが記憶されている。制御部２０２は、取得した電流値と変換テーブルとを用いて、アナライトの濃度を測定する。そして、制御部２０２は例えば、得られたアナライト濃度を表示部２０６に表示させる。
【０３１５】
＜電気化学発光測定系＞
アナライトの測定系が電気化学発光測定系である場合、測定部２１０は、電気化学シグナル測定系の場合と同様にコネクタ２１４と電極２１６とを備える。また、測定部２１０は、所定位置に設けられる光検出部を備える。光検出部としては、例えば光電子増倍管（Ｐｈｏｔｏｍｕｌｔｉｐｌｉｅｒ  Ｔｕｂｅ；ＰＭＴ）や、電荷結合素子（Ｃａｒｇｅ  Ｃｏｕｐｌｅｄ  Ｄｅｖｉｃｅ；ＣＣＤ）等が挙げられる。例えば光検出部は、センサ支持部２１２にセンサ１が設置された状態で、センサ１のカバー基板１０６と対向する位置に配置される。
【０３１６】
測定部２１０は、電極２１６を介して電気的に接続されたセンサ１に対して所定の電圧を印加する。これにより、センサ１のアナライト捕捉部２４において電気化学発光が起こる。測定部２１０は、光検出部によってこの電気化学発光を検出する。測定部２１０は、検出した電気化学発光の光量を示す信号を制御部２０２に送信する。メモリ２０４には、光量とアナライトの濃度とを対応づけた変換テーブルが記憶されている。制御部２０２は、取得した光量と変換テーブルとを用いて、アナライトの濃度を決定する。そして、制御部２０２は例えば、得られたアナライト濃度を表示部２０６に表示させる。
【０３１７】
＜化学／生物発光測定系＞
アナライトの測定系が化学／生物発光測定系である場合、測定部２１０は、電気化学発光測定系の場合と同様に光検出部を備える。光検出部の構成、及び制御部２０２によるアナライト濃度の決定方法は、電気化学発光測定系と概ね同様であるため説明を省略する。
【０３１８】
＜蛍光測定系＞
アナライトの測定系が蛍光測定系である場合、測定部２１０は、所定位置に設けられる光源と光検出部とを備える。光源は、蛍光物質を励起する所定波長の光をセンサ１に照射する。光源からの光照射によってセンサ１のアナライト捕捉部２４において蛍光が生じる。測定部２１０は、光検出部によってこの蛍光を検出し、光量を示す信号を制御部２０２に送信する。光検出部の構成、及び制御部２０２によるアナライト濃度の決定方法は、電気化学発光測定系と概ね同様であるため説明を省略する。
【０３１９】
＜吸光度測定系＞
アナライトの測定系が吸光度測定系である場合、測定部２１０は、所定位置に設けられる光源及び受光素子を備える。受光素子は、例えばフォトダイオード等で構成される。光源は、所定波長の光をセンサ１に照射する。受光素子は、センサ１のアナライト捕捉部２４を透過した光源の光を受光する。これにより、測定部２１０は、吸光度に関する情報を取得する。
【０３２０】
測定部２１０は、取得した吸光度に関する情報を示す信号を制御部２０２に送信する。メモリ２０４には、吸光度とアナライトの濃度とを対応づけた変換テーブルが記憶されている。制御部２０２は、取得した吸光度と変換テーブルとを用いて、アナライトの濃度を決定する。そして、制御部２０２は例えば、得られたアナライト濃度を表示部２０６に表示させる。
【０３２１】
続いて、センサ支持部２１２の構造について説明する。図３６に示すように、測定装置２００は、所定位置にセンサ支持部２１２を有する。センサ支持部２１２には、センサ１が載置される。例えば、センサ支持部２１２はセンサ搭載面２１２ａを有する。センサ１は、ベース基板１０２がセンサ搭載面２１２ａに当接するようにしてセンサ搭載面２１２ａに載置される。測定部２１０はセンサ支持部２１２に隣接している。センサ１は、センサ支持部２１２に搭載されるとともに、接続部３６がコネクタ２１４に差し込まれる。
【０３２２】
また、測定装置２００は、センサ支持部２１２に設けられる磁石２１８を備える。磁石２１８は、センサ１がセンサ支持部２１２に支持された状態で、アナライト捕捉部２４の近傍に配置される。例えば、磁石２１８は、センサ支持部２１２とセンサ１とが並ぶ方向から見て、アナライト捕捉部２４と重なる位置に配置される。固相３０１として磁性材料が用いられている場合、すなわち、アナライトに磁性材料が結合している場合、アナライト捕捉部２４において、磁性材料が磁石２１８によって磁化される。これにより、アナライトがアナライト捕捉部２４において捕捉される。この結果、アナライト捕捉部２４に存在する第１液体Ｆ１を第２液体Ｆ２で除去する際に、アナライト捕捉部２４にアナライトを留めておくことができる。なお、センサ支持部２１２又は測定部２１０には、封止部材２７，２８や収容部４２に穿孔処理を施すための機構や、第２液体供給口２２に第２液体Ｆ２を点着するための機構が設けられてもよい。
【０３２３】
以下、上述したセンサ１が採用可能な分析方法は、実施の形態８で例示した（１）及び（２）と同様である。
【０３２４】
本発明は、上述した各実施の形態及び各変形例に限定されるものではなく、これらの実施の形態及び変形例を組み合わせたり、当業者の知識に基づいて各種の設計変更などのさらなる変形を加えることも可能であり、当該組み合わせ、あるいはさらなる変形が加えられて生じる新たな実施の形態も本発明の範囲に含まれる。
【０３２５】
上述した実施の形態９−１３では、第１流路Ｃ１及び第２流路Ｃ２はともに全体が直線状であるが、特にこの構成に限定されない。第１流路Ｃ１及び第２流路Ｃ２（言い換えれば第１部分１２及び第２部分１４）は、アナライト捕捉部２４において交差している限りその形状は限定されず、全体が直線以外の形状（例えば曲線状等）であってもよく、あるいは一部に直線以外の形状（例えば曲線状等）の部分が含まれていてもよい。なお、センサ構造の簡素化や第１液体Ｆ１及び第２液体Ｆ２の流れやすさ等の観点から、第１流路Ｃ１及び第２流路Ｃ２は全体が直線状であることがより好ましい。
【０３２６】
なお本明細書には、以下の技術思想も含まれる。
【０３２７】
［項目１］
基板と、
前記基板内に位置する第１チャンバーと、
第１チャンバーと前記基板外とを連通し、アナライトを含む第１液体が前記基板外から前記第１チャンバーに流れる第１液体供給口と、
前記第１チャンバー内に位置し、前記第１液体中のアナライトが捕捉されるアナライト捕捉部と、
前記第１チャンバーと前記基板外とを連通し、前記第１チャンバー内の気体が前記基板外に流れる第１排気孔と、
前記第１チャンバー内に位置し、前記第１液体供給口、前記アナライト捕捉部、及び前記第１排気孔をつなぐ第１流路と、
前記第１チャンバーと前記第１チャンバー外とを連通し、アナライト捕捉部の洗浄液を含む第２液体が前記第１チャンバー外から前記第１チャンバーに流れる第２液体供給口と、
前記第１チャンバーと前記基板外とを連通し、閉鎖された状態から開放された状態に切り替え可能であり、開放された状態で前記第１チャンバー内の気体が前記基板外に流れる第２排気孔と、
前記第１チャンバー内に位置し、前記第２液体供給口、前記アナライト捕捉部、及び前記第２排気孔をつなぐ第２流路と、を備え、
前記第１液体供給口及び前記第１排気孔は、前記第１流路において前記アナライト捕捉部を挟んで配置され、
前記第２液体供給口及び前記第２排気孔は、前記第２流路において前記アナライト捕捉部を挟んで配置され、
前記第２排気孔が閉鎖された状態で、前記第１液体は、前記第１排気孔からの排気をともなって前記第１液体供給口から前記第１流路内に引き込まれ、前記アナライト捕捉部に到達し、
前記第２排気孔が開放された状態で、前記第２液体は、前記第２排気孔からの排気をともなって前記第２液体供給口から前記第２流路内に引き込まれ、前記アナライト捕捉部を通過して、前記アナライト捕捉部から前記第１液体を除去する、
アナライトを分析するセンサ。
［項目２］
前記第１チャンバーは、第１部分、第２部分、及び前記第１部分と前記第２部分とを連結する連結部を含み、
前記第１液体供給口及び前記第１排気孔は、前記第１部分と前記基板外とを連通し、
前記第２液体供給口は、前記第１部分と前記第１チャンバー外とを連通し、
前記第２排気孔は、前記第２部分と前記基板外とを連通し、
前記第１流路は、前記第１部分に配置され、
前記第２流路は、前記第１部分、前記連結部及び前記第２部分にわたって配置され、
前記第２排気孔が閉鎖された状態で、前記第１液体供給口に供給された前記第１液体は、毛細管現象によって前記第１流路を移動して前記アナライト捕捉部に到達し、
前記第２排気孔が開放された状態で、前記第２液体供給口に供給される前記第２液体は、毛細管現象によって前記第１流路を移動して前記アナライト捕捉部を通過し、前記連結部を経て前記第２部分に到達する、項目１に記載のセンサ。
［項目３］
前記第２液体供給口は、前記第１チャンバーと前記基板外とを連通し、前記第１排気孔を兼ねる、項目２に記載のセンサ。
［項目４］
前記第２液体供給口は、前記第１チャンバーと前記基板外とを連通し、前記第１排気孔とは別体であり、
前記基板の主表面に対して直交する方向から見て、
前記第１排気孔は、前記第２流路における前記第２液体供給口と前記アナライト捕捉部との間に配置され、
前記第２流路は、前記第２流路の中心線に対して平行な方向で前記第１排気孔と重なる位置において、前記中心線に対して直交する方向で前記第１排気孔と重ならない領域を有する、項目２に記載のセンサ。
［項目５］
前記アナライト捕捉部は、前記第２流路において前記第２液体が流れる方向で、前記第１部分における前記連結部が接続される位置と、前記第２液体供給口が設けられる位置との間に配置される、項目２又は３に記載のセンサ。
［項目６］
前記アナライト捕捉部は、前記第２流路において前記第２液体が流れる方向で、前記第１部分における前記連結部が接続される位置と、前記第１排気孔が設けられる位置との間に配置される、項目２又は４に記載のセンサ。
［項目７］
前記第２部分と前記連結部とをそれぞれＮ個備え（Ｎは１以上の整数）、
Ｎ個の前記第２部分の容積とＮ個の前記連結部の容積との合計は、前記第１部分における前記アナライト捕捉部の容積と、前記第１排気孔から前記アナライト捕捉部までの容積との合計よりも大きい、項目２乃至６のいずれか１項に記載のセンサ。
［項目８］
前記基板内に位置し、前記第２液体を収容する第２チャンバーをさらに備え、
前記第２液体供給口は、前記第１チャンバーと前記第２チャンバーとを連通する、項目１又は２に記載のセンサ。
［項目９］
前記第２液体の収容部をさらに備え、
前記第２液体供給口は、前記第１チャンバーと前記基板外とを連通し、
前記収容部は、前記基板の外表面上に配置されるとともに、前記第２液体供給口に接続される、項目１乃至７のいずれか１項に記載のセンサ。
［項目１０］
前記第２液体供給口は、前記第１チャンバーと前記基板外とを連通し、前記第１液体供給口を兼ねる、項目１又は２に記載のセンサ。
［項目１１］
前記基板の主表面に対して直交する方向から見て、
前記第１排気孔は、前記第２排気孔と前記アナライト捕捉部との間に配置され、
前記第２流路は、前記第２流路の中心線に対して平行な方向で前記第１排気孔と重なる位置において、前記中心線に対して直交する方向で前記第１排気孔と重ならない領域を有する、項目１０に記載のセンサ。
［項目１２］
前記第２液体供給口は、前記第１チャンバーと前記基板外とを連通し、前記第１液体供給口及び前記第１排気孔とは別体であり、
前記基板の主表面に対して直交する方向から見て、
前記第２液体供給口及び前記第２排気孔は、前記第１液体供給口、前記アナライト捕捉部及び前記第１排気孔を挟んで配置され、
前記第２流路は、前記第２流路の中心線に対して平行な方向で前記第１液体供給口と重なる位置において、前記中心線に対して直交する方向で前記第１液体供給口と重ならない領域を有し、前記中心線に対して平行な方向で前記第１排気孔と重なる位置において、前記中心線に対して直交する方向で前記第１排気孔と重ならない領域を有する、項目１又は２に記載のセンサ。
［項目１３］
前記アナライト捕捉部に対して、前記第１液体供給口と前記第２排気孔とが同じ側に配置され、前記第２液体供給口と前記第１排気孔とが同じ側に配置される、項目１２に記載のセンサ。
［項目１４］
前記基板は、ベース基板、前記ベース基板の表面上に配置されるスペーサ部材、及び前記スペーサ部材の前記ベース基板側とは反対側の表面上に配置されるカバー基板を含み、
前記スペーサ部材は、前記スペーサ部材の面方向に延在するスリットを有し、
前記第１チャンバーは、前記ベース基板の表面、前記カバー基板の表面、及び前記スリットによって形成される、項目１乃至１３のいずれか１項に記載のセンサ。
［項目１５］
前記第２排気孔を閉鎖する封止部材をさらに備える、項目１乃至１４のいずれか１項に記載のセンサ。
［項目１６］
項目１乃至１５のいずれか１項に記載のセンサが載置されるセンサ支持部と、
前記センサ支持部に設けられる磁石と、を備え、
前記アナライトには磁性材料が結合しており、
前記アナライトは、前記アナライト捕捉部において、前記磁石によって前記磁性材料が磁化されることで捕捉される、測定装置。
［項目１７］
項目１乃至１５のいずれか１項に記載のセンサを用いたアナライトの分析方法であって、
前記第２排気孔が閉鎖された状態で、前記第１液体を前記第１液体供給口に供給し、毛細管現象により前記第１液体を前記アナライト捕捉部まで移送する工程Ａと、
前記工程Ａの後に、前記第２液体を前記第２液体供給口に供給する工程Ｂと、
前記工程Ａの後であり、且つ前記工程Ｂの前、後、又は同時に、前記第２排気孔を開放する工程Ｃと、を含み、
前記工程Ｂ及び前記工程Ｃにより、前記第２液体を毛細管現象により前記第２液体供給口から前記アナライト捕捉部まで移送し、前記アナライト捕捉部を通過させて、前記アナライト捕捉部から前記第１液体を除去する、アナライトの分析方法。
【０３２８】
また、本明細書には、以下の技術思想も含まれる。
【０３２９】
［項目１８］
基板と、
前記基板内に位置する第１チャンバーと、
第１チャンバーと前記基板外とを連通し、アナライトを含む第１液体が前記基板外から前記第１チャンバーに流れる第１液体供給口と、
前記第１チャンバー内に位置し、前記第１液体中のアナライトが捕捉されるアナライト捕捉部と、
前記第１チャンバーと前記基板外とを連通し、前記第１チャンバー内の気体が前記基板外に流れる第１排気孔と、
前記第１チャンバー内に位置し、前記第１液体供給口、前記アナライト捕捉部、及び前記第１排気孔をつなぐ第１流路と、
前記第１チャンバーと前記第１チャンバー外とを連通し、アナライト捕捉部の洗浄液を含む第２液体が前記第１チャンバー外から前記第１チャンバーに流れる第２液体供給口と、
前記第１チャンバーと前記基板外とを連通し、閉鎖された状態から開放された状態に切り替え可能であり、開放された状態で前記第１チャンバー内の気体が前記基板外に流れる第２排気孔と、
前記第１チャンバー内に位置し、前記第２液体供給口、前記アナライト捕捉部、及び前記第２排気孔をつなぐ第２流路と、を備え、
前記第１液体供給口及び前記第１排気孔は、前記第１流路において前記アナライト捕捉部を挟んで配置され、
前記第２液体供給口及び前記第２排気孔は、前記第２流路において前記アナライト捕捉部を挟んで配置され、
前記第１流路及び前記第２流路は前記アナライト捕捉部において交差し、
前記第２排気孔が閉鎖された状態で、前記第１液体は、前記第１排気孔からの排気をともなって前記第１液体供給口から前記第１流路内に引き込まれ、前記アナライト捕捉部に到達し、
前記第２排気孔が開放された状態で、前記第２液体は、前記第２排気孔からの排気をともなって前記第２液体供給口から前記第２流路内に引き込まれ、前記アナライト捕捉部を通過して、前記アナライト捕捉部から前記第１液体を除去する、アナライトを分析するセンサ。
［項目１９］
前記第１チャンバーは、第１部分、第２部分、及び前記第１部分と前記第２部分との交差部分を含み、
前記第１液体供給口及び前記第１排気孔は、前記第１部分と前記基板外とを連通し、
前記第２液体供給口は、前記第２部分と前記第１チャンバー外とを連通し、
前記第２排気孔は、前記第２部分と前記基板外とを連通し、
前記第１流路は、前記第１部分に配置され、
前記第２流路は、前記第２部分に配置され、
前記アナライト捕捉部は、前記交差部分に配置され、
前記第２排気孔が閉鎖された状態で、前記第１液体供給口に供給された前記第１液体は、毛細管現象によって前記第１流路を移動して前記アナライト捕捉部に到達し、
前記第２排気孔が開放された状態で、前記第２液体供給口に供給される前記第２液体は、毛細管現象によって前記第２流路を移動して前記アナライト捕捉部を通過する、項目１８に記載のセンサ。
［項目２０］
前記第２流路における前記アナライト捕捉部と前記第２排気孔との間の領域の容積は、前記第２流路における前記第２液体供給口と前記アナライト捕捉部との間の領域の容積と前記アナライト捕捉部の容積との合計よりも大きい、項目１８又は１９に記載のセンサ。
［項目２１］
前記基板内に位置し、前記第２液体を収容する第２チャンバーをさらに備え、
前記第２液体供給口は、前記第１チャンバーと前記第２チャンバーとを連通する、項目１８乃至２０のいずれか１項に記載のセンサ。
［項目２２］
前記第２液体供給口は、前記第１チャンバーと前記基板外とを連通する、項目１８乃至２０のいずれか１項に記載のセンサ。
［項目２３］
前記第２液体の収容部をさらに備え、
前記収容部は、前記基板の外表面上に配置されるとともに前記第２液体供給口に接続される、項目２２に記載のセンサ。
［項目２４］
前記第２排気孔を閉鎖する封止部材をさらに備える、項目１８乃至２３のいずれか１項に記載のセンサ。
［項目２５］
前記第２液体供給口は、閉鎖された状態から開放された状態に切り替え可能であり、
前記第２液体供給口及び前記第２排気孔が閉鎖された状態で、前記第１液体は前記第１液体供給口から前記第１流路内に引き込まれて前記アナライト捕捉部に到達し、
前記第２液体供給口及び前記第２排気孔が開放された状態で、前記第２液体は前記第２液体供給口から前記第２流路内に引き込まれて前記アナライト捕捉部を通過する、項目１８乃至２０のいずれか１項に記載のセンサ。
［項目２６］
前記基板は、ベース基板、前記ベース基板の表面上に配置されるスペーサ部材、及び前記スペーサ部材の前記ベース基板側とは反対側の表面上に配置されるカバー基板を含み、
前記スペーサ部材は、前記スペーサ部材の面方向に延在するスリットを有し、
前記第１チャンバーは、前記ベース基板の表面、前記カバー基板の表面、及び前記スリットによって形成される、項目１８乃至２５のいずれか１項に記載のセンサ。
［項目２７］
項目１８乃至２６のいずれか１項に記載のセンサが載置されるセンサ支持部と、
前記センサ支持部に設けられる磁石と、を備え、
前記アナライトには磁性材料が結合しており、
前記アナライトは、前記アナライト捕捉部において、前記磁石によって前記磁性材料が磁化されることで捕捉される、測定装置。
［項目２８］
項目１８乃至２４のいずれか１項に記載のセンサを用いたアナライトの分析方法であって、
前記第２排気孔が閉鎖された状態で、前記第１液体を前記第１液体供給口に供給し、毛細管現象により前記第１液体を前記アナライト捕捉部まで移送する工程ＡＩと、
前記工程ＡＩの後に、前記第２液体を前記第２液体供給口に供給する工程ＢＩと、
前記工程ＡＩの後であり、且つ前記工程ＢＩの前、後、又は同時に、前記第２排気孔を開放する工程ＣＩと、を含み、
前記工程ＢＩ及び前記工程ＣＩにより、前記第２液体を毛細管現象により前記第２液体供給口から前記アナライト捕捉部まで移送し、前記アナライト捕捉部を通過させて、前記アナライト捕捉部から前記第１液体を除去する、アナライトの分析方法。
［項目２９］
項目２５に記載のセンサを用いたアナライトの分析方法であって、
前記第２液体供給口及び前記第２排気孔が閉鎖された状態で、前記第１液体を前記第１液体供給口に供給し、毛細管現象により前記第１液体を前記アナライト捕捉部まで移送する工程ＡＩＩと、
前記工程ＡＩＩの後に、前記第２液体供給口を開放して前記第２液体を前記第２液体供給口に供給する工程ＢＩＩと、
前記工程ＡＩＩの後であり、且つ前記工程ＢＩＩの前、後、又は同時に、前記第２排気孔を開放する工程ＣＩＩと、を含み、
前記工程ＢＩＩ及び前記工程ＣＩＩにより、前記第２液体を毛細管現象により前記第２液体供給口から前記アナライト捕捉部まで移送し、前記アナライト捕捉部を通過させて、前記アナライト捕捉部から前記第１液体を除去する、アナライトの分析方法。
【符号の説明】
【０３３０】
１  センサ、  １０  第１チャンバー、  １２  第１部分、  １４  第２部分、  １６  連結部、  １８  第１液体供給口、  ２０  第１排気孔、  ２２  第２液体供給口、  ２４  アナライト捕捉部、  ２６  第２排気孔、  ２７，２８  封止部材、  ４２  収容部、  ４４  第２チャンバー、  １００  基板、  １０２  ベース基板、  １０４  スペーサ部材、  １０４ａ  スリット、  １０６  カバー基板、  ２００  測定装置、  ２１２  センサ支持部、  ２１８  磁石、  ４１６  交差部分、  Ｃ１  第１流路、  Ｃ２  第２流路、  Ｆ１  第１液体、  Ｆ２  第２液体。
【産業上の利用可能性】
【０３３１】
本発明は、アナライトを分析するセンサ、測定装置、及びアナライトの分析方法に利用することができる。
【図１】
2017056748.tif 000003
【図２】
2017056748.tif 000004
【図３】
2017056748.tif 000005
【図４】
2017056748.tif 000006
【図５】
2017056748.tif 000007
【図６】
2017056748.tif 000008
【図７】
2017056748.tif 000009
【図８】
2017056748.tif 000010
【図９】
2017056748.tif 000011
【図１０】
2017056748.tif 000012
【図１１】
2017056748.tif 000013
【図１２】
2017056748.tif 000014
【図１３】
2017056748.tif 000015
【図１４】
2017056748.tif 000016
【図１５】
2017056748.tif 000017
【図１６】
2017056748.tif 000018
【図１７】
2017056748.tif 000019
【図１８】
2017056748.tif 000020
【図１９】
2017056748.tif 000021
【図２０】
2017056748.tif 000022
【図２１】
2017056748.tif 000023
【図２２】
2017056748.tif 000024
【図２３】
2017056748.tif 000025
【図２４】
2017056748.tif 000026
【図２５】
2017056748.tif 000027
【図２６】
2017056748.tif 000028
【図２７】
2017056748.tif 000029
【図２８】
2017056748.tif 000030
【図２９】
2017056748.tif 000031
【図３０】
2017056748.tif 000032
【図３１】
2017056748.tif 000033
【図３２】
2017056748.tif 000034
【図３３】
2017056748.tif 000035
【図３４】
2017056748.tif 000036
【図３５】
2017056748.tif 000037
【図３６】
2017056748.tif 000038
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
基板と、
前記基板内に位置する第１チャンバーと、
第１チャンバーと前記基板外とを連通し、アナライトを含む第１液体が前記基板外から前記第１チャンバーに流れる第１液体供給口と、
前記第１チャンバー内に位置し、前記第１液体中のアナライトが捕捉されるアナライト捕捉部と、
前記第１チャンバーと前記基板外とを連通し、前記第１チャンバー内の気体が前記基板外に流れる第１排気孔と、
前記第１チャンバー内に位置し、前記第１液体供給口、前記アナライト捕捉部、及び前記第１排気孔をつなぐ第１流路と、
前記第１チャンバーと前記第１チャンバー外とを連通し、アナライト捕捉部の洗浄液を含む第２液体が前記第１チャンバー外から前記第１チャンバーに流れる第２液体供給口と、
前記第１チャンバーと前記基板外とを連通し、閉鎖された状態から開放された状態に切り替え可能であり、開放された状態で前記第１チャンバー内の気体が前記基板外に流れる第２排気孔と、
前記第１チャンバー内に位置し、前記第２液体供給口、前記アナライト捕捉部、及び前記第２排気孔をつなぐ第２流路と、を備え、
前記第１液体供給口及び前記第１排気孔は、前記第１流路において前記アナライト捕捉部を挟んで配置され、
前記第２液体供給口及び前記第２排気孔は、前記第２流路において前記アナライト捕捉部を挟んで配置され、
第２液体供給口と前記アナライト捕捉部との間の領域において、前記第１流路と前記第２流路とは所定の長さ重なり、
前記第２排気孔が閉鎖された状態で、前記第１液体は、前記第１排気孔からの排気をともなって毛細管現象により前記第１液体供給口から前記第１流路内に引き込まれ、前記アナライト捕捉部に到達し、
前記第２排気孔が開放された状態で、前記第２液体は、前記第２排気孔からの排気をともなって毛細管現象により前記第２液体供給口から前記第２流路内に引き込まれ、前記アナライト捕捉部を通過して、前記アナライト捕捉部から前記第１液体を除去する、アナライトを分析するセンサ。
【請求項２】
前記第２液体供給口は、前記第１チャンバーと前記基板外とを連通し、前記第１排気孔を兼ねる、請求項１に記載のセンサ。
【請求項３】
前記第１排気孔は、前記第２流路における前記第２液体供給口と前記アナライト捕捉部との間に配置され、
前記第２液体供給口は、前記第１チャンバーと前記基板外とを連通し、
前記基板の主表面に対して直交する方向から見て、前記第２流路は、前記第２流路の中心線に対して平行な方向で前記第１排気孔と重なる位置において、前記中心線に対して直交する方向で前記第１排気孔と重ならない領域を有する、請求項１に記載のセンサ。
【請求項４】
前記第１チャンバーは、第１部分、第２部分、及び前記第１部分と前記第２部分とを連結する連結部を含み、
前記第１液体供給口及び前記第１排気孔は、前記第１部分と前記基板外とを連通し、
前記第２液体供給口は、前記第１部分と前記第１チャンバー外とを連通し、
前記第２排気孔は、前記第２部分と前記基板外とを連通し、
前記第１流路は、前記第１部分に配置され、
前記第２流路は、前記第１部分、前記連結部及び前記第２部分にわたって配置され、
前記第２排気孔が閉鎖された状態で、前記第１液体供給口に供給された前記第１液体は、毛細管現象によって前記第１流路を移動して前記アナライト捕捉部に到達し、
前記第２排気孔が開放された状態で、前記第２液体供給口に供給される前記第２液体は、毛細管現象によって前記第２流路を移動して前記アナライト捕捉部を通過し、前記連結部を経て前記第２部分に到達する、請求項１乃至３のいずれか１項に記載のセンサ。
【請求項５】
前記アナライト捕捉部は、前記第２流路において前記第２液体が流れる方向で、前記第１部分における前記連結部が接続される位置と、前記第１排気孔が設けられる位置との間に配置される、請求項４に記載のセンサ。
【請求項６】
前記第２部分と前記連結部とをそれぞれＮ個備え（Ｎは１以上の整数）、
Ｎ個の前記第２部分の容積とＮ個の前記連結部の容積との合計は、前記第１部分における前記アナライト捕捉部の容積と、前記第１排気孔から前記アナライト捕捉部までの容積との合計よりも大きい、請求項４又は５に記載のセンサ。
【請求項７】
前記第２液体の収容部をさらに備え、
前記第２液体供給口は、前記第１チャンバーと前記基板外とを連通し、
前記収容部は、前記基板の外表面上に配置されるとともに、前記第２液体供給口に接続される、請求項１乃至６のいずれか１項に記載のセンサ。
【請求項８】
前記基板内に位置し、前記第２液体を収容する第２チャンバーをさらに備え、
前記第２液体供給口は、前記第１チャンバーと前記第２チャンバーとを連通する、請求項１に記載のセンサ。
【請求項９】
前記第２液体供給口は、前記第１チャンバーと前記基板外とを連通し、前記第１液体供給口を兼ねる、請求項１に記載のセンサ。
【請求項１０】
前記第１排気孔は、前記第２流路における前記第２排気孔と前記アナライト捕捉部との間に配置され、
前記基板の主表面に対して直交する方向から見て、前記第２流路は、前記第２流路の中心線に対して平行な方向で前記第１排気孔と重なる位置において、前記中心線に対して直交する方向で前記第１排気孔と重ならない領域を有する、請求項９に記載のセンサ。
【請求項１１】
前記第２液体供給口及び前記第２排気孔は、前記第１液体供給口、前記アナライト捕捉部及び前記第１排気孔を挟んで配置され、
前記第２液体供給口は、前記第１チャンバーと前記基板外とを連通し、
前記基板の主表面に対して直交する方向から見て、前記第２流路は、前記第２流路の中心線に対して平行な方向で前記第１液体供給口と重なる位置において、前記中心線に対して直交する方向で前記第１液体供給口と重ならない領域を有し、前記中心線に対して平行な方向で前記第１排気孔と重なる位置において、前記中心線に対して直交する方向で前記第１排気孔と重ならない領域を有する、請求項１に記載のセンサ。
【請求項１２】
前記第２流路において、前記アナライト捕捉部に対して、前記第１液体供給口と前記第２排気孔とが同じ側に配置され、前記第２液体供給口と前記第１排気孔とが同じ側に配置される、請求項１１に記載のセンサ。
【請求項１３】
前記基板は、ベース基板、前記ベース基板の表面上に配置されるスペーサ部材、及び前記スペーサ部材の前記ベース基板側とは反対側の表面上に配置されるカバー基板を含み、
前記スペーサ部材は、前記スペーサ部材の面方向に延在するスリットを有し、
前記第１チャンバーは、前記ベース基板の表面、前記カバー基板の表面、及び前記スリットによって形成される、請求項１乃至１２のいずれか１項に記載のセンサ。
【請求項１４】
前記第２排気孔を閉鎖する封止部材をさらに備える、請求項１乃至１３のいずれか１項に記載のセンサ。
【請求項１５】
請求項１乃至１４のいずれか１項に記載のセンサを用いたアナライトの分析方法であって、
前記第２排気孔が閉鎖された状態で、前記第１液体を前記第１液体供給口に供給し、毛細管現象により前記第１液体を前記アナライト捕捉部まで移送する工程Ａ，ＡＩと、
前記工程Ａ，ＡＩの後に、前記第２液体を前記第２液体供給口に供給する工程Ｂ，ＢＩと、
前記工程Ａ，ＡＩの後であり、且つ前記工程Ｂ，ＢＩの前、後、又は同時に、前記第２排気孔を開放する工程Ｃ，ＣＩと、を含み、
前記工程Ｂ，ＢＩ及び前記工程Ｃ，ＣＩにより、前記第２液体を毛細管現象により前記第２液体供給口から前記アナライト捕捉部まで移送し、前記アナライト捕捉部を通過させて、前記アナライト捕捉部から前記第１液体を除去する、アナライトの分析方法。
【国際調査報告】
2017056748.tif 000039
2017056748.tif 000040
2017056748.tif 000041
2017056748.tif 000042
2017056748.tif 000043